(57)【特許請求の範囲】
【請求項１】
第１の面を有する第１の可撓性材料層と、前記第１の可撓性材料層の前記第１の面に配置された第１のワイヤーマトリックスと、前記第１のワイヤーマトリックスに隣接しかつ前記第１の可撓性材料層に結合された第２の可撓性材料層とを備えた切断抵抗性の第１のセキュリティパネルアセンブリと、
前記第１のセキュリティパネルアセンブリを囲み、内側仕切り部を有する外部バッグであって、前記外部バッグの前記内側仕切り部にアクセスするための少なくとも１つの開口部を含む外部バッグと、
前記少なくとも１つの開口部に結合された第１の締結具と、
前記第１の締結具と前記外部バッグとの間に取外し可能に結合され、閉鎖又は係止形態への第１のばね付勢を有する第２の締結具と、
前記外部バッグに取外し可能に結合された第３の締結具に結合されたキャリーストラップとを備え、
前記キャリーストラップは、
第１の切断抵抗ケーブルと、
第２の切断抵抗ケーブルと、
幅より大きい長さを有し、該長さに沿って第１の側方縁及び第２の側方縁を有し、該長さに沿って第１の側方領域及び第２の側方領域を有し、かつ前記第１の側方領域と前記第２の側方領域との間に該長さに沿って中心領域を有する、第１の可撓性材料であって、前記中心領域は第１の厚さを有し、前記第１の側方領域及び前記第２の側方領域は第２の厚さを有し、該第１の厚さは該第２の厚さより大きく、前記中心領域は第１の側縁を有する第１の側部と第２の側縁を有する第２の側部とを有し、前記第１の側方領域は、前記第１の側方縁が前記中心領域の前記第１の側縁に隣接するように前記第１の切断抵抗ケーブルの周りに折り曲げられて前記第１の切断抵抗ケーブルを横方向に包囲し、前記第２の側方領域は、前記第２の側方縁が前記中心領域の前記第２の側縁に隣接するように前記第２の切断抵抗ケーブルの周りに折り曲げられて前記第２の切断抵抗ケーブルを横方向に包囲する、第１の可撓性材料とを備える、キャリングバッグ。
【請求項２】
前記第２の締結具は、前記第１の締結具に結合されかつ前記外部バッグに結合されたリングに取外し可能に結合され、又は前記第２の締結具は、前記外部バッグに結合されかつ前記第１の締結具に取外し可能に結合されている、請求項１に記載のキャリングバッグ。
【請求項３】
前記第１のワイヤーマトリックスは、複数の閉鎖ワイヤー形状を形成する複数のワイヤー十字交差部を備え、各ワイヤー十字交差部は、互いに当接するワイヤーの少なくとも２つの部分を含む、請求項１に記載のキャリングバッグ。
【請求項４】
前記第１の可撓性材料層の周縁部に隣接して、前記第１のワイヤーマトリックスは、前記第１の可撓性材料層の前記周縁部から離れた複数の曲げ又は湾曲部分として配置されている、請求項１に記載のキャリングバッグ。
【請求項５】
前記第１のワイヤーマトリックスは、前記第１のワイヤーマトリックスの前記曲げ又は湾曲部分より更に前記周縁部から離れかつ前記第１の可撓性材料層の中心により近い第１の端部及び第２の端部を有する単一ワイヤーから構成される、請求項４に記載のキャリングバッグ。
【請求項６】
前記単一ワイヤーの前記第１の端部若しくは前記第２の端部、又は前記単一ワイヤーの前記第１の端部及び前記第２の端部の両方に結合された、少なくとも１つのポリマーキャップを更に備える、請求項５に記載のキャリングバッグ。
【請求項７】
拡張パネルを更に備え、
前記拡張パネルは、
第１の側面及び第２のワイヤーマトリックスを有する第２のセキュリティパネルアセンブリと、
第１の側面及び第３のワイヤーマトリックスを有する第３のセキュリティパネルアセンブリであって、前記第３のセキュリティパネルアセンブリの前記第１の側面は、前記第２のセキュリティパネルアセンブリの前記第１の側面に枢動可能又は回転可能に結合されて、前記拡張パネルの拡張状態及び非拡張状態を提供する、第３のセキュリティパネルアセンブリと、
を備える、請求項１に記載のキャリングバッグ。
【請求項８】
前記第２のセキュリティパネルアセンブリは、第１の面を有する第２の可撓性材料層を更に備え、
前記第２のワイヤーマトリックスは、前記第２の可撓性材料層の前記第１の面に配置され、複数の閉鎖ワイヤー形状を形成する複数の第２のワイヤー十字交差部を備え、各第２のワイヤー十字交差部は、互いに当接するが結合されていない第１のワイヤーの少なくとも２つの部分を含み、
前記第３のセキュリティパネルアセンブリは、第１の面を有する第３の可撓性材料層を更に備え、
前記第３のワイヤーマトリックスは、前記第３の可撓性材料層の前記第１の面に配置され、複数の閉鎖ワイヤー形状を形成する複数の第３のワイヤー十字交差部を備え、各第３のワイヤー十字交差部は、互いに当接するが結合されていない第２のワイヤーの少なくとも２つの部分を含む、請求項７に記載のキャリングバッグ。
【請求項９】
前記第２のワイヤーマトリックスは第１の幅を有し、前記第３のワイヤーマトリックスは、該第１の幅より小さい第２の幅を有する、請求項７に記載のキャリングバッグ。
【請求項１０】
前記拡張パネルが前記拡張状態にあるとき、前記第２のワイヤーマトリックスは前記第３のワイヤーマトリックスにオーバーラップするか又は重なる、請求項９に記載のキャリングバッグ。
【請求項１１】
前記第１のセキュリティパネルアセンブリは複数のサブパネルから構成され、各サブパネルは、前記第１のワイヤーマトリックスの複数の部分のうちの１つの部分を有し、
前記複数のサブパネルのうちの少なくとも２つの隣接するサブパネルの間で、前記第１のワイヤーマトリックスは、いかなる閉鎖ワイヤー形状もない単一ワイヤーから構成される、請求項１に記載のキャリングバッグ。
【請求項１２】
前記第１の可撓性材料層又は前記第２の可撓性材料層は、前記第１のセキュリティパネルアセンブリを前記内側仕切り部内で固定する複数のタブ、フランジ又はパネル部材を形成する複数の縁を更に備える、請求項１に記載のキャリングバッグ。
【請求項１３】
前記中心領域の前記第１の厚さは、前記第１の側方領域及び前記第２の側方領域よりも大きい厚さを有する前記第１の可撓性材料によって直接形成されているか、若しくは
前記キャリーストラップは、幅より大きい長さを有する第２の可撓性材料であって、前記第２の可撓性材料は、前記中心領域の前記第１の厚さを形成するように第１の側縁及び第２の側縁に沿って折り曲げられかつ前記第１の可撓性材料の第１の面に結合される、第２の可撓性材料を更に備える、請求項１に記載のキャリングバッグ。
【請求項１４】
前記キャリーストラップは、嵌合窪みを有しかつ前記第１の可撓性材料の端部に結合されて前記切断抵抗ケーブルの端部を囲むエンドキャップを更に備える、請求項１に記載のキャリングバッグ。
【請求項１５】
前記第１の切断抵抗ケーブル及び前記第２の切断抵抗ケーブルは、ポリマー糸、繊維若しくはヤーンから構成されている、請求項１に記載のキャリングバッグ。
【請求項１６】
前記ワイヤーマトリックスは、ポリマー糸、繊維若しくはヤーンから構成されている、請求項１に記載のキャリングバッグ。
【発明の詳細な説明】
【技術分野】
【０００１】
本発明は、様々なタイプのキャリングバッグに関し、より詳細には、盗難防止構造と、セキュリティパネルアセンブリと、財布、バックパック、メッセンジャーバッグ、ブリーフケース、旅行かばん（luggage）等のキャリングバッグ用にそれらを形成する方法とに関する。
【背景技術】
【０００２】
主な態様では、本発明は、ハンドバッグ、財布、トラベルバッグ（travel bag）、バックパック、メッセンジャーバッグ、ブリーフケース、ウエストパック、スーツケース、旅行かばん等（個々にかつまとめて「バッグ（複数の場合もある）」又は「キャリングバッグ（複数の場合もある）」と呼ぶ）であって、バッグの側部を切り込むことによるバッグの内部へのアクセスを防止するように設計された構造特徴と、キャリングバッグ及びその中身の盗難を減らすか又は最小限にする他の盗難防止構造及び設計とを組み込んだバッグに関する。
【０００３】
ハンドバッグ、トラベルバッグ、財布、他のバッグ等は、布地、帆布、ナイロン、バリスティックナイロン、皮革及び同様の材料等、可撓性材料から作製されることが多い。こうしたバッグは、通常、１つ又は複数の内部仕切り部（chamber）を含み、そこに対するアクセスは、バッグの頂部又は側部の開口部によって行うことができる。こうしたバッグはまた、通常バッグの対向する側部の間に接続されているキャリー（又はキャリング）ストラップを含むことも多い。さらに、こうしたバッグは、頂部及び／又は側部のアクセス開口部を備えた複数のサイドポケットも含むことが多い。
【０００４】
時に、こうしたバッグは、盗難にあうか又は盗難にあいそうになる。例えば、バッグは、多くの場合、バッグのキャリング（又はキャリー）ストラップによって椅子又はフック等に掛けられるか又は支持される可能性がある。こうした状況では、盗人は、キャリーストラップをつかんで立ち去ることにより、バッグを「ひったくる」可能性がある。盗人が使用した別の方式は、鋭利な器具を用いて、バッグを構成する柔軟な側面の材料に切り込み、それにより、中身にアクセスし、バッグの切断された開口部を通して中身を盗むことができる、というものである。盗人が使用した更に別の方式は、こっそりと又はバッグの所有者が注意を散らしている間にジッパーを開け、それによりバッグの所有者に気づかれない間にバッグの中身にアクセスすることによる等、様々なタイプのスリを含む。
【０００５】
この種の問題は、柔らかい面をもつタイプ（soft sided type）のバッグ構造に対する或る特定のセキュリティ設計によって、様々な方法で対処されてきた。例えば、２０００年２月２２日に発行された「Security Device for Luggage」と題する特許文献１及びその引用する参考文献は、柔らかい面をもつ（soft-sided）バックパックのセキュリティを強化するためにバックパックの上に配置される金属メッシュを提供する方法について教示している。２００１年６月１２日に発行された「Security Device for Luggage」と題する関連特許である特許文献２は、それに関連しているロック機構を含む網の形態のセキュリティ装置を開示している。２００６年７月４日に発行された「Security Luggage Bag」と題する特許文献３は、バッグの内部にワイヤーメッシュを配置し、バッグの頂部を閉鎖するワイヤーケーブルから作製された引きひもを更に設けるという概念について開示している。これらの従来技術による特許及びその引用する参考文献は、引用することにより本明細書の一部をなす。こうした構造は、ハンドバッグ及び他のタイプのバッグに対して潜在的な適用可能性があるが、組立が困難であって、かさばり、剛性があり柔軟性がなく、魅力がない可能性があり、特に、関連するキャリーストラップ及びジッパーを有するハンドバッグに関して、適切なセキュリティを提供しない可能性がある。
【０００６】
これらの従来技術によるアセンブリは、製造が困難でありかつ費用がかかるだけでなく、柔軟性が非常に限られた、比較的堅く、拡張可能なケージ状の構造を有するクリンプワイヤーメッシュを利用し、それにより、これらのタイプのアセンブリは、ハンドバッグ、財布、ウエストパック等、多くのタイプのバッグに対して適さなくなる。こうしたクリンプは、メッシュ又はケージ状構造を形成する、隣接する非交差ワイヤーを結合するために利用されるが、ワイヤーの望ましくない堅さ及び移動の制限をもたらすことに加えて、切断抵抗をもたらすことに際して脆弱な可能性がある連結具であり、それは、こうしたクリンプは、切断力又は引張力を受けると、メッシュを破断し、せん断し、又は外す可能性があるためである。さらに、こうしたクリンプは、隆起しているか又は突出していることが多く、それにより、これらのクリンプの位置におけるバッグの更なる望ましくない摩耗がもたらされる。
【先行技術文献】
【特許文献】
【０００７】
【特許文献１】米国特許第６，０２６，６６２号
【特許文献２】米国特許第６，２４４，０８１号
【特許文献３】米国特許第７，０６９，７５３号
【発明の概要】
【発明が解決しようとする課題】
【０００８】
したがって、多種多様のバッグで利用することができ、組立が相対的に容易かつ比較的安価であり、比較的薄くかさばらない形態を有し、軽量かつ柔軟性がある、比較的耐切断性の高いアセンブリ及び構造が必要とされている。バッグに取り付けられたいかなるストラップの切込みも防止し、バッグの典型的な「ひったくり」を防止し、さらに、ストラップ及びジッパーに対してすぐにかつ容易に使用可能なロック機能を提供し、バッグの中身に対する気づかれないアクセスの可能性をなくすか又は減らし、それにも関わらず消費者に対してバッグの比較的可撓性がありかつ魅力のあるスタイルを維持する、バッグのキャリーストラップ及びジッパー開口部に対する更なる盗難防止機能もまた依然として必要とされている。
【課題を解決するための手段】
【０００９】
簡単に、一形態では、本発明は、一形態では、布、皮革又はプラスチック等の概して可撓性の材料から製作されるタイプの外部キャリングバッグ内に配置されるパネルアセンブリを有する、セキュリティ構造を備える。セキュリティパネルアセンブリは、通常、内部セキュリティパネルアセンブリとして、バッグを形成する材料の外層と内部裏張りとの間に配置される。内部セキュリティパネルアセンブリに関連する概念は、単一の内部パネルアセンブリとして、又は外部バッグの複数のポケットに関連する複数のアセンブリとして利用することができる。さらに、高セキュリティバッグは、可撓性があり、かつバッグの面に接続する細長いストラップに組み込まれるか又は一体化されるケーブル又はワイヤーを含むことができる。ワイヤー又はケーブルを有するストラップは、解除することができるロックカラビナ又はロック矩形リングに更に結合可能とすることができ、それにより、容易に「ひったくる」ことができないように、キャリーストラップを柱又は他の何らかの物体の周囲に配置して再度ロックすることができる。追加のセキュリティ機能として、外部バッグ用のジッパー閉鎖具に、セキュリティクラスプ、追加のロックカラビナ及び他の二次閉鎖具も設けられる。
【００１０】
代表的な実施形態は多数の利点を提供する。１つのこうした利点は、代表的なセキュリティパネルアセンブリのワイヤーマトリックスの構造が、安定性のために追加のクリンプ留めを必要とせず、したがってより経済的に製造することができる、複数の閉鎖ワイヤー形状を形成するということである。更なる結果として、ワイヤーマトリックスは、所望のレベルのセキュリティを提供するだけでなく、クリンプ留めの潜在的に脆弱な連結具がない。さらに、ワイヤーマトリックスは、平滑かつ連続的であり、触知できる（したがって、消費者には望ましくない）、かつキャリングバッグの不要で望ましくない摩耗をもたらす、従来技術の隆起した出っ張りがない。
【００１１】
ワイヤーマトリックスを備えた代表的なセキュリティパネルアセンブリの構造により、従来技術において可能ではない比較的高度の可撓性も可能である。ワイヤーマトリックスの閉鎖ワイヤー形状を形成する複数の結合されていないワイヤー十字交差部は、様々な閉鎖ワイヤー形状内でのワイヤーに対するワイヤーの適度な回転及び／又は摺動を可能にし、付随して所望のレベルの切断抵抗性を提供しながら、全体的なセキュリティパネルアセンブリに適度な可撓性と変形可能性を与える役割を果たす。これは更に、代表的なセキュリティパネルアセンブリが多種多様のキャリングバッグで利用されるのを可能にし、同時に、高度なファッション、及び財布及びショルダーバッグ等、女性用に設計されたキャリングバッグにおける所望のレベルの女性らしさを可能にする。
【００１２】
一実施形態における内部セキュリティパネルアセンブリは、少なくとも１つの切断抵抗ケーブル又はワイヤーが間に配置され、かつ折畳み可能な第１の材料層と第２の材料層との間に適所に縫い合わされた、折畳み可能な少なくとも第１の材料層及び第２の材料層を含む。一形態では、折畳み可能な材料の第１の層及び第２の層の少なくとも一部の周囲に結合材が設けられて、それらの層の間で材料層及び１つ又は複数のワイヤーのマトリックスを更に封入する。別の好ましい形態では、１つ又は複数のワイヤーを固定位置で更に保持するために、層の間に糊又は接着剤を組み込むことができる。さらに、第１の材料層及び第２の材料層は縫い合わされて、１つ又は複数のワイヤーのマトリックスを第１の材料層と第２の材料層との間で所望のアレイで維持するのを容易にする。第１の材料層及び第２の材料層は、通常、折畳み可能な布材料、不織材料又はプラスチック材料である。布及びワイヤーメッシュマトリックスの層から構成されるセキュリティパネルアセンブリは、外部バッグにはめ込み、バッグを形成する外部材料及びライナー材料の中間に配置し、その位置で仮縫いし、その後、バッグの様々な継目又は縁に縫い合わせるか又は他の方法で取り付けることができる。
【００１３】
別の態様では、より剛性のあるバッグ又は容器の外部に沿って、セキュリティパネルアセンブリを提供することができる。この形態では、パネルアセンブリは弾性的に可撓性があるものとすることができ、したがって、剛性容器基部とそのための枢支カバーとの間の蝶番としての役割も果たす。セキュリティパネルアセンブリは、布材料等の仕上げカバーを上に有することができる。
【００１４】
別の特徴として、バッグに又はセキュリティパネルに、キャリーストラップに関連するワイヤーケーブルを締結し、それにより、ストラップ内のワイヤーケーブルをハンドバッグ自体から容易に外すことができないことを確実にすることができる。さらに、バッグへの開口部のためのジッパープル又はファスナープルにおけるクラスプが、バッグをロックするか又はバッグに取り付けられ、それにより、アクセス開口部を容易に開放することができない。
【００１５】
別の態様では、セキュリティパネルアセンブリを形成する方法が提供される。本方法は、第１の材料層を、取付部材を介して実質的に固定された位置に保持することを、好ましい形態では、材料層の開口部を通して固定具の取付釘を、そこを通って取付釘が突出するように挿入することにより、第１の材料層を固定具に保持することを含むことができる。その後、釘の周囲にワイヤーが所定パターンで配索される。そして、第２の材料層が、その開口部を取付釘に位置合わせすることができるように向けられ、かつ第２の材料層は、釘が材料層の開口部を通って延在するように釘の上に配置される。層は、それらの間の接着剤が材料層とそれらの間のワイヤーとを互いに対して固定して保持するのに有効であるように、互いに付勢される。本明細書ではセキュリティパネルアセンブリを形成するために単一ワイヤーを有利に採用することができるが、本方法は、単一ワイヤーに限定されず、代わりに、材料層の間で複数のワイヤーを固定することができることが明白である。さらに、ワイヤーは金属材料とすることができるが、Ｖｅｃｔｒａｎ（商標）等の切断抵抗性のヤーン材料とすることもできる。さらに、材料層は、布材料、不織材料又は薄いプラスチック材料等、可撓性の折畳み可能な材料のパネルとすることができ、パネルは、第１の材料層又はパネルに対する不織材料の使用及び第２の材料層又はパネルに対する織布材料の使用等、互いに異なる材料とすることができる。
【００１６】
そして、材料層とそれらの間の１つ又は複数のワイヤーのラミネートが、１つ又は複数のワイヤーを材料層の間の適所に永久的に更に固定するように縫い付けられる。これに関して、縫付は、ランダムな位置で、かつ材料層の外周部で行うことができる。さらに、キャリングバッグ内にセキュリティパネルアセンブリを取り付けるのに使用するために、パネルアセンブリの一端又は両端及び／又は一面又は両面に、翼又はより小型のタブの形式等の１つ又は複数の接続パネルを縫い付けることができる。
【００１７】
代替形態として、第２の材料層は、取付釘と位置合せされる開口部を含む必要がない。むしろ、材料層は、取付釘と位置合わせされるために外周縁においてそれに対して開放するように形成されたＶ字型開口部等の切欠きを含むことができる。このように、取付釘は、第２の材料層の開口部にはまり込む必要はなく、それにより、本明細書におけるセキュリティパネルアセンブリに対する組立時間が短縮される。
【００１８】
したがって、本発明の目的は、バッグを形成する外部材料が、魅力のある、可撓性がある布材料とすることができる、セキュリティキャリーストラップを有する、セキュリティ型バッグ又はハンドバッグを提供することである。
【００１９】
本発明の更に別の目的は、バッグの中身を保護するため、かつ内部へのアクセスを安全にするようにバッグの切断又は切込みを防止するために、特にハンドバッグの１つ若しくは複数の内部仕切り部又はポケット内に、ワイヤー及びケーブルが組み込まれている非常に安全なハンドバッグを提供することである。
【００２０】
本発明の更に別の目的は、バッグが「ひったくられる」のを防止するように、柱若しくは椅子又は他の何らかの物体の周囲に安全な方法で、容易に取外し、再度取り付け、締結することができるキャリーストラップを有する非常に安全なハンドバッグを提供することである。本発明の別の目的は、妥当な値段であり、非常に安全であり、目立ちすぎる特徴がなく、組立又は製造が適度に容易である、安全なハンドバッグ構造を提供することである。
【００２１】
キャリングバッグの内部に配置されるセキュリティパネルアセンブリの代表的な実施形態は、第１の可撓性材料層と、第１の可撓性材料層に結合された第２の可撓性材料層と、第１の可撓性材料層と第２の可撓性材料層との間に配置されたワイヤーマトリックスとを備え、ワイヤーマトリックスは、複数の閉鎖ワイヤー形状を形成する複数のワイヤー十字交差部を備え、各ワイヤー十字交差部は、互いに当接するが結合されていないワイヤーの少なくとも２つの部分を備える。
【００２２】
代表的な実施形態では、ワイヤーマトリックスは、複数のワイヤー十字交差部を形成する所定パターンで配索された単一ワイヤーから構成される。複数の閉鎖ワイヤー形状は、例えば、正方形、矩形、菱形、偏菱形、平行四辺形、三角形及びそれらの組合せからなる群から選択された少なくとも１つの形状を含むことができる。代表的な実施形態では、第２の可撓性材料層は、鋸歯又は別のパターン等のパターンを有する複数のステッチにより、第１の可撓性材料層に結合される。別の代表的な実施形態では、第２の可撓性材料層は、矩形ステッチパターン、円形ステッチパターン、菱形ステッチパターン、バータックステッチパターン及びそれらの組合せを用いる等、複数の閉鎖ワイヤー形状の閉鎖ワイヤー形状のうちの１つ又は複数内でかつワイヤーマトリックスと交差することなく、複数のステッチにより第１の可撓性材料層に結合される。
【００２３】
別の代表的な実施形態では、第１の可撓性材料層の周縁部に隣接して、ワイヤーマトリックスは、第１の可撓性材料層の周縁部から間隔を空けて配置された複数の曲げ又は湾曲部分として配置される。例えば、ワイヤーマトリックスは、ワイヤーマトリックスの曲げ又は湾曲部分より更に周縁部から離れかつ第１の可撓性材料層の中心により近く間隔を空けて配置された第１の端部及び第２の端部を有する単一ワイヤーから構成することができる。さらに、単一ワイヤーの第１の端部若しくは第２の端部に、又は単一ワイヤーの第１の端部及び第２の端部の両方に、少なくとも１つのポリマーキャップを結合することができる。
【００２４】
別の代表的な実施形態では、セキュリティパネルアセンブリは複数のサブパネルから構成することができ、各サブパネルは、ワイヤーマトリックスの複数の部分のうちの１つの部分を有する。例えば、複数のサブパネルのうちの隣接するサブパネルの間で、ワイヤーマトリックスはいかなる閉鎖ワイヤー形状もない単一ワイヤーから構成することができる。こうしたセキュリティパネルアセンブリは、ガセット状形態を形成するため等、閉鎖又は圧縮形態にかつ開放又は拡張形態に、隣接するサブパネルの間で折畳み可能である。
【００２５】
代表的なセキュリティパネルは、第２の可撓性材料層をワイヤーマトリックスにかつ第１の可撓性材料層に結合する接着剤、又はセキュリティパネルアセンブリをキャリングバッグの内部に固定する少なくとも１つのタブ、フランジ又はパネル部材を更に備えることができる。代替的に、第１の可撓性材料層及び／又は第２の可撓性材料層は、セキュリティパネルアセンブリをキャリングバッグの内部に固定する複数のタブ、フランジ又はパネル部材を形成する複数の縁を更に備えることができる。
【００２６】
代表的な実施形態では、セキュリティパネルは、ボックス形状に折畳み可能とすることができる。例えば、セキュリティパネルアセンブリは、キャリングバッグの拡張パネルを形成するようにガセットに折畳み可能とすることができる。別の例として、第１の可撓性材料層、ワイヤーマトリックス及び第２の可撓性材料層は、大文字「Ｉ」の形態で構成し、ボックス形状に折畳み可能とすることができ、それはまた、第２の可撓性材料層に結合された複数の予め縫い合わされたフランジ又はパネル部材を含むことができ、各予め縫い合わされたフランジ又はパネル部材は、セキュリティパネルアセンブリがボックス形状に折り畳まれたときに対応する隅に配置される。別の例として、第１の可撓性材料層及び第２の可撓性材料層は、各々、セキュリティパネルアセンブリをボックス形状に折り畳むための複数の切欠きを有する星形パターンで構成される。
【００２７】
別の代表的な実施形態では、セキュリティパネルアセンブリは、第１の可撓性材料層と、複数の閉鎖ワイヤー形状を形成する複数のワイヤー十字交差部を備え、各ワイヤー十字交差部は、少なくとも２つの当接し結合されていないワイヤーの部分を含む、ワイヤーマトリックスと、ワイヤーマトリックスに隣接し、かつ複数のステッチにより第１の可撓性材料層に結合された第２の可撓性材料層と、セキュリティパネルアセンブリをキャリングバッグの内部で固定するために第１の可撓性材料層又は第２の可撓性材料層のうちの少なくとも一方に結合された少なくとも１つの可撓性材料フランジとを備えることができる。
【００２８】
セキュリティ拡張パネルも開示される。代表的な実施形態では、セキュリティ拡張パネルは、第１の側面及び第１のワイヤーマトリックスを有する第１のセキュリティパネルアセンブリと、第１の側面及び第２のワイヤーマトリックスを有する第２のセキュリティパネルアセンブリであって、第２のセキュリティパネルアセンブリの第１の側面は、第１のセキュリティパネルアセンブリの第１の側面に枢動可能に又は回転可能に結合されて、セキュリティ拡張パネルの拡張状態及び非拡張状態を提供する、第２のセキュリティパネルアセンブリとを備える。
【００２９】
例えば、第１のセキュリティパネルアセンブリは、第１の面を有する第１の可撓性材料層を更に備えることができ、第１のワイヤーマトリックスは、第１の可撓性材料層の第１の面に配置され、第１のワイヤーマトリックスは、複数の閉鎖ワイヤー形状を形成する複数の第１のワイヤー十字交差部を備え、各第１のワイヤー十字交差部は、互いに当接するが結合されていない第１のワイヤーの少なくとも２つの部分を含む。同様に例えば、第２のセキュリティパネルアセンブリは、第１の面を有する第２の可撓性材料層を更に備えることができ、第２のワイヤーマトリックスは、第２の可撓性材料層の第１の面に配置され、第２のワイヤーマトリックスは、複数の閉鎖ワイヤー形状を形成する複数の第２のワイヤー十字交差部を備え、各第２のワイヤー十字交差部は、互いに当接するが結合されていない第２のワイヤーの少なくとも２つの部分を含む。代表的な実施形態では、第１のワイヤーマトリックスは第１の幅を有し、第２のワイヤーマトリックスは、第１の幅より小さい第２の幅を有する。
【００３０】
代表的な実施形態では、第２のセキュリティパネルアセンブリは、第１のセキュリティパネルアセンブリに対して枢動可能又は回転可能である。例えば、セキュリティ拡張パネルが開放した拡張状態にあるとき、第２のワイヤーマトリックスは第１のワイヤーマトリックスにオーバーラップするか又はその上に重なる。通常、第２のセキュリティパネルアセンブリは、第１のワイヤーマトリックスの第１の側方領域を横切るか又はそれに沿って第１のセキュリティパネルアセンブリに結合される。例えば、第２のセキュリティパネルアセンブリの第２の側面が、第１のセキュリティパネルアセンブリの第２の側面に隣接しない位置まで枢動又は回転し、第２のセキュリティパネルアセンブリが第１のセキュリティパネルアセンブリに実質的に平行であるとき、第２のワイヤーマトリックスの第１の側方領域は、第１のワイヤーマトリックスの第１の側方領域に隣接して配置される。
【００３１】
代表的な実施形態では、第１のセキュリティパネルアセンブリは、第１のワイヤーマトリックスに隣接しかつ第１の可撓性材料層に複数のステッチによって結合された第３の可撓性材料層を更に備え、第２のセキュリティパネルアセンブリは、第２のワイヤーマトリックスに隣接しかつ第２の可撓性材料層に複数のステッチによって結合された第４の可撓性材料層を更に備える。別の代表的な実施形態では、第１のセキュリティパネルアセンブリ及び第２のセキュリティパネルアセンブリの各々は、セキュリティ拡張パネルをキャリングバッグに結合する複数のタブ又はフランジを更に備え、又はセキュリティ拡張パネルをキャリングバッグに結合する１つ又は複数の解除可能な締結具又は蝶番を更に備えることができる。
【００３２】
代表的な実施形態では、セキュリティ拡張パネルは、第１の側面及び第３のワイヤーマトリックスを有する第３のセキュリティパネルアセンブリであって、第３のセキュリティパネルアセンブリの第１の側面は、第１のセキュリティパネルアセンブリの第２の側面に枢動可能に又は回転可能に結合されている、第３のセキュリティパネルアセンブリを更に備えることができる。例えば、第３のセキュリティパネルアセンブリは、第１の面を有する第３の可撓性材料層を更に備えることができ、第３のワイヤーマトリックスは、第３の可撓性材料層の第１の面に配置され、第３のワイヤーマトリックスは、複数の閉鎖ワイヤー形状を形成する複数の第３のワイヤー十字交差部を備え、各第３のワイヤー十字交差部は、互いに当接するが結合されていない第３のワイヤーの少なくとも２つの部分を含む。
【００３３】
代表的な実施形態では、セキュリティ拡張パネルは、第１の側面及び第３のワイヤーマトリックスを有する第３のセキュリティパネルアセンブリと、第１の側面及び第４のワイヤーマトリックスを有する第４のセキュリティパネルアセンブリであって、第４のセキュリティパネルアセンブリの第１の側面は、第３のセキュリティパネルアセンブリの第１の側面に枢動可能に又は回転可能に結合されている、第４のセキュリティパネルアセンブリとを更に備えることができ、第３のセキュリティパネルアセンブリ及び第４のセキュリティパネルアセンブリは、それぞれ第１のセキュリティパネルアセンブリ及び第２のセキュリティパネルアセンブリにそれぞれ長手方向に隣接し、かつ第１のセキュリティパネルアセンブリ及び第２のセキュリティパネルアセンブリにオーバーラップしている。
【００３４】
別の代表的な実施形態では、セキュリティ拡張パネルは、第１の側面を有する第１のセキュリティパネルアセンブリであって、第１のワイヤーマトリックスと第１の面を有する第１の可撓性材料層とを備え、第１のワイヤーマトリックスは第１の可撓性材料層の第１の面に配置され、第１のワイヤーマトリックスは第１の幅を有する、第１のセキュリティパネルアセンブリと、第１の側面を有する第２のセキュリティパネルアセンブリであって、第２のセキュリティパネルアセンブリの第１の側面は、第１のセキュリティパネルアセンブリの第１の側面に枢動可能又は回転可能に結合され、第２のセキュリティパネルアセンブリは、第２のワイヤーマトリックスと第１の面を有する第２の可撓性材料層とを備え、第２のワイヤーマトリックスは、第２の可撓性材料層の第１の面に配置され、第２のワイヤーマトリックスは、第１のワイヤーマトリックスの第１の幅より小さい第２の幅を有する、第２のセキュリティパネルアセンブリとを備える。
【００３５】
別の代表的な実施形態では、セキュリティ拡張パネルは、第１の側面を有する第１のセキュリティパネルアセンブリであって、第１の面を有する第１の可撓性材料層と、第１の可撓性材料層の第１の面に配置された第１のワイヤーマトリックスであって、第１のワイヤーマトリックスは、複数の閉鎖ワイヤー形状を形成する複数の第１のワイヤー十字交差部を備え、各第１のワイヤー十字交差部は、互いに当接するが結合されていない第１のワイヤーの少なくとも２つの部分を含み、第１のワイヤーマトリックスは第１の幅を有する、第１のワイヤーマトリックスとを備える第１のセキュリティパネルアセンブリと、第１の側面を有する第２のセキュリティパネルアセンブリであって、第２のセキュリティパネルアセンブリの第１の側面は、第１のセキュリティパネルアセンブリの第１の側面に枢動可能又は回転可能に結合され、第１の面を有する第２の可撓性材料層と、第２の可撓性材料層の第１の面に配置された第２のワイヤーマトリックスであって、第２のワイヤーマトリックスは、複数の閉鎖ワイヤー形状を形成する複数の第２のワイヤー十字交差部を備え、各第２のワイヤー十字交差部は、互いに当接するが結合されていない第２のワイヤーの少なくとも２つの部分を含み、第２のワイヤーマトリックスは第１の幅より小さい第２の幅を有する、第２のワイヤーマトリックスとを備える第２のセキュリティパネルアセンブリとを備える。
【００３６】
キャリングバッグ用の実質的に切断抵抗性のキャリーストラップもまた開示され、キャリーストラップの代表的な実施形態は、第１の実質的切断抵抗ケーブルと、第２の実質的切断抵抗ケーブルと、実質的に幅より大きい長さを有し、長手方向に延在する中心領域を有し、中心領域の第１の面に沿って長手方向に延在しかつ第１の実質的切断抵抗ケーブルの周囲に横方向に巻き付くことにより、第１の実質的切断抵抗ケーブルを横方向に囲む第１の側方領域を有し、中心領域の第２の面に沿って長手方向に延在しかつ第２の実質的切断抵抗ケーブルの周囲に横方向に巻き付くことにより、第２の実質的切断抵抗ケーブルを横方向に囲む第２の側方領域を有する第１の可撓性材料とを備える。
【００３７】
代表的な実施形態では、第１の側方領域は、第１の側方縁領域と中心領域に隣接する第１の中間領域とを有し、第１の側方縁領域は第１の中間領域に結合され、第２の側方領域は、第２の側方縁領域と中心領域に隣接する第２の中間領域とを有し、第２の側方縁領域は第２の中間領域に結合される。代表的な実施形態では、中心領域は第１の厚さを有し、第１の側方領域及び第２の側方領域は第２の厚さを有し、第１の厚さは第２の厚さより大きい。
【００３８】
別の代表的な実施形態では、中心領域は第１の側縁及び第２の側縁を有し、第１の側方縁領域は、中心領域の第１の側縁に当接し、第２の側方縁領域は、中心領域の第２の側縁に当接する。例えば、中心領域は第１の厚さを有することができ、第１の側方領域及び第２の側方領域は第２の厚さを有することができ、第１の厚さは第２の厚さに等しいか又はそれより２倍超大きく、代替的に、中心領域と第１の側方領域及び第２の側方領域とは、実質的に同じ厚さを有することができる。代表的な実施形態では、第１の可撓性材料は、織布、バリスティックナイロン織布、皮革、不織材料、側縁が仕上げられた織ウェビング材料及びそれらの組合せからなる群から選択された少なくとも１つの材料を含む。
【００３９】
別の代表的な実施形態では、キャリーストラップは、幅より実質的に大きい長さを有する第２の可撓性材料であって、第１の側縁及び第２の側縁に沿って折り畳まれ、第１の可撓性材料の第１の面に結合されている、第２の可撓性材料を更に含むことができる。別の代表的な実施形態では、キャリーストラップは、嵌合窪みを有し、かつ第１の可撓性材料の端部に結合されて、第１の実質的切断抵抗ケーブル及び第２の実質的切断抵抗ケーブルのそれぞれの端部を封入するエンドキャップを更に備えることができる。
【００４０】
別の代表的な実施形態では、実質的に切断抵抗性のキャリーストラップは、実質的に幅より大きい長さを有する第１の可撓性材料であって、その長さに沿って第１の側方縁及び第２の側方縁を有し、その長さに沿って第１の側方領域及び第２の側方領域を有する第１の可撓性材料と、実質的に幅より大きい長さを有する第２の可撓性材料であって、その長さに沿って第１の側方縁及び第２の側方縁を有し、その長さに沿って第１の側方領域及び第２の側方領域を有し、第１の可撓性材料に結合された第２の可撓性材料と、第１の可撓性材料の第１の側方縁又は第１の側方領域に長手方向に結合された第１の実質的切断抵抗ケーブルとを備えることができる。代表的な実施形態では、第１の実質的切断抵抗ケーブルは、第２の可撓性材料の第１の側方縁又は第１の側方領域に長手方向に更に結合することもできる。
【００４１】
代表的な実施形態では、キャリーストラップは、第１の可撓性材料の第１の側方領域に長手方向に結合されかつ第２の可撓性材料の第１の側方領域に長手方向に結合され、第１の実質的切断抵抗ケーブルを封入する第１の縁パイピングを更に備えることができる。別の代表的なキャリーストラップ実施形態では、第１の可撓性材料及び第２の可撓性材料は、互いから横方向にずれて、第１の可撓性材料の第１の側方領域又は第２の側方領域のうちの少なくとも一方と、第２の可撓性材料の第１の側方領域又は第２の側方領域のうちの少なくとも一方とを形成する。例えば、キャリーストラップは、第２の可撓性材料の第２の側方縁又は第２の側方領域に長手方向に結合された第２の実質的切断抵抗ケーブルを更に備えることができる。同様に例えば、第１の可撓性材料の第１の側方領域は、第１の実質的切断抵抗ケーブルの周囲に巻き付けることができ、第１の可撓性材料の第１の側方縁は、第２の可撓性材料の第１の側方縁に隣接して固定され、第２の可撓性材料の第２の側方領域は、第２の実質的切断抵抗ケーブルの周囲に巻き付けることができ、第２の可撓性材料の第２の側方縁は、第１の可撓性材料の第２の側方縁に隣接して固定される。
【００４２】
別の代表的な実施形態では、キャリーストラップは、第１の可撓性材料の第２の側方縁又は第２の側方領域に長手方向に結合されかつ第２の可撓性材料の第２の側方縁又は第２の側方領域に長手方向に結合された第２の実質的切断抵抗ケーブルを更に備えることができ、第１の可撓性材料の第２の側方領域に長手方向に結合されかつ第２の可撓性材料の第２の側方領域に長手方向に結合され、第２の実質的切断抵抗ケーブルを封入する第２の縁パイピングもまた含むことができる。
【００４３】
別の代表的な実施形態では、実質的に切断抵抗性のキャリーストラップは、実質的に第１の幅より大きい第１の長さを有する第１の可撓性材料であって、その長さに沿って第１の側方縁及び第２の側方縁を有し、その長さに沿って第１の側方領域及び第２の側方領域を有し、その長さに沿って第１の側方領域と第２の側方領域との間に中心領域を有する第１の可撓性材料と、第１の可撓性材料の中心領域に長手方向に配置された実質的切断抵抗ケーブルと、実質的に第２の幅より大きい第２の長さを有する第２の可撓性材料であって、第２の幅は第１の幅より小さく、第２の可撓性材料は、実質的切断抵抗ケーブルの上に結合されかつ第１の可撓性材料の第１の中心領域に結合されて、第２の可撓性材料と第１の可撓性材料の中心領域との間で実質的切断抵抗ケーブルを固定する、第２の可撓性材料とを備えることができる。
【００４４】
様々なキャリングバッグも開示されている。代表的な実施形態では、キャリングバッグは、第１の面を有する第１の可撓性材料層と、第１の可撓性材料層の第１の面に配置されたワイヤーマトリックスと、ワイヤーマトリックスに隣接しかつ第１の可撓性材料層に結合された第２の可撓性材料層とを備えた実質的に切断抵抗性のセキュリティパネルアセンブリと、セキュリティパネルアセンブリを囲む、内側仕切り部を有する外部バッグであって、外部バッグの内側仕切り部にアクセスするための少なくとも１つの開口部を含む外部バッグと、少なくとも１つの開口部に結合された第１の締結具と、第１の締結具と外部バッグとの間に取外し可能に結合された第２の締結具であって、閉鎖又は係止形態への第１のばね付勢を有する第２の締結具とを備える。例えば、第２の締結具は、第１の締結具に結合し、かつ外部バッグに結合されたリングに取外し可能に結合することができ、又は第２の締結具は、外部バッグに結合し、かつ第１の締結具に取外し可能に結合することができる。例えば、一次締結具はジッパーとすることができ、二次締結具はクラスプ又はロックカラビナとすることができる。
【００４５】
代表的な実施形態では、ワイヤーマトリックスは、複数の閉鎖ワイヤー形状を形成する複数のワイヤー十字交差部を備え、各ワイヤー十字交差部は、互いに当接するが結合されていないワイヤーの少なくとも２つの部分を備える。例えば、ワイヤーマトリックスは、複数のワイヤー十字交差部を形成するようなパターンで配置された単一ワイヤーから構成することができる。代表的な実施形態では、第２の可撓性層は、複数のステッチにより、又は接着剤により、又は複数のステッチ及び接着剤の両方により、第１の可撓性材料層に結合することができる。
【００４６】
代表的な実施形態では、ワイヤーマトリックスは、金属ワイヤー若しくはケーブル、又は実質的に切断抵抗性のポリマー糸、繊維若しくはヤーン、又は複数の実質的に切断抵抗性のポリマー糸、繊維若しくはヤーンを有する織布若しくは編布から構成することができる。
【００４７】
代表的なキャリングバッグは、拡張パネルを更に備えることができる。代表的な実施形態では、拡張パネルは、第１の側面及び第２のワイヤーマトリックスを有する第２のセキュリティパネルアセンブリと、第１の側面及び第３のワイヤーマトリックスを有する第３のセキュリティパネルアセンブリであって、第３のセキュリティパネルアセンブリの第１の側面は、第２のセキュリティパネルアセンブリの第１の側面に枢動可能に又は回転可能に結合されて、セキュリティ拡張パネルの拡張状態及び非拡張状態を提供する、第３のセキュリティパネルアセンブリとを備える。
【００４８】
例えば、第２のセキュリティパネルアセンブリは、第１の面を有する第２の可撓性材料層を更に備えることができ、第２のワイヤーマトリックスは、第２の可撓性材料層の第１の面に配置され、第２のワイヤーマトリックスは、複数の閉鎖ワイヤー形状を形成する複数の第２のワイヤー十字交差部を備え、各第２のワイヤー十字交差部は、互いに当接するが結合されていない第１のワイヤーの少なくとも２つの部分を含み、第３のセキュリティパネルアセンブリは、第１の面を有する第３の可撓性材料層を更に備えることができ、第３のワイヤーマトリックスは、第３の可撓性材料層の第１の面に配置され、第３のワイヤーマトリックスは、複数の閉鎖ワイヤー形状を形成する複数の第３のワイヤー十字交差部を備え、各第３のワイヤー十字交差部は、互いに当接するが結合されていない第２のワイヤーの少なくとも２つの部分を含む。同様に例えば、第２のワイヤーマトリックスは第１の幅を有することができ、第３のワイヤーマトリックスは、第１の幅より小さい第２の幅を有する。通常、セキュリティ拡張パネルが開放した拡張状態にあるとき、第２のワイヤーマトリックスは第１のワイヤーマトリックスにオーバーラップするか又はその上に重なる。
【００４９】
代表的なキャリングバッグは、第３の締結具に結合されたキャリーストラップであって、第３の締結具は外部バッグに取外し可能に結合され、キャリーストラップは、第１の可撓性材料及び第１の実質的切断抵抗ケーブルを備える、キャリーストラップを更に備えることができる。通常、第３の締結具は、閉鎖又は係止形態への第２のばね付勢を有することができる。例えば、第３の締結具は、ロックカラビナ又はマルチグライドロックスナップフックファスナーとすることができる。代表的な実施形態では、キャリーストラップの第１の可撓性材料は、長さが幅より実質的に大きくかつ長さに沿って第１の縁及び第２の縁を有する、第１のウェビング材料を備え、キャリーストラップは、長さが幅より実質的に大きくかつ長さに沿って第１の縁及び第２の縁を有する第２のウェビング材料であって、第１のウェビング材料に結合された第２のウェビング材料を更に備え、第１の実質的切断抵抗ケーブルは、第１のウェビング材料の第１の縁かつ第２のウェビング材料の第１の縁に長手方向に結合される。
【００５０】
別の代表的な実施形態では、キャリーストラップは、第２の実質的切断抵抗ケーブルを更に備え、第１の可撓性材料は、長さがその幅より実質的に大きく、長手方向に延在する中心領域を有し、中心領域の第１の側に沿って長手方向に延在し、かつ第１の実質的切断抵抗ケーブルを横方向に封止するように第１の実質的切断抵抗ケーブルに横方向に巻き付く第１の側方領域を有し、中心領域の第２の側に沿って長手方向に延在し、かつ第２の実質的切断抵抗ケーブルを横方向に封止するように第２の実質的切断抵抗ケーブルに横方向に巻き付く第２の側方領域を有する。
【００５１】
別の代表的な実施形態では、キャリーストラップの第１の可撓性材料は、第１の幅より実質的に大きい第１の長さを有し、第１の可撓性材料は、その長さに沿って第１の側方縁及び第２の側方縁を有し、その長さに沿って第１の側方領域及び第２の側方領域を有し、かつ第１の側方領域と第２の側方領域との間にその長さに沿って中心領域を有し、第１の実質的切断抵抗ケーブルは、第１の可撓性材料の中心領域において長手方向に配置され、キャリーストラップは、第２の幅より実質的に大きい第２の長さを有する第２の可撓性材料であって、第２の幅は第１の幅より小さく、第２の可撓性材料は、第１の実質的切断抵抗ケーブルの上に結合されかつ第１の可撓性材料の第１の中心領域に結合されて、実質的切断抵抗ケーブルを第２の可撓性材料と第１の可撓性材料の中心領域との間で固定する、第２の可撓性材料を更に備える。
【００５２】
代表的な実施形態では、キャリーストラップの第１の可撓性材料は、織布、バリスティックナイロン織布、皮革、不織材料、側縁が仕上げられた織ウェビング材料、ポリエステル、ポリプロピレン、アクリル樹脂及びそれらの組合せからなる群から選択された少なくとも１つの材料を含む。
【００５３】
別の代表的な実施形態では、キャリングバッグは、第１の面を有する第１の可撓性材料層と、第１の可撓性材料層の第１の面に配置された第１のワイヤーマトリックスと、第１のワイヤーマトリックスに隣接しかつ第１の可撓性材料層に結合された第２の可撓性材料層とを備えた第１の実質的に切断抵抗性のセキュリティパネルアセンブリと、セキュリティパネルアセンブリを封止する内側仕切り部を有する外部バッグであって、外部バッグの内側仕切り部にアクセスするための少なくとも１つの開口部を含む外部バッグと、外部バッグに結合された可撓性セキュリティ拡張パネルであって、外部可撓性材料カバーと第２の実質的に切断抵抗性のセキュリティパネルアセンブリとを備える、可撓性セキュリティ拡張パネルとを備えることができる。代表的なキャリングバッグは、少なくとも１つの開口部に結合された第１の締結具と、第１の締結具と外部バッグとの間に取外し可能に結合された第２の締結具であって、閉鎖又は係止形態への第１のばね付勢を有する第２の締結具と、第３の締結具に結合されたキャリーストラップであって、第３の締結具は外部バッグに取外し可能に結合され、第３の締結具は閉鎖又は係止形態への第２のばね付勢を有し、キャリーストラップは、第１の可撓性材料及び第１の実質的切断抵抗ケーブルを備える、キャリーストラップとを更に備えることができる。
【００５４】
別の代表的な実施形態では、キャリングバッグは、第１の実質的に切断抵抗性のセキュリティパネルアセンブリと、セキュリティパネルアセンブリを封止する内側仕切り部を有する外部バッグであって、外部バッグの内側仕切り部にアクセスするための少なくとも１つの開口部を含む外部バッグと、外部バッグに結合された可撓性セキュリティ拡張パネルであって、外部可撓性材料カバーと第２の実質的に切断抵抗性のセキュリティパネルアセンブリとを備える、可撓性セキュリティ拡張パネルと、少なくとも１つの開口部に結合された第１の締結具と、第１の締結具と外部バッグとの間に取外し可能に結合された第２の締結具であって、閉鎖又は係止形態への第１のばね付勢を有する第２の締結具と、第３の締結具に結合されたキャリーストラップであって、第３の締結具は外部バッグに取外し可能に結合され、キャリーストラップは、第１の可撓性材料及び第１の実質的切断抵抗ケーブルを備える、キャリーストラップとを備えることができる。
【００５５】
別の代表的な実施形態では、拡張可能なキャリングバッグは、複数の中身を保持する内部区画を形成するように構成された本体構成要素と、第１の面において本体構成要素に少なくとも部分的に結合され、かつ内部区画にアクセスしかつそれを囲むように本体構成要素に取外し可能に結合可能な１つ又は複数の第２の面を有する、副体構成要素と、本体構成要素に又は副体構成要素に結合可能な可撓性セキュリティ拡張パネルであって、外部可撓性材料カバー及びセキュリティパネルアセンブリを備えるセキュリティ拡張パネルとを備えることができる。例えば、本体構成要素及び副体構成要素は、硬質ポリマー材料又は可撓性材料から構成することができる。同様に例えば、セキュリティパネルアセンブリは、外部可撓性材料カバーと一体化することができる。
【００５６】
別の代表的な実施形態では、拡張可能なキャリングバッグは、複数の中身を保持する内部区画を形成するように構成された本体構成要素と、第１の面において本体構成要素に少なくとも部分的に結合され、かつ内部区画にアクセスしかつそれを囲むように本体構成要素に取外し可能に結合可能な１つ又は複数の第２の面を有する、副体構成要素と、本体構成要素に又は副体構成要素に結合可能な可撓性セキュリティ拡張パネルであって、外部可撓性材料カバー及びセキュリティパネルアセンブリを備え、セキュリティパネルアセンブリは、第１の側面及び第１のワイヤーマトリックスを有する第１のセキュリティパネルサブアセンブリと、第１の側面及び第２のワイヤーマトリックスを有する第２のセキュリティパネルサブアセンブリであって、第２のセキュリティパネルサブアセンブリの第１の側面は、第１のセキュリティパネルサブアセンブリの第１の側面に枢動可能に又は回転可能に結合されて、セキュリティ拡張パネルの拡張状態及び非拡張状態を提供する、第２のセキュリティサブアセンブリとを備えるセキュリティ拡張パネルとを備えることができる。
【００５７】
更に別の代表的な実施形態では、拡張可能なキャリングバッグは、複数の中身を保持する内部区画を形成するように構成された本体構成要素と、第１の面において本体構成要素に少なくとも部分的に結合され、かつ内部区画にアクセスしかつそれを囲むように本体構成要素に取外し可能に結合可能な１つ又は複数の第２の面を有する、副体構成要素と、本体構成要素に又は副体構成要素に結合可能な可撓性セキュリティ拡張パネルであって、外部可撓性材料カバー及びセキュリティパネルアセンブリを備える可撓性セキュリティ拡張パネルと、本体構成要素及び副体構成要素に結合された第１の締結具と、第１の締結具と本体構成要素及び副体構成要素の一方又は両方との間に取外し可能に結合された第２の締結具であって、閉鎖又は係止形態への第１のばね付勢を有する第２の締結具と、第３の締結具に結合されたキャリーストラップであって、第３の締結具は本体構成要素及び副体構成要素の一方又は両方に取外し可能に結合され、キャリーストラップは、第１の可撓性材料及び第１の実質的切断抵抗ケーブルを備える、キャリーストラップとを備えることができる。
【００５８】
こうしたセキュリティパネルアセンブリを製造する方法もまた開示されており、本方法は、第１のワイヤーを第１の可撓性材料層に第１の所定パターンで配索することと、第２のワイヤーを第２の可撓性材料層に第２の所定パターンで配索することと、第２のワイヤーを有する第２の材料層を第１の所定パターンに対して実質的に直交するように第２の所定パターンで位置決めすることと、第２のワイヤーを有する位置決めされた第２の可撓性材料層を、第１のワイヤーを有する第１の可撓性材料層に結合してセキュリティパネルアセンブリを形成することとを含む。
【００５９】
セキュリティパネルアセンブリを製造する方法もまた開示され、代表的な方法は、単一ワイヤーを、第１の材料層の上方に面する第１の表面の上方に所定パターンで配索することによりワイヤーマトリックスを形成することであって、ワイヤーは第１の端部及び第２の端部を有し、ワイヤーマトリックスは、複数の閉鎖ワイヤー形状を形成する複数のワイヤー十字交差部を備え、各ワイヤー十字交差部は、互いに当接するが結合されないワイヤーの少なくとも２つの部分を含むことと、第２の材料層の第１の面をワイヤーマトリックス及び第１の材料層に結合してセキュリティパネルアセンブリを形成することとを含む。
【００６０】
代表的な実施形態では、結合するステップは、第１の材料層又は第２の材料層の予め塗布された接着剤を露出させることからなることができる、接着剤を塗布することを更に含む。結合するステップは、第２の材料層に下向きの圧力をかけることを更に含むことができる。
【００６１】
代表的な実施形態では、本方法は、ワイヤーを配索する前に、複数の取付部材を有する固定具に第１の材料層を取り付けることを更に含むことができる。取付部材は、複数の取付釘又は針を備えることができる。取り付けるステップは、第１の材料層の対応する開口部に複数の取付部材をはめ込むことを更に含むことができる。配索ステップは、取付部材の周囲に所定パターンでワイヤーを配索して、複数のワイヤー十字交差部を形成することを更に含むことができる。
【００６２】
代表的な実施形態では、本方法は、鋸歯パターン等の所定パターンを有する複数のステッチで、第２の可撓性材料層を第１の可撓性材料層に縫い合わせることを更に含むことができる。別の代表的な実施形態では、本方法は、矩形ステッチパターン、円形ステッチパターン、菱形ステッチパターン、バータックステッチパターン及びそれらの組合せを用いる等、複数の閉鎖ワイヤー形状の閉鎖ワイヤー形状のうちの１つ又は複数内で少なくとも１つのステッチパターンを用いて、ワイヤーマトリックスと交差せずに、第１の可撓性材料層に第２の可撓性材料層を縫い合わせることを更に含むことができる。
【００６３】
代表的な実施形態では、配索ステップは、第１の可撓性材料層の周縁部に隣接しかつそこから間隔を空けて配置されたワイヤーマトリックスの複数の曲げ又は湾曲部分を形成するようにワイヤーを配索すること、複数の安定化アンカーを結合することであって、各安定化アンカーはワイヤーマトリックスの曲げ又は湾曲部分に結合されること、及び／又は第１の端部及び第２の端部を、ワイヤーマトリックスの曲げ又は湾曲部分より更に周縁部から離れかつ第１の可撓性材料層の中心により近くに間隔を空けて配置されるようにワイヤーを配索することとを更に含むことができる。代表的な実施形態では、本方法は、単一ワイヤーの第１の端部に若しくは第２の端部に、又は単一ワイヤーの第１の端部及び第２の端部の両方に、少なくとも１つのポリマーキャップを結合することを更に含むことができる。
【００６４】
別の代表的な実施形態では、配索ステップは、ワイヤーを所定パターンで配索して複数のサブパネルを形成することであって、各サブパネルはワイヤーマトリックスの複数の部分のうちの１つの部分を有することと、いかなる閉鎖ワイヤー形状もなしに複数のサブパネルのうちの隣接するサブパネルの間に単一の十字交差部を形成することとを更に含むことができる。代表的な実施形態では、本方法は、隣接するサブパネルを閉鎖若しくは圧縮形態に又は開放若しくは拡張形態に折り畳むこと、又は隣接するサブパネルを折り畳んでガセット状形態を形成することを更に含むことができる。
【００６５】
別の代表的な実施形態では、本方法は、ワイヤーを配索する前に、第１の材料層の第２の面にタブ、フランジ又はパネル部材を取り付けること、及び／又は第２の材料層の第２の面にタブ、フランジ又はパネル部材を取り付けることを更に含むことができる。代表的な実施形態では、本方法は、第２の材料層を結合する前に、複数の予め縫い合わされたフランジ又はパネル部材を、第２の可撓性材料層の第２の面上の、セキュリティパネルアセンブリがボックス形状に折り畳まれるとき、各予め縫い合わされたフランジ又はパネル部材が対応する隅に配置される位置に取り付けることを更に含むことができる。
【００６６】
別の代表的な実施形態では、第１の可撓性材料層は、第１の複数の縁を更に備え、本方法は、第１の複数の縁を用いて、セキュリティパネルアセンブリをキャリングバッグの内部（キャリングバッグの中心継目及び底縁継目内を含む）に固定する、複数のフランジ又はパネル部材を形成することを更に含むことができる。別の代表的な実施形態では、第２の可撓性材料層は、第２の複数の縁を更に備え、本方法は、第２の複数の縁を用いて、セキュリティパネルアセンブリをキャリングバッグの内部（同様にキャリングバッグの中心継目及び底縁継目内を含む）に固定する、複数のフランジ又はパネル部材を形成することを更に含むことができる。
【００６７】
代表的な実施形態では、本方法は、セキュリティパネルアセンブリをボックス形状に折り畳むことを更に含むことができ、折り畳まれたセキュリティパネルアセンブリの複数の面をリベット留めしてボックス形状を維持することも含むことができる。
【００６８】
代表的な実施形態では、本方法は、ワイヤーマトリックスをクリンプ留めすることを含まない。
【００６９】
別の代表的な実施形態では、本方法は、タブ、フランジ又はパネル部材を第１の材料層に又は第２の材料層に形成するか又は取り付けることと、複数の取付部材を有する固定具に第１の材料層を取り付けることと、第１の材料層の上方に面する第１の表面に接着剤を塗布するか又は予め塗布された接着剤を露出させることと、単一ワイヤーを所定パターンで取付部材の周囲にかつ第１の材料層の上方に面する第１の表面の上方に配索してワイヤーマトリックスを形成することであって、ワイヤーは、第１の端部及び第２の端部を有し、ワイヤーマトリックスは、複数の閉鎖ワイヤー形状を形成する複数のワイヤー十字交差部を備え、各ワイヤー十字交差部は、互いに当接するが結合されないワイヤーの少なくとも２つの部分を含むことと、下向きの圧力をかけることにより、第２の材料層の第１の面とワイヤーマトリックス及び第１の材料層を結合してセキュリティパネルアセンブリを形成することと、所定パターンを有する複数のステッチにより第２の可撓性材料層を第１の可撓性材料層に縫い合わせることとを含むことができる。
【００７０】
別の代表的な実施形態では、本方法は、タブ、フランジ又はパネル部材を第１の材料層に又は第２の材料層に形成するか又は取り付けることと、複数の取付部材を有する固定具に第１の材料層を取り付けることと、第１の材料層の上方に面する第１の表面に接着剤を塗布するか又は予め塗布された接着剤を露出させることと、単一ワイヤーを所定パターンで取付部材の周囲にかつ第１の材料層の上方に面する第１の表面の上方に配索して、第１の可撓性材料層の周縁部に隣接してかつそこから間隔を空けて配置された複数の曲げ又は湾曲部分を有し、かつ曲げ又は湾曲部分より更に周縁部から離れかつ第１の可撓性材料層の中心により近く単一ワイヤーの第１の端部及び第２の端部を更に有するワイヤーマトリックスを形成することであって、ワイヤーマトリックスは、複数の閉鎖ワイヤー形状を形成する複数のワイヤー十字交差部を更に備え、各ワイヤー十字交差部は、互いに当接するが結合されないワイヤーの少なくとも２つの部分を含むことと、少なくとも１つのポリマーキャップを単一ワイヤーの第１の端部若しくは第２の端部に、又は単一ワイヤーの第１の端部及び第２の端部の両方に結合することと、下向きの圧力をかけることにより、第２の材料層の第１の面とワイヤーマトリックス及び第１の材料層を結合してセキュリティパネルアセンブリを形成することと、所定パターンを有する複数のステッチにより第２の可撓性材料層を第１の可撓性材料層に縫い合わせることとを含むことができる。
【００７１】
本発明の多数の他の利点及び特徴は、本発明及びその実施形態の以下の詳細な説明から、特許請求の範囲から、並びに添付の図面から容易に明らかとなろう。
【００７２】
本発明の目的、特徴及び利点は、添付の図面とともに考慮するとき、以下の開示を参照してより容易に理解されよう。図面では、それぞれの図において同様の参照符号を用いて同一の構成要素が識別されており、アルファベット文字を伴う参照符号は、それぞれの図において選択された構成要素実施形態の更なるタイプ、実例又は変形を識別するために利用される。
【図面の簡単な説明】
【００７３】
【図１】代表的な実施形態の様々な特徴を組み込んだ典型的なハンドバッグの正面立面図である。
【図２】外部バッグによって形成された仕切り部内に内部セキュリティ挿入物を形成する、広げられた状態での図３のセキュリティパネルアセンブリの代表的な実施形態の等角図である。
【図３】製作され、その後、図４に示すように外部バッグに、より詳細には、外部バッグの外層を形成する材料と外部バッグの裏張りとの間の外部バッグの内側仕切り部に挿入される、内部セキュリティパネルアセンブリの等角図である。
【図４】図１の外部バッグ構造内の図３の折り畳まれたセキュリティパネルアセンブリの配置を示す等角切欠図である。
【図４Ａ】キャリーストラップの代表的な第１の実施形態の断面図である。
【図５】図３に示すタイプの内部セキュリティパネルアセンブリの代表的な第１の実施形態の構築における第１のステップを示す等角図である。
【図６】内部セキュリティパネルアセンブリの代表的な第１の実施形態の構築における次のステップの等角図である。
【図７】内部セキュリティパネルアセンブリの代表的な第１の実施形態の組立ステップの更なる等角図である。
【図８】内部セキュリティパネルアセンブリの代表的な第１の実施形態の製造の連続したステップを示す等角図である。
【図９】内部セキュリティパネルアセンブリの代表的な第１の実施形態に関連する更なる製造ステップの等角図である。
【図１０】内部セキュリティパネルアセンブリの代表的な第１の実施形態の製造における連続したステップを順次示す等角図である。
【図１１】内部セキュリティパネルアセンブリの代表的な第１の実施形態の製造における連続したステップを順次示す等角図である。
【図１２】内部セキュリティパネルアセンブリの代表的な第１の実施形態の製造における連続したステップを順次示す等角図である。
【図１３】内部セキュリティパネルアセンブリの代表的な第１の実施形態の製造における連続したステップを順次示す等角図である。
【図１４】内部セキュリティパネルアセンブリの代表的な第１の実施形態の製造における連続したステップを順次示す等角図である。
【図１５】内部セキュリティパネルアセンブリの代表的な第１の実施形態の製造における連続したステップを順次示す等角図である。
【図１６】内部セキュリティパネルアセンブリの代表的な第１の実施形態の製造における連続したステップを順次示す等角図である。
【図１７】例示的なハンドバッグの代表的な実施形態のキャリーストラップに関連するセキュリティ機能として、カラビナ又は蝶番式ロック矩形リングの代表的な実施形態を含むこと及びその位置決めを示す等角図である。
【図１８】図１７の例示的なハンドバッグの第１の実施形態のカラビナ構造の拡大等角図である。
【図１８Ａ】図１７の例示的なハンドバッグの代替的な第２の実施形態の蝶番式ロック矩形リング構造の拡大等角図である。
【図１８Ｂ】図１７の例示的なハンドバッグの代替的な第３の実施形態のマルチグライド（multi-glide）ロックスナップフックファスナーの拡大等角図である。
【図１９】ジッパー機構に対するセキュリティクラスプの第１の実施形態の拡大等角図である。
【図１９Ａ】ジッパー機構に対するセキュリティクラスプの第１の実施形態の拡大等角図である。
【図１９Ｂ】ジッパー機構に対するセキュリティクラスプの第１の実施形態の拡大等角図である。
【図２０】セキュリティパネルアセンブリの別の代表的な第２の実施形態の製造におけるステップを示す等角図である。
【図２１】セキュリティパネルアセンブリの別の代表的な第２の実施形態の製造におけるステップを示す等角図である。
【図２２】セキュリティパネルアセンブリの別の代表的な第２の実施形態の製造におけるステップを示す等角図である。
【図２３】セキュリティパネルアセンブリの別の代表的な第２の実施形態の製造におけるステップを示す等角図である。
【図２４】セキュリティパネルアセンブリの別の代表的な第２の実施形態の製造におけるステップを示す等角図である。
【図２５】剛性バッグ応用で使用されるセキュリティパネルアセンブリの第３の実施形態の等角図である。
【図２６】剛性バッグを閉鎖するカバー部材に沿ってバッグフレームの底部から上に延在するパネルアセンブリを示す部分概略図である。
【図２７】セキュリティパネルアセンブリの様々な代表的な実施形態で使用される切断抵抗ケーブルのパターンを示す図である。
【図２８】カバー部材のプレート用の補強ワイヤーを示す図である。
【図２９】セキュリティパネルアセンブリの別の代表的な第４の実施形態の製造におけるステップを示す等角図である。
【図３０】セキュリティパネルアセンブリの別の代表的な第４の実施形態の製造におけるステップを示す等角図である。
【図３１】セキュリティパネルアセンブリの別の代表的な第４の実施形態の製造におけるステップを示す等角図である。
【図３２】セキュリティパネルアセンブリの別の代表的な第４の実施形態の製造におけるステップを示す等角図である。
【図３３Ａ】セキュリティパネルアセンブリの別の代表的な第４の実施形態の製造におけるステップを示す等角図である。
【図３３Ｂ】セキュリティパネルアセンブリの別の代表的な第４の実施形態の製造におけるステップを示す等角図である。
【図３４】セキュリティパネルアセンブリの別の代表的な第４の実施形態の製造におけるステップを示す等角図である。
【図３５】セキュリティパネルアセンブリの別の代表的な第４の実施形態の製造におけるステップを示す等角図である。
【図３６】セキュリティパネルアセンブリの別の代表的な第４の実施形態の製造におけるステップを示す等角図である。
【図３７】代表的なキャリングバッグ実施形態の様々な特徴を組み込んだ別の典型的な財布又はショルダーバッグの等角図である。
【図３７Ａ】図３７のキャリングバッグのロックカラビナに結合されたジッパープルタブの拡大等角図である。
【図３８】代表的なキャリングバッグ実施形態の様々な特徴を組み込んだ財布又はショルダーバッグのフロントポケット又はサイドポケットの等角図である。
【図３８Ａ】開放位置で示すジッパー機構に対するセキュリティクラスプの第２の実施形態の拡大等角図である。
【図３８Ｂ】閉鎖位置で示すジッパー機構に対するセキュリティクラスプの第２の実施形態の拡大等角図である。
【図３８Ｃ】閉鎖位置で示すジッパー機構に対するセキュリティクラスプの第３の実施形態の拡大等角図である。
【図３９】図３７の外部バッグ構造内のセキュリティパネルアセンブリの配置を示す典型的な財布又はショルダーバッグの等角切欠図である。
【図４０】閉鎖位置にある蝶番式ロック矩形リングの代表的な第１の実施形態の等角図である。
【図４１】開放位置にある蝶番式ロック矩形リングの代表的な第１の実施形態の等角図である。
【図４２】開放位置にある蝶番式ロック矩形リングの代表的な第２の実施形態の等角図である。
【図４３】閉鎖位置にある蝶番式ロック矩形リングの代表的な第３の実施形態の等角図である。
【図４４】閉鎖位置にあるマルチグライドロックスナップフックファスナーの等角図を示す写真である。
【図４５】キャリーストラップの代表的な第２の実施形態の等角図である。
【図４６】キャリーストラップの代表的な第３の実施形態の等角図である。
【図４７】キャリーストラップの代表的な実施形態に対する第１の仕上げステップ及び第２の仕上げステップの等角図である。
【図４８】キャリーストラップの代表的な実施形態の第３の仕上げステップの側面図である。
【図４９】キャリーストラップの代表的な第４の実施形態の製造におけるステップを示す等角図である。
【図５０】キャリーストラップの代表的な第４の実施形態を示す等角図である。
【図５１】キャリーストラップの代表的な第４の実施形態の断面図である。
【図５２】フラットエンドキャップを備えたキャリーストラップの代表的な第４の実施形態の等角図である。
【図５３】ラダーロック型バックルに関連するキャリーストラップの代表的な第４の実施形態の等角図である。
【図５４】キャリーストラップの代表的な第５の実施形態の等角図である。
【図５５】第１の形態及び第１の厚さ構成を有するキャリーストラップの代表的な第５の実施形態の断面図である。
【図５６】第２の形態及び第２の厚さ構成を有するキャリーストラップの代表的な第５の実施形態の断面図である。
【図５７】第２の形態及び第１の厚さ構成を有するキャリーストラップの代表的な第５の実施形態の断面図である。
【図５８】キャリーストラップの代表的な第６の実施形態の等角図である。
【図５９】キャリーストラップの代表的な第７の実施形態の等角図である。
【図６０】キャリーストラップの代表的な第８の実施形態の等角図である。
【図６１】キャリーストラップの代表的な第９の実施形態の等角図である。
【図６２】セキュリティパネルアセンブリの第４の実施形態の製造における代替的なステップを示す等角図である。
【図６３】セキュリティパネルアセンブリの追加の代表的な第５の実施形態を形成するように、セキュリティパネルアセンブリの様々な代表的な実施形態のうちの任意のものの製造におけるワイヤーマトリックスを固定する様々な代替的な及び／又は追加のステップを示す等角図である。
【図６４】セキュリティパネルアセンブリの追加の代表的な第６の実施形態を形成するように、セキュリティパネルアセンブリの様々な代表的な実施形態のうちの任意のものの製造におけるワイヤーマトリックスを固定する様々な代替的な及び／又は追加のステップを示す等角図である。
【図６５】セキュリティパネルアセンブリの追加の代表的な第７の実施形態を形成するように、セキュリティパネルアセンブリの様々な代表的な実施形態のうちの任意のものの製造におけるワイヤーマトリックスを固定する様々な代替的な及び／又は追加のステップを示す等角図である。
【図６６】セキュリティパネルアセンブリの追加の代表的な第８の実施形態を形成するように、セキュリティパネルアセンブリの様々な代表的な実施形態のうちの任意のものの製造におけるワイヤーマトリックスを固定する様々な代替的な及び／又は追加のステップを示す等角図である。
【図６７】セキュリティパネルアセンブリの様々な更なる代表的な非金属の、切断抵抗性のヤーン又は繊維ベースの実施形態を示す等角図である。
【図６８】セキュリティパネルアセンブリの様々な更なる代表的な非金属の、切断抵抗性のヤーン又は繊維ベースの実施形態を示す等角図である。
【図６９】セキュリティパネルアセンブリの様々な更なる代表的なワイヤーマトリックス実施形態を示す等角図である。
【図７０】セキュリティパネルアセンブリの様々な更なる代表的なワイヤーマトリックス実施形態を示す等角図である。
【図７１】一種のキャリングバッグとしてのかつ拡張パネルを有する、小型又は非拡張形態にある、柔らかい面をもつトラベルバッグの更なる第２の実施形態を示す切欠等角図である。
【図７２】一種のキャリングバッグとしてのかつ拡張パネルを有する、拡張形態にある、柔らかい面をもつトラベルバッグの第２の実施形態を示す等角図である。
【図７３】一種のキャリングバッグとしてのかつ拡張パネルを有する、小型又は非拡張形態にある、硬い面をもつ（hard-sided）トラベルバッグの更なる第３の実施形態を示す等角図である。
【図７４】一種のキャリングバッグとしてのかつ拡張パネルを有する、拡張形態にある、硬い面をもつトラベルバッグの第３の実施形態を示す等角図である。
【図７５】セキュリティパネルアセンブリを組み込んだ拡張パネルの代表的な実施形態を示す拡大等角図である。
【図７６】一種のキャリングバッグとしての、かつキャリングバッグ内にセキュリティパネルアセンブリを組み込んだ拡張パネルの代表的な結合を示す、柔らかい面をもつトラベルバッグの第２の実施形態の内部区画を示す等角図である。
【図７７】一種のキャリングバッグとしての、かつキャリングバッグ内にセキュリティパネルアセンブリを組み込んだ拡張パネルの代表的な結合を示す、柔らかい面をもつトラベルバッグの第２の実施形態の内部区画を示す等角図である。
【図７８】２つのセキュリティパネルサブアセンブリを組み込んだ拡張パネルセキュリティパネルアセンブリの代表的な実施形態の製造におけるステップを示す等角図である。
【図７９】２つのセキュリティパネルサブアセンブリを組み込んだ拡張パネルセキュリティパネルアセンブリの代表的な実施形態の製造におけるステップを示す等角図である。
【図８０】２つ以上のセキュリティパネルサブアセンブリを組み込んだ拡張パネルセキュリティパネルアセンブリの代表的な実施形態を示す等角図である。
【図８１】２つ以上のセキュリティパネルサブアセンブリを組み込んだ拡張パネルセキュリティパネルアセンブリの代表的な実施形態を示す断面図である。
【図８２】２つ以上のセキュリティパネルサブアセンブリを組み込んだ拡張パネルセキュリティパネルアセンブリの代表的な実施形態を示す等角図である。
【図８３】２つ以上のセキュリティパネルサブアセンブリを組み込んだ拡張パネルセキュリティパネルアセンブリの代表的な実施形態を示す断面図である。
【図８４】２つ以上のセキュリティパネルサブアセンブリを組み込んだ拡張パネルセキュリティパネルアセンブリの代表的な実施形態を示す等角図である。
【図８５】２つのセキュリティパネルサブアセンブリを組み込んだ拡張パネルセキュリティパネルアセンブリの代表的な実施形態を有する、開放形態にある代表的なキャリーバッグを示す等角図である。
【図８６】２つのセキュリティパネルサブアセンブリを組み込んだ拡張パネルセキュリティパネルアセンブリの代表的な実施形態を有する、閉鎖形態にある代表的なキャリーバッグを示す等角図である。
【図８７】２つのセキュリティパネルサブアセンブリを組み込んだ拡張パネルセキュリティパネルアセンブリの代表的な実施形態を有する、閉鎖形態にある代表的なキャリーバッグを示す等角図である。
【図８８】２つのセキュリティパネルサブアセンブリを組み込んだ拡張パネルセキュリティパネルアセンブリの代表的な実施形態を有する、開放形態にある代表的なキャリーバッグを示す等角図である。
【図８９】２つのセキュリティパネルサブアセンブリを組み込んだ拡張パネルセキュリティパネルアセンブリの代表的な実施形態を有する、開放形態にある代表的なキャリーバッグを示す等角図である。
【図９０】セキュリティパネルアセンブリの更なる代表的な第９の実施形態の製造におけるステップを示す等角図である。
【図９１】セキュリティパネルアセンブリの更なる代表的な第９の実施形態の製造におけるステップを示す等角図である。
【図９２】セキュリティパネルアセンブリの更なる代表的な第９の実施形態の製造におけるステップを示す等角図である。
【図９３】セキュリティパネルアセンブリの更なる代表的な第９の実施形態の製造におけるステップを示す等角図である。
【図９４】セキュリティパネルアセンブリの更なる代表的な第９の実施形態の製造におけるステップを示す等角図である。
【図９５】セキュリティパネルアセンブリの更なる代表的な第９の実施形態の製造におけるステップを示す等角図である。
【図９６】図１の外部バッグ構造内の図９５の折り畳まれたセキュリティパネルアセンブリの配置を示す等角切欠図である。
【図９７】セキュリティパネルアセンブリの更なる代表的な第１０の実施形態の製造におけるステップを示す等角図である。
【図９８】セキュリティパネルアセンブリの更なる代表的な第１０の実施形態の製造におけるステップを示す等角図である。
【図９９】セキュリティパネルアセンブリの更なる代表的な第１０の実施形態の製造におけるステップを示す等角図である。
【図１００】セキュリティパネルアセンブリの更なる代表的な第１０の実施形態の製造におけるステップを示す等角図である。
【図１０１】セキュリティパネルアセンブリの更なる代表的な第１０の実施形態の製造におけるステップを示す等角図である。
【図１０２】図１の外部バッグ構造内の図１０１の折り畳まれたセキュリティパネルアセンブリの配置を示す等角切欠図である。
【図１０３】セキュリティパネルアセンブリの更なる代表的な第１１の実施形態の製造におけるステップを示す等角図である。
【図１０４】セキュリティパネルアセンブリの更なる代表的な第１１の実施形態の製造におけるステップを示す等角図である。
【図１０５】セキュリティパネルアセンブリの更なる代表的な第１１の実施形態の製造におけるステップを示す等角図である。
【図１０６】セキュリティパネルアセンブリの更なる代表的な第１１の実施形態の製造におけるステップを示す等角図である。
【図１０７】セキュリティパネルアセンブリの更なる代表的な第１１の実施形態の製造におけるステップを示す等角図である。
【図１０８】セキュリティパネルアセンブリの更なる代表的な第１１の実施形態の製造におけるステップを示す等角図である。
【図１０９】セキュリティパネルアセンブリの更なる代表的な第１１の実施形態の製造におけるステップを示す等角図である。
【図１１０】セキュリティパネルアセンブリの更なる代表的な第１１の実施形態の製造におけるステップを示す等角図である。
【図１１１】図１の外部バッグ構造内の図１１０の折り畳まれたセキュリティパネルアセンブリの配置を示す等角切欠図である。
【図１１２】セキュリティパネルアセンブリの更なる代表的な第１２の実施形態の製造におけるステップを示す等角図である。
【図１１３】セキュリティパネルアセンブリの更なる代表的な第１２の実施形態の製造におけるステップを示す等角図である。
【図１１４】セキュリティパネルアセンブリの更なる代表的な第１２の実施形態の製造におけるステップを示す等角図である。
【図１１５】セキュリティパネルアセンブリの更なる代表的な第１２の実施形態の製造におけるステップを示す等角図である。
【図１１６】セキュリティパネルアセンブリの更なる代表的な第１２の実施形態の製造におけるステップを示す等角図である。
【図１１７】セキュリティパネルアセンブリの更なる代表的な第１２の実施形態の製造におけるステップを示す等角図である。
【図１１８】セキュリティパネルアセンブリの更なる代表的な第１２の実施形態の製造におけるステップを示す等角図である。
【図１１９】セキュリティパネルアセンブリの更なる代表的な第１２の実施形態の製造におけるステップを示す等角図である。
【図１２０】セキュリティパネルアセンブリの更なる代表的な第１２の実施形態の製造におけるステップを示す等角図である。
【図１２１】折畳み位置にある、図１の外部バッグ構造内の図１２０の折り畳まれたセキュリティパネルアセンブリの配置を示す等角切欠図である。
【図１２２】拡張位置にある、図１の外部バッグ構造内の図１１９の折り畳まれたセキュリティパネルアセンブリの配置を示す等角切欠図である。
【図１２３】セキュリティパネルアセンブリの代表的な実施形態の更なる構成又は形態を示す等角図である。
【図１２４】セキュリティパネルアセンブリの代表的な実施形態の更なる構成又は形態を示す等角図である。
【図１２５】セキュリティパネルアセンブリの代表的な実施形態の更なる構成又は形態を示す等角図である。
【図１２６】セキュリティパネルアセンブリの代表的な実施形態の更なる構成又は形態を示す等角図である。
【図１２７】セキュリティパネルアセンブリの代表的な実施形態の更なる構成又は形態を示す等角図である。
【図１２８】セキュリティパネルアセンブリの様々な実施形態、及び結果として得られるセキュリティパネルアセンブリの第１３の実施形態の製造における更なるステップを示す等角図である。
【図１２９】セキュリティパネルアセンブリの様々な実施形態、及び結果として得られるセキュリティパネルアセンブリの第１３の実施形態の製造における更なるステップを示す等角図である。
【図１３０】セキュリティパネルアセンブリの様々な更なる代表的な実施形態を示す等角図である。
【図１３１】セキュリティパネルアセンブリの様々な更なる代表的な実施形態を示す等角図である。
【図１３２】セキュリティパネルアセンブリの様々な更なる代表的な実施形態を示す等角図である。
【図１３３】セキュリティパネルアセンブリの様々な更なる代表的な実施形態を示す等角図である。
【図１３４】セキュリティパネルアセンブリの様々な更なる代表的な実施形態を示す等角図である。
【図１３５】セキュリティパネルアセンブリの様々な更なる代表的な実施形態を示す等角図である。
【図１３６】セキュリティパネルアセンブリの様々な更なる代表的な実施形態を示す等角図である。
【図１３７】セキュリティパネルアセンブリの様々な更なる代表的な実施形態を示す等角図である。
【図１３８】キャリングバッグ及びロックリングの実施形態を示す等角図である。
【図１３９】キャリングバッグ及びロックリングの実施形態を示す等角図である。
【図１４０】図１３８及び図１３９のキャリングバッグの開放位置にあるロックカラビナの拡大等角図である。
【図１４１】図１３８及び図１３９のキャリングバッグのロックカラビナ（閉鎖位置にある）に結合されたジッパープルタブの拡大等角図である。
【図１４２】セキュリティパネルアセンブリの更なる実施形態の等角図である。
【発明を実施するための形態】
【００７４】
本発明は、多くの異なる形態での実施形態が可能であるが、本開示は、本発明の原理の例示としてみなされるべきであり、かつ本発明を例示する具体的な実施形態に限定するようには意図されていないということを理解して、本発明の具体的な例示的な実施形態が図面に示されかつ本明細書において詳細に記載される。これに関して、本発明に一貫する少なくとも１つの実施形態について詳細に説明する前に、本発明は、上述しかつ後述し、図面に示し、又は例に記載する構造の詳細及び構成要素の構成にその適用が限定されないことが理解されるべきである。本発明と一貫する方法及び装置は、他の実施形態が可能であり、様々な方法で実施され実現されることができる。また、添付の要約書とともに本明細書で採用する専門語及び術語は、説明を目的とするものであり、限定するものとみなされるべきではないことが理解されるべきである。
【００７５】
図１は、様々な代表的な実施形態に関連する様々なセキュリティ及び盗難防止機能を組み込んだ代表的なキャリングバッグ２０としての典型的なハンドバッグの正面立面図である。図３７、図３９並びに図１３９及び図１４０は、同様に様々な代表的な実施形態に関連する様々なセキュリティ及び盗難防止機能を組み込んだ、代表的なキャリングバッグ２０Ｃ及び２０Ｄとしての他の典型的な財布又はショルダーバッグの等角図である。図７１〜図７４、図７６及び図７７は、より詳細に後述するような１つ又は複数の拡張パネルを含む、同様に様々な代表的な実施形態に関連する様々なセキュリティ及び盗難防止機能を組み込んだ、代表的なキャリングバッグ２０Ａ及び２０Ｂとしての他のスーツケース型バッグの等角図である。「キャリー」及び「キャリング」は、本明細書では同義で用いられ、携行するという任意の行為若しくは活動、又は、例えば限定しないがバッグ２０を携行するのに使用されるキャリーストラップ又はキャリングストラップ（例えば、２２、２２Ａ、２２Ｂ、２２Ｃ、２２Ｄ、２２Ｅ、２２Ｆ、２２Ｇ及び／又は２２Ｈ）等、支持し、持ち上げること等が可能である任意の物体に対する、ありとあらゆる動詞又は名詞形態を意味しかつ含む。キャリングバッグ２０、２０Ｃ、２０Ｄ及び２０Ｅは、キャリー（又はキャリング）ストラップ２２、２２Ａ、２２Ｂ、２２Ｃ、２２Ｄ、２２Ｅ、２２Ｆ、２２Ｇ及び／又は２２Ｈを含む（それらはまた、２０Ａ及び２０Ｂ等の他のキャリーバッグとともに含めることもできる）ように示され、例では、例えば限定しないが、帆布、皮革、スエード、ナイロン、バリスティックナイロン、可撓性プラスチック若しくは他のポリマー材料及び同様の材料、又はより一般的には、例えば限定しないが織材料若しくは不織材料等、任意のタイプの可撓性材料等、略可撓性材料の構造を有する、台形、立方体、偏菱形、平行六面体、卵形若しくは楕円形、又はありとあらゆる他の形状として構成される、外部バッグ２３、２３Ａによって画定される。同様に例えば限定しないが、バッグ２０、２０Ａ〜２０Ｅは、任意の種類又は形式の任意の形状若しくは形態を有することができる。外部バッグ２３、２３Ａは、内部に組み込まれたリブ若しくはスラット、又は外部バッグ２３、２３Ａを形成する材料の内面に組み込まれるか又はその内側に縫い付けられる（sewn）ＰＶＣシート等の補強機構を更に含むことができる。同様に例えば限定しないが、外部バッグ２３、２３Ａは、ハードケース又はハードシェルの外部等、非可撓性構成要素を含むことができ、さらに、図７１〜図７４、図７６及び図７７を参照してより詳細に例示し考察する、可撓性及び非可撓性の外部バッグ２３、２３Ａのいずれか又は両方に対して、内部サイズを拡張するように開けることができる更なる可撓性材料等、拡張構成要素を含むことができる。通常、代表的な実施形態では、外部バッグ２３、２３Ａは頂部開口部２１、２１Ａを含み、頂部開口部２１、２１Ａは、１つ又は複数のジッパー又は他の閉鎖機構２４、２４Ａ、２４Ｂを通してアクセス可能であり、図３７に２つのこうしたジッパー２４Ａ及び２４Ｂを示す（より詳細には、ジッパー２４Ａ及び２４Ｂは、プルタブ１３、又はロッ��クラスプ及びプルタブの両方としての二重機能を有するクラスプ１１、１１Ａ、１２等、様々なジッパープル又はプルタブのうちの任意のものを有する、ジッパースライダーとして示されている）。外部バッグ２３、２３Ａは、図１に示すように、ジッパー機構２６を備えた開口部２７を通してアクセス可能なフロント又はサイドポケット２５も含むことができる。図３７に示すように、キャリングバッグ２０Ｃはフロントフラップ１９を更に含み、フロントフラップ１９は、１つ又は複数のジッパー機構２６Ａ、２６Ｂを備えた開口部２７Ａを通してアクセス可能な、図３８に示すフロントポケット２５Ａを覆い、かつそれを露出するように持ち上げることができる。
【００７６】
図７１〜図７４、図７６及び図７７を参照して、背面が堅く且つ柔らかい面をもつトラベルバッグ２０Ａ及びハードケース（又はハードシェル）トラベルバッグ２０Ｂ等、他のタイプのキャリングバッグの更なる実施形態及び例について、例示し考察する。したがって、バッグ２０、バッグ２０Ａ、２０Ｂ及び／又はバッグ２０Ｃに対するありとあらゆる言及は、他のもの、及び任意のタイプ又は形態の本明細書に記載するキャリングバッグのありとあらゆるものを意味し含むように理解されるべきである。例えば限定しないが、セキュリティパネルアセンブリ若しくはサブアセンブリ、キャリーストラップ、又は本明細書に開示する様々な他のセキュリティ機構のうちの任意のもの等、本明細書に開示する様々な構成要素を、現時点で既知であるか又は将来既知となる可能性がある、任意の種類、タイプ、形状又は形式のありとあらゆる他のキャリングバッグ内に含めることができ、こうした実施形態の全てが本開示の範囲内にある、ということが理解されるべきである。
【００７７】
第１の又は一次的なクラスプ又は締結具の例としてのジッパー２４、２６は、別のタイプのセキュリティ機構、すなわち、追加の二次的な締結具又は閉鎖機構として機能する、図１及び図１９に示すような、第２の又は二次的なクラスプ又は締結具１１、１２をそれぞれ含むか又はそれに結合可能である。したがって、例えば限定しないが、ジッパー２４、２６が、第１の又は一次的な締結具又は閉鎖機構として閉鎖される（又は閉められる）場合、留め金又はタブ２８を含む追加の二次クラスプ又は締結具１１、１２にジッパー２４、２６を取り付けることができ、さらに、外部バッグ２３を形成する外層３４に付着した基部３２に取り付けられるループ又はリング３０内に、留め金又はタブ２８を挿入することができ、それにより、ジッパー２４、２６の摺動機構が外部バッグ２３に有効に固定される。留め金２８は、ピン３３によってプレート３５に搭載される。プレート３５は、ジッパー２６に取り付けられたリング３１を有する。留め金２８は、ループ又はリング３０からの移動及び解除を可能にするために、ピン３３を中心に枢動させることにより、手動で解除されなければならない。したがって、ジッパー機構２４、２６は、バッグ２０に有効にロックされ、ジッパー２４、２６の操作により、ジッパー付きの開口部を通してバッグ２０の内部へのアクセスを可能にするために、追加の手動の解除操作を必要とする。より詳細には、バッグ２０の中身に届くために、２つの別個のかつ異なる操作又は活動、すなわち、第１の段階として、クラスプ又は締結具１１、１１Ａ、１２等の第２の又は二次締結具を手動で解除し、それに続き、第２の段階として、ジッパー２４、２６を開ける等、第１の又は一次締結具を手動で解除することが、その後に必要とされる。
【００７８】
図１及び図１９に単独では示さないが、当業者は、クラスプ又は締結具１１、１２の向きを反転させることもでき、すなわち、クラスプ又は締結具１１、１２は、外部バッグ２３に結合することができ、ジッパー２４、２６にそれぞれ解除可能に結合可能である、ということを理解するであろう。例えば、ループ３０にループ３１を結合するか又は取り付けることができ、ループ３０は、外部バッグ２３を形成している外層３４に取り付けられている。そして、図示するループ３１の代わりに、ジッパープルの対応する開口部又は孔を介する等、ジッパー２４、２６に留め金２８を手動でかつ解除可能に結合することができ、この場合もまた、ジッパー２４、２６の操作により、ジッパー付き開口部を介してバッグ２０の中身にアクセスすることを可能にするために、クラスプ又は締結具１１、１２の手動の解除操作が必要である。こうした第２の又は二次締結具１１Ａの第２の実施形態については、図３８、図３８Ａ及び図３８Ｂを参照して以下で例示し考察する。
【００７９】
様々なジッパー２４、２６、又は、例えば限定しないが、様々なロックカラビナ４４、マルチグライドロックスナップフックファスナー５０１、又は本明細書に例示する他のロックリング５００、５００Ａ、５００Ｂのうちの任意のもの等、他の形式の締結具若しくは閉鎖機構のうちの任意のものに対して、クラスプ又は締結具１１、１１Ａ、１２と同等に、ジッパー又は他の一次閉鎖機構をはずすために手動の解除が必要な、クラスプ以外の他のタイプの二次締結具もまた利用することができる。より詳細には、例えば限定しないが、クラスプ又は締結具１１、１１Ａ、１２を手動で解除する第１の段階と、それに続く、ジッパー２４、２６を用いて区画又はポケットを開くか又は他の方法で開放する第２の段階等、区画又はポケットを開放するために少なくとも２つの異なる段階が必要な任意のタイプ又は組合せの締結具、クラスプ又は他の閉鎖機構が、本開示の範囲内にある。区画又はポケット内の中身にアクセスするためのこの２段階操作、多くの場合両手操作により、例えば限定しないが、混雑した地下鉄の駅又は車両において、消費者が、注意を散らしているか又は別の活動に関与している可能性がある場合等、バッグ２０、２０Ａ〜２０Ｅを保持又は着用している消費者に見つからない無許可のアクセスに対する可能性が著しく減少する。
【００８０】
こうした追加の二次締結具１１Ａ、４４Ａは、図３７、図３７Ａ、図３８、図３８Ａ、図３８Ｂ、図３８Ｃ及び図３９に、キャリングバッグ２０Ｃとして示す任意のタイプのキャリングバッグ２０で使用されるように示されている。図３８に示すように、バッグ２０Ｃのフロントフラップ１９によって覆うことができる、フロント又はサイドポケット２５Ａ（フロントフラップ１９は、フロントポケット２５Ａを露出するように持ち上げられているものとして示されている）はまた、ジッパースライド（又は閉鎖具）２６Ａ及び２６Ｂも有し、それらの各々は、プルタブ１３を含む。プルタブ１３は、開口部又は孔１４を含み、図３８及び図３８Ａにおいて開放位置で示されている可動ゲート１５（ピン８を中心に回転可能）を有する第２の又は二次締結具１１Ａに、開口部又は孔１４を固定することができ、それにより、二次締結具１１Ａへのプルタブ１３の挿入及び係止が可能になる。可動ゲート１５は、通常、可動ゲート１５を図３８Ｂに示す閉鎖位置で維持するようにばね（単独では示さず）付勢を有する。フロント又はサイドポケット２５Ａに対して示すように、当業者は、頂部又は内部ポケット又は区画を含む、任意のジッパー付きポケット又は区画に対して、二次締結具１１Ａを利用することができることを理解するであろう。図３８Ｃに示すように、第２の又は二次締結具１１Ａは、反転した向き又は形態を有し、そこでは、第２の又は二次締結具１１Ａは、ジッパースライド（又は閉鎖具）２４、２６に結合され、リング３０Ａに取外し可能に結合可能であり、リング３０Ａは、さらにバッグ２０、２０Ｃ、２０Ｄのループ４１Ａに結合されている。この構成では、第２の又は二次締結具１１Ａは、二重機能、すなわち、ジッパープル機構（ジッパータブ１３の代わり）として、かつジッパー２４、２６に対して解除可能に係止された形態を提供する機構としてセキュリティを追加する更なる締結具としての両方の機能を有している。
【００８１】
図３７、図３９、図１４０及び図１４１を参照すると、ジッパー閉鎖機構２４Ａ、２４Ｂは、ループ４１を介してバッグ２０Ｃに結合されるロックカラビナ４４Ａに、プルタブ１３を介して結合されるように示されている。ロックカラビナ４４Ａは、例えば限定しないが、卵形、（図３７に示すような）楕円形、矩形（例えば、ロックカラビナ４４Ｂ）等、任意の形状又は形態を有することができる。ロックカラビナ４４Ａは、可動ゲート１５Ａも有し、図３７Ａでは、ロックカラビナ４４Ａへのプルタブ１３の挿入を可能にし（ロックカラビナ４４Ａへのジッパー２４Ａ、２４Ｂの係止を提供するため）、ジッパー２４Ａ、２４Ｂの移動及びバッグ２０Ｃの内部へのアクセスを可能にするようにロックカラビナ４４Ａからのプルタブ１３の除去を可能にするように、開放位置で示されている。同様に単独では示さないが、可動ゲート１５Ａは、通常、可動ゲート１５Ａを閉鎖位置で維持するばね付勢を有している。図示するように、めねじが切られた回転可能ソケット６５が、ねじ切り端部６４に回転可能にかつ取外し可能に結合可能である。代替的に、例えば限定しないが、めねじが切られた回転可能ソケット６５は、図１４０においてねじ山６４Ａとして示す、可動ゲート１５Ａのみのねじ山により、非ねじ切り端部６４に回転可能にかつ取外し可能に結合可能とすることができる。他の多くのカラビナ４４形態が、利用可能であり、等価であるとみなされ、本開示の範囲内にある。一般に、回転可能ソケット６５は、ねじ切り端部６４にねじ込まれるか又は他の方法で結合された状態で維持され、ロックカラビナ４４Ａのゲート１５Ａは閉鎖され、回転可能ソケット６５は、ねじ切り端部６４の上で回転して締め付けられる。回転可能ソケット６５が（ねじ切り端部６４の上で）回転して締め付けられると、ロックカラビナ４４Ａは、図３７及び図３９に示す閉鎖位置で有効に固定されるか又は係止され、ジッパー２４Ａ、２４Ｂはプルタブ１３を介してロックカラビナ４４Ａに結合されている。その結果、上述したように、ジッパー２６Ａ、２６Ｂ又はジッパー２４Ａ、２４Ｂが、二次締結具１１Ａ又はロックカラビナ４４Ａのいずれかにそれぞれ結合されると、任意のポケット又は内部区画へのアクセスにはまた２段階操作が必要である。
【００８２】
当業者はまた、ロックカラビナ４４Ａと同等に、マルチグライドロックスナップフックファスナー５０１（図１８Ｂ及び図４４に示す）、又はロックリング５００、５００Ａ、５００Ｂ又は他の第２の若しくは二次締結具（例えば、１１Ａ）を利用することができることも理解するであろう。例えば、ロックカラビナ４４、４４Ａと同一に動作し同じ構造を有する（わずかに異なる形状を含む）ロックカラビナ４４Ｂを利用して、より詳細に後述するセキュリティ用途のため等、ストラップ２２、２２Ａ〜２２Ｈがバッグ２０、２０Ｃに結合される。その結果、様々なロックカラビナ４４、４４Ａ、４４Ｂ及び矩形ロックリング５００、５００Ａ、５００Ｂは、個々に又はまとめて、本明細書において概して又は分類的に「ロックリング」と呼ばれ、「ロックリング」と言及する場合、それは、例えば限定しないが、ロックカラビナ４４、４４Ａ、４４Ｂ及び／又は矩形ロックリング５００、５００Ａ、５００Ｂを意味し含むように理解されるものとする。図１３８及び図１３９は、固定支持体の周囲にキャリングバッグ２０Ｄを係止するためにロックリング５００、５００Ａを使用する更なる図を示す。
【００８３】
単独では示さないが、ジッパー付き開口部２１、２１Ａ及び２７、２７Ａは、更なるセキュリティ機能を含むことができる。例えば、ジッパー付き開口部２７、２７Ａ又はジッパー付き開口部２１、２１Ａの各側に沿って単一列のジッパー歯がある代わりに、ジッパー付き開口部２１、２１Ａ及び２７、２７Ａは、台湾のGenmore Zipper Corp.から入手可能でありかつ引用することによりその開示内容が本明細書の一部をなす米国特許第８，４３８，７０５号に開示されているダブルトラックジッパー等、ジッパー付き開口部２７、２７Ａ又はジッパー付き開口部２１、２１Ａの各側に沿って、２つ以上の列又はトラックのジッパー歯を含むことができる。
【００８４】
さらに、スナップ、タブ及びボタン等、図示するジッパー２４Ａ、２４Ｂ、２６Ａ、２６Ｂに加えて、ポケット及び他のバッグ２０開口部に対する他のタイプの締結具又は他の閉鎖機構もまた、本開示の範囲内にある。さらに、ジッパー２４、２６等のポケット締結具又は閉鎖機構は、通常の使用中、クラスプ又は締結具１１、１２等の二次締結具から独立させるか又は他の方法で分離することができる。例えば限定しないが、バッグ２０の外部２３にクラスプ又は締結具１１、１２を結合し、それを、ポケット２５又は頂部開口部２１用の第２の予備閉鎖具として消費者が選択的に利用することができ、それにより、中身にアクセスするために、この場合もまた２段階操作が必要である。
【００８５】
別の盗難防止セキュリティ機構は、バッグ２０のキャリーストラップ２２、２２Ａ〜２２Ｈであり、それは、キャリーストラップ２２、２２Ａ〜２２Ｈに縫い込まれるか、又は他の方法でその中に若しくはその一部として含まれる、細長い切断抵抗ケーブル３８を含み、それは、ストラップ２２、２２Ａ〜２２Ｈの全長に沿って延在する。切断抵抗ケーブル３８を組み込んだ結果、キャリーストラップ２２、２２Ａ〜２２Ｈは、例えば、本来、キャリングストラップを直ちに切断して財布を持って逃げる可能性がある潜在的な盗人又は強盗が容易に切断することができない。例えば、図４、図４Ａ及び図１９に示すように、キャリーストラップ２２の中心又は中間に沿って長手方向に、切断抵抗ケーブル３８が縫い付けられている。図４５〜図６１を参照して、キャリーストラップ２２Ａ〜２２Ｈの更なる代表的な実施形態について以下で例示し考察する。
【００８６】
ジッパー閉鎖具を固定することに加えて、代表的な実施形態の更に別の盗難防止セキュリティ機構は、バッグ２０、２０Ｃを椅子又は柱等の固定物にキャリーストラップ２２、２２Ａ〜２２Ｈを介して固定するのを可能にする、ロックカラビナ４４、４４Ｂ、又はマルチグライドロックスナップフックファスナー５０１、又は蝶番式ロック（矩形）リング５００、５００Ａ、５００Ｂを使用して、例えば、消費者がレストラン又はカフェに着席する（通常、こうしたキャリングバッグを例えば椅子の背に掛ける可能性がある）場合に、潜在的な盗人が直ちに財布をひったくって持って逃げる可能性を減らすことである。より詳細には、図１、図１７、図１８、図１８Ａ、図１８Ｂ、図３７及び図３９を参照すると、ストラップ２２、２２Ａ〜２２Ｈが、通常、一端においてバッグ２０、２０Ｃに取り付けられ（又は、別のバックル４５を通して輪にされ）、他端においてバックル４２に取り付けられている。ストラップ２２、２２Ａ〜２２Ｈはまた、バックル４２を通り抜け、例えば、図１８、図３７、図３９に示すようにロックカラビナ４４、４４Ｂを通して、又は図１８Ａに示すように蝶番式ロック矩形リング５００、５００Ａを通して、又は図１８Ｂに示すようにマルチグライドロックスナップフックファスナー５０１を通してループ４０を形成する。ストラップ２２、２２Ａ〜２２Ｈは、このように、バックル４２と組み合わせてストラップ２２、２２Ａ〜２２Ｈの長さの調整を可能にするループ４０を形成する。ストラップ２２、２２Ａ〜２２Ｈは、バッグ２０の内部又は外部に、又は図４に示すように、バッグ２０に付着したループ４７、４７Ａ、４７Ｂに取り付けられたバックル４５に（又は代替的に、カラビナ４４、４４Ｂ、若しくは蝶番式ロック（矩形）リング５００、５００Ａ、５００Ｂ、若しくはマルチグライドロックスナップフックファスナー５０１に）締結された一端を有することができる。これらの組合せのありとあらゆるものが本開示の範囲内にある。ストラップ２２、２２Ａ〜２２Ｈの反対側の端部は、バックル４２に取り付けられ（例えば、バックル４２を通してループを形成し）、その後、ストラップ２２、２２Ａ〜２２Ｈの別の部分に再度取り付けられる。カラビナ４４、４４Ｂもまた、バッグ２０、２０Ｃに取り付けられ、例示的な実施形態では、外部バッグ２０の側部のポケット４６内に摺動可能にはまることができ、他の例示的な実施形態では、他の様々な図に示すように（バックル４５と同様に）露出させることができる。例えば、図４におけるバックル４５の代わりに、図１７、図１８、図１８Ａ及び図１８Ｂに示す更なるセキュリティ機構を提供するために、ロックカラビナ４４、マルチグライドロックスナップフックファスナー５０１又は蝶番式ロック矩形リング５００、５００Ａ、５００Ｂを利用することができる。
【００８７】
ループ４０からロックカラビナ４４、４４Ｂを解除しロックカラビナ４４、４４Ｂを開放するために、回転可能ソケット４８を回転させ（緩め）、カラビナ４４、４４Ｂの枢支アーム（又はゲート）５０が開放位置に移動可能であるのを可能とすることにより、回転可能ソケット４８を手動で操作しなければならない。ロックは、カラビナ４４、４４Ｂの枢支アーム（又はゲート）５０が閉鎖位置にあるときに回転可能ソケット４８を締め付けることによって有効に提供される。この構造を、図１７及び図１８により詳細に示し、そこでは、ポケット４６内に摺動可能にはまることができ、したがって、使用中に概して隠れたままであるロックカラビナ４４が、ソケット４８が回転する（緩められるか又ははずされる）と解除され、それにより、カラビナ４４の枢支アーム（又はゲート）５０が解除され、カラビナ４４を開放するように操作することができ、それによって、ストラップ２２、２２Ａ〜２２Ｈのループ４０を、ロックカラビナ４４から取り外し、図１７に示すように椅子又は柱５２の支持体等、安定した物体の周囲にはめ、ロックカラビナ４４に再度取り付け、それにより、バッグを図示する椅子に確実に取り付けたままにすることができる。そして、ロックカラビナ４４のＣ字型部分の嵌合ねじ山の周囲で回転可能ソケット４８を回転させ、固定又は係止位置において適所に保持することができる。そして、この手続きが逆に行われて、安定した物体からバッグ２０が解除される。この操作は、ロックカラビナ４４Ｂの場合と同じである。言い換えれば、ロックカラビナ４４、４４Ｂ又は蝶番式ロック矩形リング５００、５００Ａ、５００Ｂに結合されたストラップ２２、２２Ａ〜２２Ｈは、バッグ２０、２０Ｃが容易にひったくられないように柱又は他の何らかの物体の周囲におけるキャリーストラップ２２、２２Ａ〜２２Ｈの確実な配置を可能にすることによる、例示的なバッグ２０、２０Ｃ構造の別のセキュリティ機構である。
【００８８】
図１８Ａに、蝶番式ロック矩形リング５００、５００Ａを用いる別の変形を示す。図示するように、キャリーストラップ２２、２２Ａ〜２２Ｈは、蝶番式ロック矩形リング５００、５００Ａ（又は５００Ｂ）に（ループ４０を介して）結合され、蝶番式ロック矩形リング５００、５００Ａ（又は５００Ｂ）は、ループ４７Ａを通してバッグ２０に結合されている。代表的な実施形態では、ループ４７Ａは、ケーブル３８を組み込むことにより、又はワイヤーマトリックス（後述する）若しくは切断抵抗性の半剛性であるが可撓性があるポリマー若しくはプラスチックシート等、他の切断抵抗補強材を有することによる等、キャリーストラップ２２、２２Ａ〜２２Ｈと同様に構成される。図４０〜図４４に、代表的な蝶番式ロック矩形リング５００、５００Ａ及び５００Ｂを示す。
【００８９】
図１８Ｂに、マルチグライドロックスナップフックファスナー５０１を用いる別の変形を示す。図示するように、キャリーストラップ２２、２２Ａ〜２２Ｈは、（ループ４０を介して）マルチグライドロックスナップフックファスナー５０１に結合され、マルチグライドロックスナップフックファスナー５０１は、ループ４７Ａを通してバッグ２０に結合されたリング７７又は他の取付具（又は任意の形状若しくは種類）に結合されている。代表的な実施形態では、ループ４７Ａは、ケーブル３８を組み込むことにより、又はワイヤーマトリックス（後述する）若しくは切断抵抗性の半剛性であるが可撓性があるポリマー若しくはプラスチックシート等、他の切断抵抗補強材を有することによる等、キャリーストラップ２２、２２Ａ〜２２Ｈと同様に構成される。図４４に、代表的なマルチグライドロックスナップフックファスナー５０１を示す。さらに、マルチグライドロックスナップフックファスナー５０１は、本出願と同一の譲受人に譲渡された「Multi-Glide Locking Snap Hook Fastener」と題する、２０１５年１月１７日に出願された米国仮特許出願第６２／１０４，７１７号において詳細に記載されかつ請求されており、その内容全体が、本明細書に全体として示されているかのように同じ効力を持って、かつ全て共通して開示された主題に対して優先権を主張して、引用することにより本明細書の一部をなす。
【００９０】
図４Ａは、図１及び図４に示すように、キャリーストラップ２２の代表的な第１の実施形態の（図４に示すＡ−Ａ’平面を通る）断面図である。図１、図４及び図４Ａに示すように、キャリーストラップ２２は、概して、第１の可撓性材料（又はウェビング）片５１を備え、第１側方領域５６３と第２側方領域５６４との間に位置する中心領域５６２として示す、可撓性材料（又はウェビング）５１の中間又は中心に沿って、ワイヤー又はケーブル３８が長手方向に配置されている。ワイヤー又はケーブル３８及び第１の可撓性材料の中心領域５６２は、第２の可撓性材料（又はウェビング）片４９によって覆われ、第２の可撓性材料（又はウェビング）片４９は、同様に可撓性材料（又はウェビング）５１の中間又は中心に沿って長手方向に配置され、縫目５３通して等、第１の可撓性材料（又はウェビング）片５１に固定され、ワイヤー又はケーブル３８を、第２の可撓性材料４９と第１の可撓性材料５１の中心領域５６２との間で固定する。図示するように、第１の可撓性材料（又はウェビング）片５１は、第２の可撓性材料（又はウェビング）片４９より（横方向に）著しく広いが、これは必須ではなく、他の多くの変形については以下で例示し考察する。より詳細には、図４及び図４Ａ（図４のＡ−Ａ’平面を通る断面を示す）に示すように、（図４に示すように、第１の幅より実質的に大きい第１の長さを有する）第１の可撓性材料５１はまた、その長さに沿って第１の側方縁及び第２の側方縁を有し、その長さに沿って第１の側方領域５６３及び第２の側方領域５６４を有し、第１の側方領域５６３と第２の側方領域５６４との間に、その長さに沿って中心領域５６２を有している。キャリーストラップ２２は、第１の可撓性材料５１の中心領域５６２及び第２の可撓性材料４９（同様に、第２の幅より実質的に大きい第２の長さを有し、第２の幅は、図示するような第１の可撓性材料５１の第１の幅より小さい）において長手方向に配置された実質的切断抵抗ケーブル３８を有しており、第２の可撓性材料４９は、実質的切断抵抗ケーブル３８の上にわたってかつ第１の可撓性材料５１の第１の中心領域５６２に結合されて、実質的切断抵抗ケーブル３８を第２の可撓性材料４９と第１の可撓性材料５１の中心領域５６２との間に固定する。単独では示さないが、第１の可撓性材料片５１及び第２の可撓性材料片４９に対して選択される材料に応じて、第１の可撓性材料（又はウェビング）片５１及び第２の可撓性材料（又はウェビング）片４９の各々の側方縁（仕上げがなされていない場合）は、完成されたキャリーストラップ２２において（消費者によって）見えないように、折り重ねて固定することができる。しかしながら、図４Ａに示すように、可撓性材料５１、４９としてウェビング材料が使用されており、布の技術分野において既知であるように、「ウェビング」材料は、一般に、ストラップを形成するために適しているように、概して長手方向に延在し、著しく狭い幅（横方向寸法）を有し、通常、仕上げられた側方縁（例えば、ほぐれを回避するため）を有する、布又は他の可撓性材料の織ストリップである。
【００９１】
図４０〜図４３を参照すると、蝶番式ロック矩形リング５００、５００Ａは２つのＣ字型アーム５０２、５０４を備え、それらは、リベット又は他のアタッチメント等、ピン５０６を通して第１の端部で互いに結合され、蝶番を形成するか、又は他の方法で一方のアーム５０２、５０４の他方のアーム５０４、５０２に対する枢動又は他の回転を可能にする。それらのそれぞれの第２の端部では、アーム５０２、５０４はねじ切られ、それぞれねじ山５１０及び５１２として示す。めねじが切られた回転可能ソケット５０８は、図示するように、それらのねじ切られた第２の端部５１０、５１２においてアーム５０２、５０４に回転可能にかつ取外し可能に結合可能である。概して、回転可能ソケット５０８は、ねじ切られた第２の端部５１０、５１２のうちの一方にねじ込まれるか又は他の方法で結合されて維持され、蝶番式ロック矩形リング５００、５００Ａは閉鎖され、回転可能ソケット５０８は、他方のねじ切られた第２の端部５１２、５１０の上で回転して締め付けられる。回転可能ソケット５０８が（両アーム５０２、５０４のねじ山の上で）回転し締め付けられると、蝶番式ロック矩形リング５００、５００Ａは、閉鎖位置で有効に固定されるか又は係止され、それを図４０に蝶番式ロック矩形リング５００に対して示す。回転可能ソケット５０８は、他方の方向にかつアーム５０２、５０４の一方（又は両方）のねじ山から外れるようにゆるめられて回転すると、開口部又は隙間５２０を提供するように、アーム５０２、５０４を互いに対して枢動させることができ、それにより、蝶番式ロック矩形リング５００に対して図４１に示し、蝶番式ロック矩形リング５００Ａに対して図４２に示すように、蝶番式ロック矩形リング５００、５００Ａは開放位置になる。
【００９２】
開口部又は隙間５２０のサイズは、ピン５０６を中心とする回転又は枢動の程度を制限するＣ字型アーム５０２Ａ上にある又はＣ字型アーム５０２Ａの１つ若しくは複数の拡張部、止め具（複数の場合もある）若しくは戻り止め（複数の場合もある）５１４による等、図４２に示すように、２つのＣ字型アーム５０２、５０４の形態又は形状によって制限され、開示の範囲内の別の変形として、かつ他の点では蝶番式ロック矩形リング５００と同じように有効に動作する、蝶番式ロック矩形リング５００Ａを形成することができる。様々な代表的な実施形態では、開口部又は隙間５２０のサイズは、狭くなるように、かつ別のセキュリティ機構として、比較的に平坦であり、折り畳まれないか又は丸められない場合、キャリーストラップ２２、２２Ａ〜２２Ｈの摺動除去のみを可能にするように、制限される。同様に、２つのＣ字型アーム５０２、５０４のねじ切り端部は、ループ４７Ａに対してサイズを決めることができ、その逆も可能であり、例えば限定しないが、ループ４７Ａは、回転可能ソケット５０８が取り付けられていないときにのみ、アーム５０２、５０４の挿入又は除去を可能にするようなサイズとすることができ、それにより、回転可能ソケット５０８が対応するねじ山５１０又は５１２に結合されたとき、アーム５０２、５０４もまたループ４７Ａ内に固定される。代表的な実施形態では、蝶番式ロック矩形リング５００、５００Ａ、５００Ｂには、１より大きいアスペクト比が与えられ、比較的細長い形態を提供するように等、（矩形の他方の２つの対向する辺としての）第１の端部及び第２の端部と比較して（矩形の２つの対向する辺としての）相対的に長い方のアーム５０２、５０４を有し、それにより、財布及びハンドバッグ等のバッグ２０、２０Ｃに対するより女性らしいスタイルが可能になる。同様に代表的な実施形態において、ピン５０６は、著しい歪み、せん断、及び他のタイプの応力が高い力に耐えるように構成され、それにより、２つのＣ字型アーム５０２、５０４は、典型的な環境の下で潜在的な盗人がかける可能性がある典型的な力によって互いから分離されない。
【００９３】
図４３において、蝶番式ロック矩形リング５００Ｂとして、蝶番式ロック矩形リングの別の変形を示す。この実施形態では、蝶番式ロック矩形リング５００Ｂは、アーム５０４Ａの開口部又は隙間５２２を通してループ４７Ａ（又は、ストラップ２２、２２Ａ〜２２Ｈのループ４０）に永久的に取り付けられ、他の点では、蝶番式ロック矩形リング５００、５００Ａと同じように有効に動作する。三角形、正方形、五角形、六角形、八角形、ねじれた、らせん状等のロックリング等、ロックリング５００、５００Ａ、５００Ｂの形状の他の変形が、等価であるとみなされ、同様に本開示の範囲内にある。単独では示さないが、蝶番式ロック（矩形）リング５００、５００Ａ、５００Ｂは、例えば限定しないが、回転可能ソケット５０８がアーム５０２、５０４のうちの一方から外れないように、又は蝶番式ロック（矩形）リング５００、５００Ａ、５００Ｂを閉鎖位置で維持するように、１つ又は複数の更なるロック機構、ばね、又はストップナット等、他の構成部品も含むことができる。
【００９４】
ロックカラビナ４４、４４Ａ、４４Ｂとは対照的に、ロックリング５００、５００Ａ、５００Ｂでは、通常、ばね付勢機構が閉鎖位置で維持される必要はない。同様にロックカラビナ４４、４４Ａ、４４Ｂと構造的に対照的に、開口部又は隙間５２０は、ロックカラビナ４４、４４Ａ、４４Ｂの場合のように、ピン５０６を有する（第２の）側と同じ側にある（通常、カラビナゲートに結合されている）のではなく、ちょうどその反対側のロックリング５００、５００Ａ、５００Ｂの（第１の）側にある。
【００９５】
図４４は、マルチグライドロックスナップフックファスナー５０１を示し、それは、上述したように、２０１５年１月１７日に出願された米国仮特許出願第６２／１０４，７１７号の主題であり、本明細書に全体として示されているかのように同じ効力を持って、かつ全て共通して開示された主題に対して優先権を主張して、引用することにより本明細書の一部をなす。米国仮特許出願第６２／１０４，７１７号に詳細に考察されているように、マルチグライドロックスナップフックファスナー５０１のゲート５１６は、図４４に示すように、（単独では示さないばねを介して）閉鎖位置になるように付勢され、マルチグライドロックスナップフックファスナー５０１を開放するために、（グリップ５１４及び関連する構成要素の多部品チャネル５１５を通る移動を介する）ゲート５１６の幾つかの異なる移動が必要である。例えば限定しないが、ロックカラビナ４４、４４Ａ、４４Ｂ又はロックリング５００、５００Ａ、５００Ｂのうちの任意のものに置き換わるように等、本明細書に開示した実施形態のうちの任意のものにおいて、マルチグライドロックスナップフックファスナー５０１を利用することができる。
【００９６】
図４５〜図６１を参照すると、本開示の範囲内にあるキャリーストラップ２２の変形として、キャリーストラップ２２Ａ〜２２Ｈを形成する構造又はアセンブリが示されている。図４５に示すように、切断抵抗ケーブル３８は、縁パイピング５２５内に封入されるか又は他の方法で設けられ、縁パイピング５２５は、可撓性（ウェビング）材料面５２７及び５２８として示す、布ウェビング、皮革、バリスティックナイロン、布等、（例えば、図示する縫目線５３１、５３３に沿って）ストラップ２２Ａ、２２Ｂを形成する可撓性材料の間に、（パイピング５２５のフランジ、タブ、アンカー又はフラッグ５４５を介して）縫い付けられるか又は他の方法で結合されるか若しくは取り付けられる。切断抵抗ケーブル３８が埋め込まれた縁パイピング５２５は、その後、図示するように、可撓性材料面５２７及び５２８のそれぞれの（第２の）側方縁５２６Ａ及び５２６Ｂのうちの一方と当接する。図４６に示すように、各々がそれぞれの縁パイピング５２５Ａ及び５２５Ｂにある２つの切断抵抗ケーブル３８Ａ及び３８Ｂがある場合、切断抵抗ケーブル３８Ａ及び３８Ｂはまた、それぞれの縁パイピング５２５Ａ及び５２５Ｂ内に封入され、縁パイピング５２５Ａ及び５２５Ｂは、可撓性（ウェビング）材料面５２７及び５２８として示す、布ウェビング、皮革、バリスティックナイロン、布等、（例えば、図示する縫目線５３１、５３３に沿って）ストラップ２２Ａ、２２Ｂを形成する可撓性材料の間に、（パイピング５２５Ａ、５２５Ｂのフランジ、タブ、アンカー又はフラッグ５４５を介して）縫い付けられるか又は他の方法で結合されるか若しくは取り付けられる。それぞれ切断抵抗ケーブル３８Ａ及び３８Ｂが埋め込まれた縁パイピング５２５Ａ及び５２５Ｂは、その後、図示するように、可撓性材料面５２７及び５２８のそれぞれの第１の側方縁５２４Ａ及び５２４Ｂ並びに第２の側方縁５２６Ａ及び５２６Ｂに当接する。
【００９７】
任意のストラップ（例えば、ストラップ２２、２２Ａ、２２Ｂ、２２Ｃ、２２Ｄ、２２Ｅ、２２Ｆ、２２Ｇ及び／又は２２Ｈ）に対して典型的であるように、（可撓性ウェビング材料面５２７及びお５２８等）ストラップを形成する可撓性材料は、長さ（長手方向寸法）が、その幅（横方向寸法）より実質的に大きい。ストラップを形成する可撓性材料は、より詳細に後述するように、様々な厚さのうちの任意のものを有することができ、それは、横方向寸法においてかつ長手方向寸法においても均一な厚さ又は不均一な厚さとすることができる（例えば、肩パッド等に対して、ストラップの領域において、ストラップ２２、２２Ａ、２２Ｂ、２２Ｃ、２２Ｄ、２２Ｅ、２２Ｆ、２２Ｇ及び／又は２２Ｈのその領域に対して長手方向寸法及び横方向寸法両方において、相対的に厚い領域を提供することができる）。ストラップ２２、２２Ａ、２２Ｂ、２２Ｃ、２２Ｄ、２２Ｅ、２２Ｆ、２２Ｇ及び／又は２２Ｈのありとあらゆる実施形態に対して、ストラップを構成する可撓性材料は、例えば限定しないが、皮革、ナイロン、ポリエステル、ポリプロピレン、アクリル樹脂、バリスティックナイロン等、本明細書に開示した可撓性材料及びそれらの等価物のうちの任意のものから構成することができ、同様に例えば限定しないが、かつ同様に様々なストラップ２２、２２Ａ、２２Ｂ、２２Ｃ、２２Ｄ、２２Ｅ、２２Ｆ、２２Ｇ及び／又は２２Ｈの任意のものに対して、任意のウェビングの代わりに任意の可撓性材料を利用することもできることが留意されるべきである。可撓性材料は、２つの面５２７及び５２８を提供するようにその中間を中心に折り畳まれる１片とすることができ、又は、例えば限定しないが、仕上げられた縁を有する２つの可撓性ウェビング材料片等、２つ（又はそれより多く）の別個の可撓性材料片から構成することができる。切断抵抗ケーブル３８を組み込むことにより追加のセキュリティを提供することに加えて、縁パイピング５２５はまた、バッグ２０、２０Ｃ、２０Ｄ、２０Ｅのキャリーストラップ２２Ａ、２２Ｂに対して装飾及び／又はスタイルを提供することもでき、キャリーストラップ２２Ａ、２２Ｂはまた、例えば限定しないが、切断抵抗ケーブル３８なしに装飾的なパイピングを含むこともできる。図４６に示す別の変形として、切断抵抗ケーブル３８は、両縁５２４、５２６に沿ってパイピング５２５内に組み込まれ、対称的なパイピングと、２つの組み込まれた切断抵抗ケーブル３８からの２倍の補強材とを有する、キャリーストラップ２２Ｂを形成する。他の代表的な実施形態では、上述したように、切断抵抗ケーブル３８を含むことなく、第２の対称的なパイピング５２５を設けることもできる。当業者は、セキュリティケーブル３８、パイピング５２５並びに可撓性材料面５２７及び５２８を、１つ又は複数のステップでミシン又は他の機械を通して一直線に組み立ててまとめて供給することができ、ありとあらゆるこうした変形は、等価であり本開示の範囲内にあるとみなされる、ということを理解するであろう。
【００９８】
単独では示さないが、縫い合わせることに加えて又はその代わりに、例えば限定しないが、可撓性材料面５２７及び５２８、パイピング５２５等を合わせて結合するため等、様々なキャリーストラップ２２、２２Ａ、２２Ｂ、２２Ｃ、２２Ｄ、２２Ｅ、２２Ｆ、２２Ｇ及び／又は２２Ｈのうちの任意のものの様々な構造及び構成要素のうちの任意のものを結合するために、接着剤又はラミネートも利用することができる。したがって、例えば限定しないが、縫い合せ、接着剤、リベット、スナップ等、ありとあらゆる取付手段及び機構は、等価であり本開示の範囲内にあるとみなされる。
【００９９】
キャリーストラップ２２Ａ、２２Ｂの縁（複数の場合もある）に沿って切断抵抗ケーブル（複数の場合もある）３８を組み込むことにより、追加の構造的かつ製造上の利点、すなわち、切断抵抗ケーブル（複数の場合もある）３８の端部を横方向寸法においてキャリーストラップ２２Ａ、２２Ｂの中間又は中心に折り曲げることができるということが可能になり、それを図４７に示す。これにより、切断抵抗ケーブル３８の端部が、キャリーストラップ２２Ａ、２２Ｂの可撓性材料５２７、５２８を貫通するか若しくは突き刺すか、又はキャリーストラップ２２Ａ、２２Ｂから外側に突出するような位置になることが防止される。製造上の観点から、切断抵抗ケーブル３８の折曲げにより、ケーブル３８の端部に別個に蓋をかぶせるいかなる必要もなくなり、製造時間及び費用の両方における節約が可能になる。
【０１００】
キャリーストラップ２２Ａ、２２Ｂの端部は、図４７及び図４８に示すように更に仕上げられる。図４７において第１の折目５２９として示すように、キャリーストラップ２２Ａ、２２Ｂの端部の第１の部分が折り返され、図示する縫目線５３７及び／又は５３９を通る縫い合せ（stitching）又は他の縫付（sewing）による等、任意選択的に適所に固定することができる。さらに、図４８において第２の折目５３４として示すように、キャリーストラップ２２Ａ、２２Ｂの折曲げ端部が再度折り曲げられて、締結具（マルチグライドロックスナップフックファスナー５０１、蝶番式ロック矩形リング５００、５００Ａ、５００Ｂ、カラビナ４４、４４Ｂ及び／又はバックル４２、４５に等）に固定するためのループ４０（及び／又はループ４７、４７Ａ）を形成し、固定される（図示する（縫目）線５４１及び／又は５４３を通る縫い合せ又は他の縫付、締付、リベット留め、接着剤等を介して等。線５４１及び／又は５４３は、線５３７及び／又は５３９を通る縫い合せ又は他の固定の代わりとすることができ又はそれに加えることができる。）。その結果、切断抵抗ケーブル３８（又は３８Ａ、３８Ｂ）の端部は、キャリーストラップ２２Ａ、２２Ｂを貫通するか又は消費者を切り付けるか若しくは傷つけるような位置になることが防止され、更に審美的な目的で隠されたままである。キャリーストラップの端部のこの方法及び結果として得られる形態又は構成は、代表的なキャリーストラップ２２、２２Ａ、２２Ｂ、２２Ｃ、２２Ｄ、２２Ｅ、２２Ｆ、２２Ｇ及び／又は２２Ｈのありとあらゆるものに適用可能であり、キャリーストラップ２２、２２Ａ、２２Ｂ、２２Ｃ、２２Ｄ、２２Ｅ、２２Ｆ、２２Ｇ及び／又は２２Ｈの自由端を仕上げる更なる代替的な構成及び形態については、図５０及び図５２を参照して以下で例示し考察する。
【０１０１】
単独では示さない別の代表的な実施形態では、例えば中間又は縁に沿ってケーブル３８を固定（anchoring）せずに、切断抵抗ケーブル３８を単独で固定することなく、切断抵抗ケーブル３８は単に、可撓性材料面５２７及び５２８の間において維持される。この形態の場合、切断抵抗ケーブル３８の端部を、図示するようにキャリーストラップ２２の中間に向かって折り曲げ、キャリーストラップ２２Ａ、２２Ｂに対して上述したように仕上げることもできる。代替的に、端部を折り曲げるのではなく、キャリーストラップ２２Ｃに対して後述するように、実質的フラットエンドキャップ５４４を用いて、キャリーストラップ２２Ａ、２２Ｂを仕上げることもできる。
【０１０２】
図４９は、キャリーストラップ２２Ｃの代表的な第４の実施形態の製造におけるステップを示す等角図であり、図５０は、キャリーストラップ２２Ｃの代表的な第４の実施形態を示す等角図であり、図５１は、キャリーストラップ２２Ｃの代表的な第４の実施形態のＢ−Ｂ’平面を通る断面図であり、図５２は、フラットエンドキャップ５４４を備えたキャリーストラップ２２Ｃの代表的な第４の実施形態の等角図である。
【０１０３】
図４９に示すように、可撓性材料面５２７及び５２８は、それぞれの仕上げられた第１の縁５２４Ａ及び５２４Ｂ並びに仕上げられた第２の縁５２６Ａ及び５２６Ｂを有する２つの可撓性ウェビング材料片を用いて実施される。可撓性材料面５２７及び５２８は、所定量だけ互いに横方向に、すなわち左右にずれて、それぞれの側方（又は横方向ずれ）領域５７６及び５７７を提供し、縫目５３２Ａ及び５３２Ｂとして示す縫付又は他の縫い合せ等により、互いに結合される。そして、第１の材料面５２７の側方（又は横方向ずれ）領域５７６の上方に第１のケーブル３８Ａが配置され、第２の材料面５２８の側方（又は横方向ずれ）領域５７７の下方に、別の第２のケーブル３８Ｂが配置され、その後、図５０及び図５１に示すように、各側方（又は横方向ずれ）領域５７６、５７７は、対応するケーブル３８Ａ、３８Ｂの周囲に巻き付けられる。所定のずれの量は、ケーブル３８Ａ及び３８Ｂの周囲に巻き付けるために十分な可撓性（ウェビング）材料を提供するように選択される。そして、図５０及び図５１において縫目５４２Ａ及び５４２Ｂとして示す、縫付又は他の縫い合せ等により、第１の材料面５２７及び第２の材料面５２８の巻き付けられたずれ領域５７６、５７７が適所に結合される。縫い合せに加えて又はその代わりに、接着剤（単独では示さず）もまた利用することができる。図５０に示す代表的な実施形態では、例えば限定しないが、クリンプ５０７を介する等、ケーブル３８Ａ及び３８Ｂの端部を互いに結合することができる。ケーブル３８Ａ及び３８Ｂの端部を覆うために十分な量で形成されているストラップの端部の上で、嵌合凹部又は内腔５４７（嵌合凹部は、いかなる追加の構造も必要なしに単純な開口部又はトンネルであるため、単独では示さず）を有する実質的フラットエンドキャップ５４４を摺動させることができ、且つ図５２において縫目５４６として示す縫付又は他の縫い合せ等（それはまた、ケーブル３８及びクリンプ５０７の端部も固定する）により適所に固定することができ、キャリーストラップ２２Ｃを形成する。フラットエンドキャップ５４４は、任意の適切な材料、同様に例えば限定しないが通常ゴム又はプラスチック若しくは他のポリマーから構成することができる。
【０１０４】
フラットエンドキャップ５４４は、通常、ストラップ２２、２２Ａ、２２Ｂ、２２Ｃ、２２Ｄ、２２Ｅ、２２Ｆ、２２Ｇ及び／又は２２Ｈと、そのストラップが、ストラップ２２、２２Ａ、２２Ｂ、２２Ｃ、２２Ｄ、２２Ｅ、２２Ｆ、２２Ｇ及び／又は２２Ｈの露出した自由端を有するバックパック又は別のバッグ２０の実施形態で利用される場合に、利用される。図１及び図４に示すような他の実施形態では、ストラップ２２、２２Ａ、２２Ｂ、２２Ｃ、２２Ｄ、２２Ｅ、２２Ｆ、２２Ｇ及び／又は２２Ｈの端部は、キャリングバッグ２０に直接結合するか、又は上述したような様々なバックル及び／又は締結具のうちの任意のものに結合することができる。ストラップ２２、２２Ａ、２２Ｂ、２２Ｃ、２２Ｄ、２２Ｅ、２２Ｆ、２２Ｇ及び／又は２２Ｈの端部を、図４７及び図４８を参照して上述したように仕上げることもできる。
【０１０５】
破線を用いて図５２に示すように、縫目５４６がケーブル３８Ａ及び３８Ｂのクリンプ留めされた端部によって形成されたループ内にあるように、クリンプ５０７を有するケーブル３８Ａ及び３８Ｂの端部が、スロット５０９を越えてフラットエンドキャップ５４４内に十分に挿入されており、フラットエンドキャップ５４４をストラップ２２Ｃに固定さする。同様に図５２に示すように、結果として得られるキャリーストラップ２２Ｃは、（使用者による長さ調整のために）ラダーロック型バックル５４８内を容易に摺動しかつラダーロック型バックル５４８によって係止位置で保持されるのに、十分に可撓性があり、かつ十分薄いフォームファクターを有する。ラダーロック型バックル５４８は、後にキャリングバッグ２０に固定される、ループ５４９に形成されたキャリーストラップ２２Ｃの別の切片又は部分を用いて、キャリングバッグ２０、２０Ｃ（バックパック等）に固定することができる。
【０１０６】
図５３〜図６１は、キャリーストラップの代表的な第５の実施形態、第６の実施形態、第７の実施形態、第８の実施形態及び第９の実施形態、すなわちそれぞれキャリーストラップ２２Ｄ、２２Ｅ，２２Ｆ，２２Ｇ及び２２Ｈの等角図及び断面図である。図５３に示すように、ウェビング材料（又は、ストラップ２２、２２Ａ、２２Ｂ、２２Ｃ、２２Ｄ、２２Ｅ、２２Ｆ、２２Ｇ及び／又は２２Ｈを形成するために利用される様々な他の可撓性材料（例えば、可撓性材料５６１）のうちの任意のもの）等、単一の可撓性材料片５２７について、可撓性材料５２７の全幅より小さい任意の所定の横方向寸法（幅）を有し、可撓性材料５２７の長さ（長手方向寸法）に沿って延在する、中間（又は中心）領域５６２を有するものとして述べることができ、可撓性材料５２７のバランスについて、同様に可撓性材料５２７の長さ（長手方向寸法）に沿って延在する第１の側部又は側方領域５６３及び第２の側部又は側方領域５６４として述べることができる。図５４〜図６１を参照して以下で例示し考察する様々な実施形態では、中間（又は中心）領域５６２並びに第１の側部又は側方領域５６３及び第２の側部又は側方領域５６４は、均一又は不均一とすることができる広範囲の厚さを有することができ、例えば、中間（又は中心）領域５６２は、図５４〜図５７及び図５９に示すようにかつ図５３において任意選択的な相対的に厚い領域４９９として破線を用いて示すように、第１の側部又は側方領域５６３及び第２の側部又は側方領域５６４より厚くすることができる。他の実施形態では、中間（又は中心）領域５６２は、図５８及び図６１に示すように、第１の側部又は側方領域５６３及び第２の側部又は側方領域５６４とおよそ同じ厚さを有することができる。これらの様々な実施形態に対して、（第１の側部又は側方領域５６３及び第２の側部又は側方領域５６４に沿って長手方向に配置された）それぞれのケーブル３８Ａ及び３８Ｂの周囲に横方向に、第１の側部又は側方領域５６３及び第２の側部又は側方領域５６４の各々を巻き付け、図５４において縫目５６５として示す縫付又は他の縫い合せ等により、適所に固定することができる。
【０１０７】
それぞれの第１の側部又は側方領域５６３及び第２の側部又は側方領域５６４の各々について述べ、又は、長手方向に延在する３つの領域、すなわち、中心領域５６２に隣接するそれぞれ第１の中間領域５８４Ａ及び第２の中間領域５８４Ｂ、それぞれの縁５２４及び５２４に隣接するそれぞれ第１の側方領域５７９Ａ及び第２の側方領域５７９Ｂ、並びにそれぞれの中間領域５８９Ａ及び５８９Ｂに概念的に分割することができる。図５３に示すように、それぞれのワイヤー又はケーブル３８Ａ、３８Ｂが、それぞれの中間領域５８９Ａ及び５８９Ｂの上に配置され、それぞれの第１の側方領域５７９Ａ及び第２の側方領域５７９Ｂは、それぞれのワイヤー又はケーブル３８Ａ、３８Ｂの上で折り畳まれ、第１の中間領域５８４Ａ及び第２の中間領域５８４Ｂにそれぞれ結合されて、それぞれの縫目５６５Ａ及び５６５Ｂとして示す縫い合せ等により、それぞれのワイヤー又はケーブル３８Ａ、３８Ｂを横方向に封入する。
【０１０８】
図５４は、キャリーストラップ２２Ｄの代表的な第５の実施形態の等角図である。図５４に示すように、単一のウェビング片５６１は、中間（又は中心）領域５６２の方が厚く、第１の側部又は側方領域５６３及び第２の側部又は側方領域５６４が、上述したようにそれぞれのケーブル３８Ａ、３８Ｂの周囲に巻き付けられかつ適所に固定されるのを可能にし、実質的に一様な全厚さと概して実質的に薄いフォームファクターとを有するキャリーストラップ２２Ｄを形成する。第１の側部又は側方領域５６３及び第２の側部又は側方領域５６４と比較した中間（又は中心）領域５６２の比較的な厚さに応じて、第１の側部又は側方領域５６３及び第２の側部又は側方領域５６４の幅に応じて、かつ第１の側部又は側方領域５６３及び第２の側部又は側方領域５６４に沿った又はその中のワイヤー又はケーブル３８の配置の位置に応じて、図５５〜図５７及び図６１に示すように、キャリーストラップ２２Ｄの様々な異なる形態又は構成をもたらすことができる。
【０１０９】
図５５は、第１の形態及び第１の厚さ構成を有する（図５４の）キャリーストラップ２２Ｄの代表的な第５の実施形態のＦ−Ｆ’平面を通る断面図であり、図５６は、第２の形態及び第２の厚さ構成を有する（図５４の）キャリーストラップ２２Ｄの代表的な第５の実施形態のＣ−Ｃ’平面を通る断面図であり、図５７は、第２の形態及び第１の厚さ構成を有する（図５４の）キャリーストラップ２２Ｄの代表的な第５の実施形態のＣ−Ｃ’平面を通る断面図である。図示するように、ウェビング５６１の中間（又は中心）領域５６２は、厚さが「Ｂ」であり、第１の側部又は側方領域５６３及び第２の側部又は側方領域５６４の各々は、厚さが「Ｃ」であり（概して横方向に対称的であるが、これは必須ではない）、ワイヤー又はケーブル３８Ａ、３８Ｂの各々は、厚さが「Ｄ」である（この場合もまた、概して対称的であるが、それもまた必須ではない）。図５５に示す実施形態では、ワイヤー又はケーブル３８Ａ、３８Ｂの各々の配置は、中間（又は中心）領域５６２のそれぞれの側方縁５１９から第１の所定距離であり、例えば、比較的縁５１９に近いが、概して、縫目５６５Ａ、５６５Ｂに対して十分な空間を可能にするために完全には当接していない。この実施形態では、横方向におよそ又は実質的に均一な厚さを有するキャリーストラップ２２Ｄを提供するために、中間（又は中心）領域５６２の厚さ「Ｂ」は、概して、第１の側部又は側方領域５６３及び第２の側部又は側方領域５６４の厚さ「Ｃ」の２倍より、およそワイヤー又はケーブル３８の厚さ「Ｄ」だけ大きく、すなわち、Ｂ≒２Ｃ＋Ｄである。この実施形態に対して、かなりの範囲の相対的な厚さが利用可能であり、本開示の範囲内にあり、例えば限定しないが、任意の所与の実施態様及び公差レベルに対して必要であるか又は望ましい可能性があるように、Ｂ≒（１．８〜２．２）Ｃ＋Ｄ、Ｂ≒（１．５〜２．５）Ｃ＋Ｄ、Ｂ≒（１．０〜３．０）Ｃ＋Ｄである。
【０１１０】
図５６に示す実施形態では、ワイヤー又はケーブル３８の各々の配置は、中間（又は中心）領域５６２のそれぞれの側方縁５１９から第２の所定距離であり、それは、図５５の第１の所定距離より大きく、第１の側部又は側方領域５６３及び第２の側部又は側方領域５６４の各々がワイヤー又はケーブル３８Ａ、３８Ｂの周囲に巻き付き、図示するようにかつ上述したようにそれぞれの第１の側部又は側方領域５６３及び第２の側部又は側方領域５６４のより中央の部分に接触することを可能にし、かつ縁５２４、５２６が中間（又は中心）領域５６２の縁５１９に接触する（又は接触するように接近する）か又は当接するのに十分な距離である。この実施形態では、キャリーストラップ２２Ｄは、中心においてのみおよそ又は実質的に均一な厚さを有し（すなわち、側方縁又は領域の方が厚い）、中間（又は中心）領域５６２の厚さ「Ｂ」は、第１の側部又は側方領域５６３及び第２の側部又は側方領域５６４の厚さ「Ｃ」の概して約２倍であり、すなわち、Ｂ≒２Ｃである。この実施形態に対して、かなりの範囲の相対的な厚さが利用可能であり、本開示の範囲内にあり、例えば限定しないが、任意の所与の実施態様及び公差レベルに対して必要であるか又は望ましい可能性があるように、Ｂ≒（１．８〜２．２）Ｃ、Ｂ≒（１．５〜２．５）Ｃ、Ｂ≒（１．０〜３．０）Ｃである。
【０１１１】
図５７に示す実施形態では、ワイヤー又はケーブル３８の各々の配置は、中間（又は中心）領域５６２のそれぞれの側方縁５１９から第２の所定距離であり、それもまた、図５５の第１の所定距離より大きく、第１の側部又は側方領域５６３及び第２の側部又は側方領域５６４の各々がワイヤー又はケーブル３８Ａ、３８Ｂの周囲に巻き付き、図示するようにかつ上述したようにそれぞれの第１の側部又は側方領域５６３及び第２の側部又は側方領域５６４のより中央の部分に接触し又は触れることを可能にし、かつ縁５２４、５２６が中間（又は中心）領域５６２の縁５１９に接触する（又は接触するように接近する）か又は当接するのに十分な距離である。この実施形態では、キャリーストラップ２２Ｄは、より可変かつ不均一な厚さを有し（すなわち、縁５２４、５２６が中間（又は中心）領域５６２の縁５１９に接する場所の方が薄い）、中間（又は中心）領域５６２の厚さ「Ｂ」は、概して、第１の側部又は側方領域５６３及び第２の側部又は側方領域５６４の厚さ「Ｃ」の２倍よりおよそワイヤー又はケーブル３８の厚さ「Ｄ」だけ大きく、すなわち、Ｂ≒２Ｃ＋Ｄであり、上述したように、相対的な厚さの同様の範囲を有している。
【０１１２】
図５８に示すように、単一のウェビング材料片５６６を、第１の側部若しくは側方領域５６３又は第２の側部若しくは側方領域５６４のうちの一方に沿って配置された単一ケーブル３８の上で折り畳むことができ、縫目５６７及び５６８として示す縫付又は他の縫い合せ等により固定することができ、十分に一様な全厚さ（例外としてワイヤー又はケーブル３８が位置する側に沿ってわずかに厚い）と、概して実質的に薄いフォームファクターとを有するキャリーストラップ２２Ｅを形成する。図５９に示すように、単一の可撓性材料（ウェビング）片５６１もまた、中間（又は中心）領域５６２の方が厚く、第２の可撓性材料（ウェビング）片５６９は、（第１の側部又は側方領域５６３及び第２の側部又は側方領域５６４に沿って配置された）それぞれのケーブル３８Ａ、３８Ｂの上に配置され、縫目５７０Ａ及び５７０Ｂとして示す縫付又は他の縫い合せ等により適所に固定されて、実質的に一様な全厚さと概して実質的に薄いフォームファクターとを有するキャリーストラップ２２Ｆを形成している。図６０に示すように、単一の可撓性材料（ウェビング）片５７２は、中央の方が薄く、ケーブル３８を保持又は収容するためのチャネル５７３を形成し、第２のウェビング片５７４が、ケーブル３８及びウェビング５７２の上に配置され、縫目５７５Ａ及び５７５Ｂとして示す縫付又は他の縫い合せ等により適所に固定されて、実質的に一様な全厚さと概して実質的に薄いフォームファクターとを有するキャリーストラップ２２Ｇを形成している。図５３〜図６１において単独では示さないが、これらのキャリーストラップ２２Ｄ、２２Ｅ、２２Ｆ、２２Ｇ及び／又は２２Ｈのうちの任意のもの又は本明細書に開示する他のキャリーストラップのうちの任意のものもまた、実質的フラットエンドキャップ５４４で仕上げ、ラダーロック型バックル５４８と利用するか、又は図４７及び図４８に示すような、他の方法で本明細書に記載するように仕上げることができる。
【０１１３】
図６１に示すように、概して均一な厚さを有する第１の可撓性材料片５２７を２本のワイヤー又はケーブル３８Ａ、３８Ｂの上で折り畳むことができ、ワイヤー又はケーブル３８Ａ、３８Ｂは各々、第１の側部若しくは側方領域５６３又は第２の側部若しくは側方領域５６４のそれぞれ１つに沿って配置され、それぞれの側方縁５２４、５２６は、図示するように、中心で互いに当接するか又は近接して間隔を空けて配置される。より均一な厚さを提供するために、同様に概して均一な厚さを有する別個の第２の可撓性材料片５８１もまた、図示するように折り畳まれ、そのそれぞれの側方縁５８２、５８３は中心で互いに当接するか又は近接して間隔を空けて配置され、折り畳まれた第１の可撓性材料５２７の第１面の上で、縫目５７８Ａ及び５７８Ｂとして示す縫付又は他の縫い合せ等により固定されて、実質的に一様な全厚さと概して実質的に薄いフォームファクターとを有するキャリーストラップ２２Ｈを形成している。この代表的なキャリーストラップ２２Ｈの実施形態では、ウェビング材料から構成することができるが、第１の可撓性材料５２７及び第２の可撓性材料５８１は、仕上げられた第１の縁５２４Ａ、５２６Ａ及び第２の縁５２４Ｂ、５２６Ｂは不要であり、本明細書に記載する可撓性材料のうちの任意のものから構成することができる。ウェビング材料が利用される実施形態では、第２の可撓性材料５８１は折り畳む必要がなく、単に、第１の可撓性材料５２７より小さい幅を有することができる。
【０１１４】
ここでまた図２〜図４を参照すると、バッグ２０内に保持されるセキュリティパネルアセンブリ６２（等価に内部セキュリティパネルアセンブリとも呼ぶ）の形態及び組立について示す。セキュリティパネルアセンブリの更なる実施形態もまた、様々な図に示しかつ後述し、その結果、本明細書におけるセキュリティパネルアセンブリのいかなる言及も、限定しないがセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂを含む、本明細書に開示する他の様々なセキュリティパネルアセンブリ及びサブアセンブリ実施形態のうちのありとあらゆるものを意味しかつ含むように理解されるものとする。さらに、上述したように、バッグ２０に対するいかなる言及も、例えば限定しないがバッグ２０Ａ、２０Ｂ、２０Ｃ、２０Ｄ及び２０Ｅを含む他のバッグ実施形態のうちの任意のものを意味しかつ含むように理解されるべきである。
【０１１５】
セキュリティパネルアセンブリ６２は、バッグ２０、２０Ａ、２０Ｃ、２０Ｄ、２０Ｅに可撓性があり続けることを可能にし、しかもなお、バッグ２０、２０Ａ、２０Ｃ、２０Ｄ、２０Ｅの中身にアクセスするためにバッグ２０、２０Ａ、２０Ｃ、２０Ｄ、２０Ｅからバッグ２０、２０Ａ、２０Ｃ、２０Ｄ、２０Ｅの内部６０に切り込むことを防止することによって、多大なセキュリティを提供するように、製作される。具体的に、セキュリティパネルアセンブリ６２は、例えば限定しないが合成（ポリマー等）又は金属製とすることができる切断抵抗材料のワイヤー又はケーブルのマトリックスの上に縫い合わされるか又は他の方法で合わせて取り付けられる、可撓性又は折畳み可能な材料層から構成される。そして、セキュリティパネルアセンブリは、バッグ２０、２０Ａ、２０Ｃ、２０Ｄ、２０Ｅ内に配置され、バッグ２０、２０Ａ、２０Ｃ、２０Ｄ、２０Ｅの内部６０内に維持される。このように、バッグ２０内に仕切り部６０が形成され、通常、セキュリティパネルアセンブリは、その仕切り６０部内の裏張り２９と外部布材料２３又はバッグ２０を画定する他の材料との間に配置されるか又は位置決めされる。他の代表的な実施形態では、例えば限定しないが、内部若しくは外部ポケット又は拡張パネル（８１５、１４００〜１４００Ｂ）を画定するバッグ２０の裏張りと外部部分との間等、他の又は更なる位置又は場所に、セキュリティパネルアセンブリを設けることができる。
【０１１６】
本開示を通して、１本のワイヤー、複数のワイヤー、又はワイヤーマトリックス若しくは繊維マトリックス（複数の場合もある）について言及し、ワイヤー、繊維マトリックス又はワイヤーマトリックスに言及する場合、それは、任意のタイプの金属又は非金属のワイヤー、ケーブル、繊維、糸又はヤーンを意味し含むものと理解されるべきである。様々な代表的な実施形態において、こうしたワイヤーは、およそ０．１ｍｍからおよそ３．５ｍｍ、又はより詳細には約０．７ｍｍから約１．５ｍｍ、又はより詳細には約およそ０．６ｍｍ、ゲージ若しくは径のケーブル型ワイヤーであり、金属材料の多くのストランドから構成されて、セキュリティパネルアセンブリの容易に及び／又は直ちに切り込まれることに対する抵抗を提供することができる。他の代表的な実施形態では、ケーブル又はワイヤーはまた、米国デラウェア州ウィルミントンのDuPontから入手可能な、Ｋｅｖｌａｒ（商標）アラミド繊維、糸若しくはヤーン、又は米国テキサス州ヒューストンのKuraray America Inc.から入手可能なＶｅｃｔｒａｎ（商標）液晶ポリマーマルチフィラメント繊維、糸若しくはヤーン等、非金属の実質的に切断抵抗性のポリマー系繊維、糸若しくはヤーン等のポリマー及び／又は炭素繊維（個々にかつまとめて「繊維」と呼ぶ）等、任意の他の切断抵抗材料製とすることもできる。様々なワイヤー又は繊維を形成するために、異なるタイプの材料の組合せを利用することもできる。例えば限定しないが、切断抵抗繊維を金属又は炭素繊維若しくは糸、金属合金、又は弾性若しくはゴム繊維若しくは糸と、鋼及びポリマーの組合せ等、様々な組合せのうちの任意のもので組み合わせることができる。
【０１１７】
さらに、多種多様な金属、非金属、及びハイブリッド金属−非金属マトリックスについて、以下に詳細に例示し記載する。これらの様々なワイヤー及び繊維マトリックス実施形態のすべてのうちの共通の特徴のうちの１つは、（通常、単一長さ（single length）のワイヤー（又は繊維）を用いて形成されている）各マトリックスは、詳細に後述するように複数の閉鎖ワイヤー形状を形成する、複数のワイヤー十字交差部（crossing）又は他の方法で重なった交差部（intersection）を備えている、ということである。マトリックスを形成する複数のワイヤー十字交差部のうちの（全てではなくても）多くにおいて、ワイヤーの幾つかの部分は、互いに直接接触し当接しているが、他の場所では特に互いに分離されており、例えば、これらの交差部において、クリンプ留めされず、はんだ付けされず、ろう付けされず、又は他の方法で接続されない。代わりに、マトリックスの構造的完全性は、同様により詳細に後述するように、第１の材料層及び／又は第２の材料層に又はその間に結合されることによって維持される。結果として、これらのワイヤー十字交差部におけるワイヤーの部分の移動は、従来技術におけるよりはるかに制約されず、著しい可撓性及び変形能力を可能にしながら、同時に所望のレベルの切断抵抗セキュリティを維持する。
【０１１８】
代表的な内部セキュリティパネルアセンブリ６２と、図に示しかつ後述する様々な更なる代表的な又は例示的なセキュリティパネルアセンブリは、バッグ２０〜２０Ｅの任意の形状又は形態に対応するため、又はバッグの切断抵抗拡張パネルを補強しかつ提供する等の他の目的に対応するために、実質的に任意の形状又は形態を有することができる。例えば限定しないが、例示する代表的なセキュリティパネルアセンブリの多くは、任意のスタイル、形状又は形態を有することができる、バッグ２０〜２０Ｅの内部に挿入されるために、ボックス形状に等、後に折り畳まれるように構成される。セキュリティパネルアセンブリの他の例示する形態は、出荷のためにバッグ２０、２０Ａ、２０Ｃ、２０Ｄ、２０Ｅを圧縮するため等、更なる折畳みを可能にする。他の形状、スタイル及び形態もまた本開示の範囲内にある。例えば、ハードケーススーツケース（例えば、バッグ２０Ｂ）は、バッグの２つのハードケース側部の間を拡張することができるように広げかつ開放することができる１つ又は複数の可撓性材料拡張パネルを有することができ、ワイヤーマトリックス又はメッシュ（後述する）を有する内部セキュリティパネルアセンブリは、ハードケースバッグの更なるセキュリティ機能として、こうした可撓性材料拡張パネル内に組み込まれるような形状としそのように構成することができる。
【０１１９】
同様に例えば限定しないが、キャリングバッグ２０、２０Ａ、２０Ｃ、２０Ｄ、２０Ｅの背面は、消費者の身体に接して装着されて侵入者又は盗人によってアクセス可能ではなくすることができ、又は実質的に切断抵抗性である形作られた成形材料から構成することができる。こうした実施形態では、ワイヤーマトリックス又はメッシュを有する内部セキュリティパネルアセンブリはまた、例えば対応する背面は不要とすることもでき、代わりに、４つの面、すなわち正面、側面（又は端面）及び底面によって画定することができる。
【０１２０】
代替的に、図２０〜図２４を参照すると、単一ワイヤー２００を採用することができ、それは、ワイヤー２００の３つ以上の端部２０２及び２０４がパネルアセンブリ２０６の縁において対処するか又は対応する必要があることを回避するために、単一ワイヤー２００をループにする等により、間の材料層に沿ってかつそれを横切って配索される。
【０１２１】
図３及び図４に、例示的なセキュリティパネルアセンブリ６２についてより詳細に示す。図２を参照すると、図示する実施形態における内部セキュリティパネルアセンブリ６２は、ローマ数字又は大文字「Ｉ」の輪郭として述べることができる輪郭を有する単一の（可撓性又は折畳み可能）パネルから構成される。上述したように、バッグ２０の形態に応じて、かつセキュリティパネルアセンブリがセキュリティ又は保護のために必要である場合、Ｔ字又はＵ字型等、他の形態も採用することができる。セキュリティパネルアセンブリ６２は、この場合、折線７０、７２、７４及び７６に沿って折畳み可能である単一パネルから構成される。そのように折り畳まれると、パネルアセンブリ６２は、概して図３に示すようなボックスの形状を画定する。したがって、折線７２、７４及び７６とともに折線７０に沿って折り畳むか又は形作ることにより、底面８０、対向する側面８２及び８４並びに端部パネル８６及び８８を有するボックス状構造が形成される。このボックス状アセンブリ又はボックス状セキュリティパネルアセンブリは、外部バッグ２３を形成する材料の内側面（内面）にセキュリティパネルアセンブリ６２を取り付けることによって、バッグ２０、２０Ｃ、２０Ｄの製造作業中に形成される。そして、折り畳まれたセキュリティパネルアセンブリ６２及び外部バッグ２３を形成する他の材料の上にかつその内部に、裏張り２９を配置することができる。そして、裏張り２９、セキュリティパネルアセンブリ６２及び外部バッグ２３の層を縫い合わせて、他の任意の所望の構成要素とともにバッグ２０を形成することができる。セキュリティパネルアセンブリ及び／又はバッグ２０の組立を容易にするために、接着剤又はラミネートを使用することもできる。代表的な実施形態では、縫い合せを用いて、バッグ２０、２０Ａ、２０Ｃ、２０Ｄ、２０Ｅが形成され生成される。裏張り２９は、セキュリティパネルアセンブリ６２の内面に接してはまり、それにより、裏張り２９、セキュリティパネルアセンブリ６２、及びキャリングバッグ２０、２０Ａ、２０Ｃ、２０Ｄ、２０Ｅを形成する外部バッグ２３の「サンドイッチ」により、バッグ２０、２０Ｃ、２０Ｄ内でセキュリティパネルアセンブリ６２を封入する。当然ながら、本発明の実施において、複数の別個のセキュリティパネル、サブパネル又はセキュリティパネルアセンブリ６２を結合して、複合内部セキュリティパネルアセンブリを提供することができる。図示する実施形態は、セキュリティパネルアセンブリ６２を外部バッグ２３に接続する容易かつ代表的な方法を提供する。折線、例えば折線７０及び７２は、（後述するような）ワイヤーマトリックスが、折線を通して連続しており、バッグを有効に形成するステップにより、セキュリティパネルアセンブリ６２が、バッグ２０、２０Ａ、２０Ｃ、２０Ｄ、２０Ｅの内壁の実質的に全て又は大部分の上にはまりかつ仕切り部６０に裏当てすることが確実になるため、バッグ２０の仕切り部又は内部６０のセキュリティが維持されることが確実になる。他の代表的な実施形態では、セキュリティパネルアセンブリは、バッグ２０〜２０Ｅの全て又は大部分ではなく、主区画等、バッグ２０〜２０Ｅの選択された部分を保護するように配置することもできる。例示する代表的な実施形態のうちの多くが、５面ボックス形状又は頂部が開放した形態を有するセキュリティパネルアセンブリを示すが、当業者は、例えば限定しないが、五角形、六角形、八角形、十二角形等、頂部が閉鎖した形態及び／又はより多いか若しくは少ない面及び面形状が、等価であり本開示の範囲内にあるとみなされることを認めるであろう。
【０１２２】
本明細書に記載するセキュリティパネルアセンブリは、より剛性のあるバッグ又は容器の用途でも使用することができる。図２５〜図２７に示すように、セキュリティパネルアセンブリ３００は、下部容器基部３０２をカバー３０４に枢支接続するために使用される。これに関して、セキュリティパネルアセンブリ３００は、基部３０２とカバー３０４との間にリビングヒンジ型の接続を形成することができる。図示するように、パネルアセンブリ３００は切断抵抗ケーブル又はワイヤー３０６を有し、それは、ワイヤー３０６の２つの端部３０８及び３１０のみがパネルアセンブリ３００の縁に存在するように、ループに形成されかつその長さに沿ってそれ自体が交差する。
【０１２３】
基部３０２は、頂部が開放したボックス又は他の形態を有する金属フレーム３１２とすることができ、カバー３０４は、一対のカバー部材３１４及び３１６を含むことができ、それらは協働して、閉鎖するように枢動したときにボックスフレーム３１２の開放した頂部を閉鎖し、ボックスフレーム３１２のいずれかの側部に沿ってかつ間にリビングヒンジを形成するようにカバー部材３１４及び３１６に沿って延在するセキュリティパネルアセンブリ３００を介して開放するように枢動したとき、バッグ内部へのアクセスを可能にする。
【０１２４】
より詳細には、ワイヤー網３０６（ワイヤーマトリックスとも呼ぶ）は、一対の内部金属プレート３１８と外部金属プレート３２０との間に延在しかつその間に捕捉されて、各カバー部材３１４及び３１６を形成する。これらのプレートはまた、各々が、それらの外周部に延在してそれに剛性を提供する補強ワイヤー３２１を有することができる。各ワイヤー網３０６は、フレーム３１２の対応する側部３２２及び３２４に沿って下方に、かつボックスフレーム３１２の下隅の周囲に延在し、それはフレーム３１２の底部３２６に固定される。この目的で、図２５及び図２６に示すように、各々底部３２６と実質的に同一の広がりをもつ金属プレート３２８及びプラスチックプレート３３０を、リベット留めによって底部３２６に固定して、それらの間でワイヤー網３０６の底部ループを締め付けて固定することができる。
【０１２５】
図５〜図１６は、セキュリティパネルアセンブリ６２の代表的な実施形態の形成に対する複数のステップ及びそれらの順序を示す。
【０１２６】
図５は、可撓性又は折畳み可能な材料の第１の層９０の切断及び形成である第１のステップを示す。第１の材料層９０の形状及び形態は、上述したようにローマ数字Ｉの形状又は構築中のバッグの設計に関連する任意の所望の形状とすることができる。材料層９０（及び、後述する他の第１の材料層及び／又は第２の材料層のうちの任意のもの並びにその逆）は、布、プラスチックシート、材料の任意の織若しくは不織シート、又は他の折畳み可能若しくは可撓性材料とすることができる。材料の選択は、本発明の限定する特徴ではない。そして、ワイヤー９２が、第１の材料層９０の表面に配置される。糊又は接着材９４によって、ワイヤー９２を適所に保持することができる。このように、１本又は複数本のワイヤー９２は、材料層の間に緩く捕捉されないように材料層９０に対して移動しないように固定され、それにより、隣接する一連のワイヤー（複数の場合もある）を互いに固定するためにクリンプ等の追加の保持デバイスが不要である。図示する実施形態におけるワイヤー９２のパターンは、層９０の表面を横切って対角線状に延びる、一連の間隔が空けられた平行なワイヤーである。図６及び図７は、層９０の上の糊又は接着剤９４の配置と、接着材又は糊材９４によって保持された層９０の上のワイヤー９２の位置決めを更に詳細に示す。
【０１２７】
そして、第１の層９０と実質的に同一の第２の層９６が、接着されて間隔を空けて配置された平行なワイヤー９８とともに準備される。代替的に、層９０及び９６のうちの一方を布材料とすることができ、他方は不織材料である。図８及び図９に示すように、第２の層９６は、第１の層９０に対して１８０度回転し（すなわち、裏返されるか又はひっくり返され）、第１の層９０の上に配置される。したがって、ワイヤー９８を含む第２の層９６は、ワイヤー９２を含む第１の層９０の上にはめられる。この場合もまた、ワイヤーマトリックスのパターンは限定する特徴ではない。この場合の選択されたマトリックスは、例としてパネル層９０及び９６の境界１０２に沿って終端する端部１００を有する一連の交差したワイヤーである。
【０１２８】
図１０に示す次のステップとして、ワイヤー９８及び９２は、例えばナイロン又は糸１０６による縫い合せにより、所望の位置に保持されるように適所に縫い合わされる。ワイヤー９２、９８は、縫目１０６と同様に接着剤又は糊９４によって層９０と層９６との間の適所に実質的に保持される。
【０１２９】
その後、図１１に示すように、少なくともセキュリティパネルアセンブリ６２の境界又は縁１０２のうちの幾つかに沿って、結合材１１０が施される。したがって、ＰＶＣ結合材又は他の任意のタイプの幾分か可撓性のある結合材１１０等の結合材１１０が、パネルアセンブリ６２の縁境界１０２の上にはめ込まれ、その後、はめ込まれると、図１２に示すように、境界縁１０２の上で折り曲げられる。そして、折り曲げられた結合材１１０は、ステッチ線１１２に沿って縫い合わされ、セキュリティパネルアセンブリ６２の縁が形成される。ポリ塩化ビニル結合材１１０又は同様の材料を使用することにより、ワイヤー９２及び９８の端部１００が、セキュリティパネルアセンブリ６２を貫通しない又はそこから外側に突出しないことが確実になる。当然ながら、ワイヤー９２及び９８は、曲げ可能であるか又は可撓性があり、したがって、軽量なケーブル材料若しくはスクリーンワイヤー又は容易に切断されない何らかの他の材料とすることができる。通常、ワイヤー９２及び９８は、約０．７ｍｍ〜１．５ｍｍスチールワイヤー等の金属ワイヤーでもあるが、この構造において、切断に抵抗する任意の材料を利用することができる。通常、ワイヤー９２、９８は、０．５０インチから２インチの間隔の平行な間隔を空けて配置された列になっている。
【０１３０】
その後、図１４及び図１５に示すように、ワイヤー９２、９８が内部セキュリティパネルアセンブリ６２を貫通しない又はそこから望ましくないように突出しないように、パネル縁１０２のすべてが結合される。したがって、結合材１１０は、好ましくは、内部セキュリティパネルアセンブリ６２の周囲全体に施される。例示では、セキュリティパネルアセンブリ６２は、ローマ数字Ｉの形態ではなく正方形形態を有する。しかしながら、内部セキュリティパネルアセンブリ６２の形態は、本発明の限定する特徴ではない。
【０１３１】
同様に、図２０〜図２４を参照すると、図示するセキュリティパネルアセンブリ２０６は、上述したような他の形態を有することができる。セキュリティパネルアセンブリ２０６の代表的な実施形態は、単一のワイヤー、すなわち、接着剤等によって固定される、（第１の材料層としての）パネル２０８に結合されたワイヤーマトリックス２１５を形成するワイヤー２００を有する。図示するように、ワイヤーマトリックス２１５を形成するために、ワイヤー２００は、パネル２０８の縁に隣接してループにされることにより、パネル２０８の縁に複数のワイヤーの多数の自由端がなくなり、代わりにパネル２０８の側縁のうちの１つに隣接するワイヤー２００に対する単一対の端部２０２、２０４のみがある。さらに、これらのワイヤーは、それ自体で交差するが、関連するパネルに接着されるため、パネルに沿って所望のパターンで延在するワイヤーを維持するように隣接するワイヤー部分を合わせて保持するためのクリンプ等が不要である。
【０１３２】
より詳細に後述する他の代表的な実施形態におけるように、ワイヤーマトリックス２１５のワイヤー２００（２４８）に対する単一対の端部２０２、２０４（又は後述する他のワイヤー端部）もまた、パネル２０８の中心に向かって折り返すことができ、それにより、端部２０２、２０４は、パネル２０８の縁を越えて延在しない。そして、接着剤、縫付等により、ワイヤーマトリックス２１５を有するパネル２０８に（第２の材料層としての）カバーパネル２１０を取り付けることができ、ワイヤーマトリックス２１５が埋め込まれたセキュリティパネルアセンブリ２０６を形成する。単独では示さないが、ただし、全ての実施形態のセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂに適用可能であるように、（本明細書に記載する実施形態のうちの任意のものにおける）第２の材料層もまた、（同様に本明細書に記載する実施形態のうちの任意のもの（例えば、ワイヤーマトリックス４１５）における）ワイヤーマトリックス２１５と（同様に本明細書に記載する実施形態のうちの任意のものにおける）第１の材料層との上に、第２の材料層としてのラミネートシートを施しかつ当業者には既知であり得るように積層プロセスを用いることによって、通常はインラインアセンブリプロセスで積層することができる。
【０１３３】
セキュリティパネルアセンブリ２０６が製作された後、それは、セキュリティパネルアセンブリ６２に対して上述したようにバッグ２０〜２０Ｅに組み込まれる。したがって、セキュリティパネルアセンブリ２０６は、バッグ２０内に、ワイヤーマトリックス２１５を有するセキュリティ層として組み込まれる。
【０１３４】
キャリーストラップ２２、２２Ａ〜２２Ｈに関連するケーブル部材３８もまた、内部セキュリティパネルアセンブリ６２、２０６（若しくは本明細書に開示する他のセキュリティパネルアセンブリ）に、又は上述したように取り付けることができる。外部バッグ２３及び内部セキュリティパネルアセンブリ６２、２０６の形状及び形態は、設計考慮事項に従って変更することができる。外部バッグ２３内の１つ又は複数の内部セキュリティパネルアセンブリ６２、２０６を含めることを採用することができる。
【０１３５】
次に、図２９〜図３６を参照して、代表的なセキュリティパネルアセンブリ４００の代替的な第４の実施形態（図３６）を製造するステップについて説明する。セキュリティパネルアセンブリ４００の代表的な実施形態を形成する作業ベース又はプラットフォームとして、小さい手織り機等の固定具４０２が準備される。例えば、固定具４０２は、セキュリティパネルアセンブリ４００を形成するために受け入れられる材料層４０６及び４０８より大きい取付基部又は板４０４を含む。取付板４０４は、そこから上方に突出する釘４１０の形態の幾つかの取付部材を含む。取付釘４１０は、実質的に平行な列で配置することができ、平行な列の第１の対は、材料層４０６の対向する平行な縁４１２及び４１４に対応し、平行な列の他方の又は第２の対は、列の第１の対に対して直交して延在するように向けられ、材料層４０６の平行な縁４１６及び４１８の他方の対に対応する。取付板４０４上の取付釘４１０の更なる形態又は配置については、図に示しかつ後述し、例えば限定しないが、セキュリティパネルアセンブリの所望の形状とワイヤー２００、４２８の所望の経路とに応じて変更することができる。縁４１２〜４１８に沿いかつ隣接して貫通開口部、孔又は隙間４２０が形成され、それらを、取付釘４１０をそこにはめるために取付釘４１０と整列させることができる。これに関して、材料層４０６及び４０８は、通常、不織又は布材料等の可撓性材料から構成されるため、釘４１０をその貫通開口部４２０内にかつ通してはめ込むために、材料層４０６（同様に、以下でより完全に記載する材料層４０８）を伸張させることができる。図３０は、材料層４０６が開口部４２０を通って延在する取付釘４１０を介して取付板４０４に保持された状態を示す。
【０１３６】
この時点で、材料層４０６は、その上方に面する表面４２４に塗布されるか又はその上で露出する感圧接着材４２２等の接着剤４２２を有することができる。一手法では、材料層４０６は、カバーシート４２６を含むことができ、カバーシート４２６は、その下にある予め塗布された（pre-applied）接着剤４２２から容易に除去することができる材料から作製される。図３０は、材料層表面４２４上で接着剤４２２を露出させるように、カバーシート４２６が材料層４０６から引き出されている状態を示す。カバーシート４２６及び予め塗布された接着剤を使用する代わりに、取付釘４１０によって取付板４０４に保持されている材料層４０６の上方に面する表面４２４に、接着剤４２２を直接塗布することができる。
【０１３７】
接着剤４２２を有する材料層４０６が取付板４０４に保持された状態で、スプール機構４３０（図３１）等のワイヤー固定具からケーブル又はワイヤー４２８を分配することができ、そこでは、例えば、ワイヤー４２８がスプール機構４３０からほどかれるか又は分配される際に、材料層４０６の上方に突出している取付釘４１０の周囲にワイヤー４２８を配索することができる。様々な代表的な実施形態では、ワイヤー４２８は、セキュリティパネルアセンブリ４００の容易に及び／又は直ちに切り込まれることに対する抵抗を提供するように、およそ０．１ｍｍ〜およそ３．５ｍｍ、又はより具体的には約０．７ｍｍ〜約１．５ｍｍ、又はより具体的には約およそ０．６ｍｍのゲージ又は直径の金属材料のワイヤーとすることができる。代替的に、ケーブル又はワイヤー４２８は、例えば限定しないが、ポリマー及び／又は炭素繊維、又は液晶ポリマーから紡糸された高性能熱可塑性マルチフィラメントヤーンであるＶｅｃｔｒａｎ（商標）等、他のヤーン材料等、他の任意の切断抵抗材料とすることもできる。
【０１３８】
図３１〜図３３に見ることができるように、釘４１０の周囲で所定の交差パターンに（単にジグザグではなく）ワイヤー４２８を連続的に配索することができ、ワイヤーマトリックス４５１を形成する。そこでは、ワイヤーは、図示する十字模様パターン等、それ自体が前後に交差し、それにより、単一長さの又は１片のワイヤー４２８が、辺が材料層４０６の周辺縁４１２〜４１８に対して斜め又は他の角度で向けられているボックス（例えば、正方形又は矩形）等、一連の明確に閉鎖した（開放していない）ワイヤー形状４２９を形成する。閉鎖ワイヤー形状４２９は、ワイヤー４２８の十字交差の結果として形成され、ワイヤー４２８の選択された経路に応じて、例えば限定しないが、三角形又は六角形等、正方形又は矩形に加えて任意の選択された形状を有することができるが、切断器具が通って摺動することができるように開放しているべきではない。その結果、ワイヤーマトリックスの閉鎖ワイヤー形状４２９は、それ以上なしに、切断抵抗セキュリティ機能を提供するには十分であり、さらに、ワイヤーマトリックス（４５１及び本明細書に記載する他のもの）は、従来技術において隣接した非交差ワイヤーを接続するために利用されたクリンプ又は他の閉鎖具若しくはコネクターの脆弱な可能性がある連結具を有していない。さらに、（明確にクリンプ留めされていないか又は他の方法で結合されていない）交差パターンを用いることにより、これらの閉鎖ワイヤー形状は、ワイヤーのオーバーラップの平滑かつ連続した領域でもあるセキュリティ構造を形成し、それにより、従来技術によるクリンプの隆起した出っ張り及び磨耗箇所が回避される。その結果、これらの交差箇所は、消費者には容易に明らかではなく、キャリングバッグに孔及び他の摩損パターンをもたらす傾向がある隆起した領域及び他の不連続部を提供しない。釘４１０は、材料層表面４２４及びその上の接着剤４２２に対して間隔をあけて配置された関係で、釘４１０の周囲にワイヤー４２８を堅く配索できるように十分な長さである。これにより、このプロセス中に、下にある接着材４２２と接触することによる厄介な問題をもたらす可能性なしに、釘４１０の周囲にワイヤー４２８を円滑に配索できる。ワイヤーマトリックス４５１及び本明細書に開示する他のワイヤーマトリックスの更なる特徴について、より詳細に後述する。
【０１３９】
図示するように、本方法は、単一ワイヤー４２８の使用を可能にし、それにより、縁４１２〜４１８のうちの１つに隣接して、縁４１２〜４１８のうちのいずれかを越えて突出するか又はそれに隣接して近すぎることにより、そこから露出しないように操作する必要があるのは、２つの端部４３２及び４３４のみである。例えば、図３３Ａ及び図３３Ｂを参照すると、端部４３２及び４３４におけるワイヤー４２８は、後方に曲げられて、材料層４０６の中心に向かって延在し、端部４３２及び４３４は、材料層４０６の端縁４１６に隣接して上方に面する表面４２４にかつその上に固定される。端部４３２、４３４が、曲げ又は湾曲部分４３５より材料層４０６の中心に近くかつ縁４１２〜４１８から離れるように曲げられると、ワイヤー４２８の曲げ又は湾曲部分４３５のみが縁４１２〜４１８に隣接し、更にそれに近づく。（後述するように）第２の材料層４０８を第１の材料層４０６に付着させた後、（第１の材料層４０６、接着剤４２２、ワイヤーマトリックス４５１及び第２の材料層４０８からなる）結果として得られるラミネート構造の縁は、ワイヤー端部の複数の対がそれに隣接することなく実質的に封止される。したがって、セキュリティパネルアセンブリ４００により、露出した金属又は他のワイヤー端部の複数の対へのアクセスを防止するために、その外周縁に沿って、カバー層４０６及び４０８にわたる保護カバー又は結合材を有する必要がなくなる。
【０１４０】
さらに、オプションとして、ワイヤー端部４３２及び４３４にキャップ４３９を設けることができ、キャップ４３９は、特に、ワイヤー４２８が１種又は複数種の金属若しくは金属合金から構成される可能性があり、端部４３２、４３４が鋭利であるか又は鋭利な縁を有する可能性がある場合、材料層４０６及び４０８の間にワイヤー４２８の露出した端部がないように、ポリマー材料（ＰＶＣチューブ等）とすることができる。これにより、ワイヤー端部４３２及び４３４が材料層４０６及び４０８を突出し突き刺すことが防止される。ワイヤー４２８が釘４１０の周囲に配索される前に、前端４３２にキャップをかぶせることができる。こうした配索が完了すると、ワイヤー４２８を切断して、後にキャップがかぶせられる第２の又は後端４３４を生成することができる。明らかに、必要に応じて複数のワイヤーを使用することもでき、追加のワイヤーは、１つ又は複数の所定パターンで取付釘４１０の周囲に配索され、ワイヤー４２８の配索と同様に、接着剤４２２を介して表面４２４に固定され、これらの追加のワイヤーの端部もまた、第１の材料層４０６の中心に向かって後方に曲げられキャップがかぶせられる。これに関して、複数のワイヤーは、別個のコネクター部材又はクリップによって互いに直接接続される（それにより、コストが増大し、セキュリティパネルアセンブリ４００においてコネクターが位置する場所に局所化した出っ張りが生成される可能性がある）必要はない。したがって、材料層４０６及び４０８の厚さに対するセキュリティパネルアセンブリ４００の厚さの唯一の増大は、それらの間に固定された（単一のかつオーバーラップする）ワイヤー４２８の厚さによる。
【０１４１】
例えば図９０に示す別の代表的な実施形態では、配索されたワイヤーの２つの端部を覆いかつ封入するように、１つのキャップ（例えば、６０１）を用いて２つの端部に合わせてキャップをかぶせることができる。
【０１４２】
ワイヤー４２８が取付釘４１０の周囲に配索され、ワイヤー端部４３２及び４３４にキャップがかぶせられ、位置決めされ、上方に面する表面４２４の接着剤４２２の上に配置された後、図３４に示すように、第２の材料層４０８は、その開口部４３６が取付釘４１０をその中に受け入れることができるように取付釘４１０と位置合わせされるように向けられる。これに関して、貫通開口部４３６は、対向する側縁４３８及び４４０並びに対向する端縁４４２及び４４４に沿ってかつそれに隣接して、第１の材料層４０６の縁４１２〜４１８に沿った開口部４２０の位置決めと同様に配置される。
【０１４３】
対応する開口部４３６を通して複数の釘４１０を同時にはめ込むことが困難である可能性があるため、概して、各開口部４２４、４３６が対応する取付釘４１０の上に個々にはめ込まれ、又は一度に数個の開口部４２４、４３６のみが、対応する釘４１０の上にはめ込まれるように、材料層４０６及び４０８を操作しなければならない。したがって、別の形式では、開口部が、対応する縁４３８〜４４４から間隔を空けて配置された貫通開口部又は隙間４３６であるように構成されるのではなく、図３３Ｂに示すように、代わりに、材料層４０８に切欠き開口部４４６を形成することができることが考えられる。これらの切欠き開口部４４６は、対応する縁４３８〜４４４に通じ、（例えば）Ｖ字型を有することができ、Ｖ字型切欠き開口部４４６の頂部に又はそれに隣接して取付釘４１０が配置される。これにより、第２の材料層４０８を、下にある第１の材料層４０６に付着させるようにワイヤー４２８の上に迅速に配置することができ、複数の取付釘４１０又は釘４１０の全ては、実質的に同時に対応する切欠き開口部４４６にはまる。このように、セキュリティパネルアセンブリ４００を形成するため、具体的には、第２の材料層４０８をワイヤー４２８及び第１の材料層４０６の上に付与するための組立時間を、著しく短縮することができる。
【０１４４】
第２の材料層４０８が、貫通開口部４３６内にかつ通して又は切欠き開口部４４６内にかつ通して延在している取付釘４１０を介して取付板４０４に保持された後、第２の材料層４０８、ワイヤー４２８、第１の材料層４０６の上の接着剤４２２及び第１の材料層４０６自体の間に近接した又は密接な接触を生成し確実にするように、第２の材料４０８に手動で、又は手持ち工具若しくは他の工具を介して、圧力が加えられる。第２の材料層４０８にわたって十分な圧力を加えた後、図３４に示すように、合わせて接着された第１の材料層４０６及び第２の材料層４０８の間に（ワイヤーマトリックス４５１を形成する）ワイヤー４２８が固定され接着されている、ラミネート構造体４４８が生成される。様々な代表的な実施形態では、ラミネート構造体４４８は、それ以上なしに、セキュリティパネルアセンブリとして機能し、かつ有効にセキュリティパネルアセンブリである。この実施形態では、セキュリティパネルアセンブリ４００の代表的な実施形態を形成するように、更なる特徴が含められる。
【０１４５】
釘４１０の形態である等の取付部材は、ワイヤー４２８、又はポリマー繊維若しくは金属ワイヤー等の他の切断抵抗材料を巻き付け及び／又は配索することを可能にすることができ、例えば限定しないが、釘、フック、ループ、針及びピン等の取付部材を含むことができるということのみを必要として、多くの異なる形態で具現化することができる。例を続けると、取付部材が針又は鋭利な釘４１０として実施される場合、材料層４０６及び４０８は、開口部、孔又は隙間４２０、４３６の別個の形成を必要とせず、むしろ、取付部材の上に単に材料層４０６及び４０８を配置することができ、それにより、材料層４０６及び４０８の可撓性材料に直接穴があけられる。したがって、こうした実施形態では、第１の材料層４０６は、取付部材（鋭利な釘又は針４１０）の上に圧力をかけて配置され、それにより、鋭利な釘又は針４１０は、第１の材料層４０６に穴をあけかつ保持又は固定し、接着剤４２２を塗布することができ、ワイヤー２００、４２８が配索され、それに続き、第２の材料層４０８が圧力をかけて付与され、それにより、鋭利な釘又は針４１０が第２の材料層４０８にも穴をあけ、ワイヤー２００、４２８及び第１の材料層４０６に対して第２の材料層４０８が十分に接触する。これにより、開口部、孔又は隙間４２０、４３６の適切な位置合わせのいかなる問題も著しく低減し、それは、こうした開口部、孔又は隙間４２０が自動的に生成されるためである。第１の材料層４０６及び第２の材料層４０８の弾性又は可撓性に応じて、鋭利な針又は釘４１０によって生成されたいかなる孔も、鋭利な針又は釘４１０からラミネート構造体４４８が除去されると通常、又は十分に閉鎖され、接着剤４２２によって更に固定することができる。
【０１４６】
そして、取付釘４１０から材料層４０６及び４０８を持ち上げることにより、固定具４０２からラミネート４４８が除去され、その時点で、代表的な実施形態においてオプションとして、ミシンによる等、鋸歯パターンでの縫目４５０が施され、ステッチは、材料層４０６及び４０８を相互接続し、（ワイヤー４２８によって形成された）ワイヤーマトリックス４５１を材料層４０６及び４０８の間の適所に永久的に更に固定する。縫目４５０は、ラミネート４４８に沿うとともに材料層縁４１２〜４１８及び４３８〜４４４に対応するその外周部に沿った任意の数の様々な位置にある可能性がある。図示するように、縫目４５０は、ラミネート４５０の対向する長い側縁４５２及び４５４に沿って、かつラミネート４４８の対向する短い方の端縁４５６及び４５８の間に延在する斜線に沿って延在する。他の縫目パターンについて、様々な図に示し、かつ後述する。縫い合せに加えて、リベット、ステープル等、他のタイプの固定機構を同等に利用でき、ラミネート構造体４４８を必要な又は望ましい程度まで安定化することができる。例えば、利用される接着剤４２２に応じて、追加の安定化を不要にする。
【０１４７】
例を続け、図６２を参照すると、第２の材料層４０８Ａが示されており、それは、その下方に面する表面４３１に、予め塗布された感圧接着材４２２Ａが塗布されるか又はその上で露出している。この手法では、第２の材料層４０８Ａはカバーシート４２６Ａを含むことができ、それは、その下の予め塗布された接着剤４２２Ａから容易に除去することができる材料から作製されている。図６０は、下方に面する材料層表面４３１の上で接着剤４２２Ａを露出させるように、カバーシート４２６Ａが第２の材料層４０８Ａから引き離されている状態を示す。そして、図３３Ａ及び図３３Ｂを参照して上述したように、ワイヤーマトリックス４５１及び第１の材料層４０６の上に第２の材料層４０８Ａを取り付けることができ、それに続き、図３４〜図３６を参照して例示し考察したステップが続く。さらに、この代表的な実施形態では、第１の材料層４０６の上方に面する表面４２４に接着剤４２２がある場合もあればない場合もあり、様々な層の間の接着は、第２の材料層４０８Ａの上で露出するか又はその上に塗布された接着剤４２２Ａによって代わりに又は更に提供される。同様に図６２に示すように、第１の材料層の外周部から離れて、単一のキャップ６０１を用いて、単一のワイヤーの２つの端部が接合されるか又は合わせてキャップがかぶせられている。
【０１４８】
上述したように、ワイヤーマトリックス４５１を含む、本明細書に記載するこれらの様々なワイヤー及び繊維マトリックス実施形態のすべての間で共通の特徴のうちの１つは、（通常、単一長さのワイヤー（又は繊維）を用いて形成されている）各マトリックスが、複数のワイヤー十字交差部４５３、又は複数の閉鎖ワイヤー形状（より詳細に後述する）を形成する他の方法でオーバーラップする交差部を備える、ということである。マトリックスを形成する複数のワイヤー十字交差部４５３の（全てではなくても）多くにおいて、ワイヤーの一部は、互いに直接接触しかつ当接しているが、他の部分では互いに明確に分離されており、例えば、これらの交差部においてクリンプ留めされ、はんだ付けされ、ろう付けされ、又は他の方法で接続されていない。代わりに、マトリックスの構造的完全性は、同様に図６３〜図６６を参照してより詳細に後述するように、第１の材料層及び／又は第２の材料層（例えば、４０６、４０８）に又はその間に結合されることによって維持される。その結果、これらのワイヤー十字交差部４５３におけるワイヤーの部分の移動は、従来技術におけるよりはるかに制約されず、ワイヤー部分の間の適度な程度の摺動及び回転が可能になり、それにより、著しい可撓性及び変形能力が提供されると同時に、所望のレベルの切断抵抗セキュリティが維持される。これにより、多種多様のキャリングバッグにおいて様々なセキュリティパネルアセンブリを使用することができると同時に、キャリングバッグが可撓性のスタイリッシュな設計を有することができる。
【０１４９】
さらに、セキュリティパネルアセンブリ４００に、その周縁４５２〜４５８のうちの任意のものに沿って縫い合わせることによる等、他のタイプのパネル部材を接続することができる。本明細書に記載したように、セキュリティパネルアセンブリ４００をキャリングバッグ２０内にそこに一体化されるように取り付けかつ組み込む補助を提供するようにブリッジコネクターとしての役割を果たす、任意の数又はサイズのパネル部材を利用することができる。図示するように、パネル部材は、対向するタブ部材４６０及び４６２の形態であり、それらはまた、セキュリティパネルアセンブリ４００の短い方の端縁４５６及び４５８に沿って中心で接続される、布等の可撓性材料から通常構成される。
【０１５０】
図６３を参照すると、対向するタブ部材４６０及び４６２の形式であるパネル部材を利用する代わりに、第１の材料層４０６及び／又は第２の材料層４０８のうちのいずれか又は両方が比較的サイズが大きく、それにより、第１の材料層４０６及び第２の材料層４００８を構成する更なる材料は、余分な材料ではなく、代わりにパネル（又はフランジ）部材４６４、４６６、４６８及び４７０を形成するために利用されるものであり、第１の材料層４０６及び／又は第２の材料層４０８のうちのいずれか又は両方は、さらに、セキュリティパネルアセンブリの第５の代表的な実施形態としてのセキュリティパネルアセンブリ４００Ａに、更なる安定性を加える役割を果たす、外周縫目４７２、４７４、４７６及び４７８によって画定される。言い換えれば、製造中に廃棄物であり後に仕上げ中に除去された可能性がある「サルベージエッジ（salvage edge）」が、代わりに、一体化されたフランジ又はパネル（又はタブ）部材として、特定のかつ更なる機能的目的に対して利用される。その結果、フランジ又はパネル部材４６４、４６６、４６８及び４７０は、第１の材料層４０６及び第２の材料層４０８の一部として一体的に形成されたフランジ又はタブ部材であるとみなすことができ、セキュリティパネルアセンブリ４００Ａをキャリングバッグ２０〜２０Ｅに取り付けかつ組み込むための補助を提供するようにブリッジコネクターとして利用することもできる。フランジ又はパネル部材４６４、４６６、４６８及び４７０もまた、これらのパネル部材を形成する第１の材料層４０６と第２の材料層４０８との間に接着剤４２２及び／又は４２２Ａを含むことができるため、セキュリティパネルアセンブリ４００Ａに更なる安定性も提供することができる。
【０１５１】
図１４２に、セキュリティパネルアセンブリ４００Ｅの更なるかつ等価な実施形態を示し、そこでは、パネル（又はフランジ）部材４６４、４６６、４６８及び４７０を形成するために、第１の材料層４０６及び第２の材料層４０８のうちの一方のみ（両方ではない）が利用される。図１４２に示すように、第１の材料層４０６の方が大きく、パネル（又はフランジ）部材４６４Ａ、４６６Ａ、４６８Ａ及び４７０Ａを形成するために、第１の材料層４０６のみが利用される。当業者は、この目的で第２の材料層４０８もまた利用することができることを理解するであろう。
【０１５２】
図６４〜図６６を参照すると、セキュリティパネルアセンブリ４００Ｂ、４００Ｃ及び４００Ｄ、すなわち、セキュリティパネルアセンブリのそれぞれ第６の代表的な実施形態、第７の代表的な実施形態及び第８の代表的な実施形態として、セキュリティパネルアセンブリ４００の代表的な実施形態の更なる変形が示されている。図示するように、複数の縫目パターンを用いてワイヤーマトリックス４５１が固定されており、縫目パターンは、ワイヤーマトリックス４５１を形成するワイヤー４２８と接触せず又はその上を交差しないが、代わりに、ワイヤーマトリックス４５１のワイヤー形状４２９（例えば、正方形又は矩形）内に制限される。これは、ワイヤー４２８が金属である可能性がある場合に、ワイヤー４２８の上で縫い合わせる（ワイヤー４２８にぶつかる可能性がある）ときに発生する可能性がある、ミシンの針の破損を回避するため等、製造中に役立つことができる。例えば限定しないが、セキュリティパネルアセンブリ４００Ｂは、ワイヤーマトリックス４５１のワイヤー形状４２９（例えば、正方形、矩形、ダイヤモンド形、三角形、平行四辺形、菱形）内で制限される正方形ステッチパターン４８０を用いることによって形成され、セキュリティパネルアセンブリ４００Ｃは、ワイヤーマトリックス４５１のワイヤー形状４２９内に制限された円形ステッチパターン４８２を用いて形成され、セキュリティパネルアセンブリ４００Ｄは、同様にワイヤーマトリックス４５１のワイヤー形状４２９内に制限されたバータックステッチパターン４８４を用いることによって形成される。これらの様々な縫目パターン４５０、４８０、４８２及び４８４のうちの任意のものは、セキュリティパネルアセンブリの実施形態のうちの任意のものと利用することができ、それらの更なる実施形態に対して更に例示又は考察はしない。
【０１５３】
鋸歯パターン４５０等、こうした様々な縫目パターン４５０、４８０、４８２及び４８４に加えて、ワイヤーマトリックス４５１を第１の材料層４０６に又は第１の材料層４０６と第２の材料層４０８との間に固定するために、それほど決定論的若しくは疑似乱数ではなく又は更には奇抜な縫合も利用することができる。例えば、製作者は、任意の種類の任意の縫目設計を使用することができ、それは、所定パターンである必要はないが、製作者が、ワイヤーマトリックス４５１を第１の材料層４０６に又は第１の材料層４０６と第２の材料層４０８との間で組み立てている際に、瞬間で又は更には即座に決定することができる。さらに、ワイヤーマトリックス４５１を形成するワイヤーの経路もまた、例えば限定しないが図６９に示すように、セキュリティパネルアセンブリに対して適切な又は適度な被覆が提供されるのであれば、それほど決定論的又は疑似乱数でない場合もある。
【０１５４】
図６７〜図７０は、金属又は非金属、繊維系セキュリティパネルアセンブリとすることができる、セキュリティパネルアセンブリ１１００、１１００Ａ〜１１００Ｃの様々な更なる代表的な実施形態（第３１の実施形態から第３４の実施形態）を示す等角図である。これらの代表的なセキュリティパネルアセンブリ１１００、１１００Ａ〜１１００Ｃでは、ワイヤーマトリックスを形成するために金属ワイヤー又はケーブルを利用する代わりに、米国デラウェア州ウィルミントンのDuPontから入手可能なＫｅｖｌａｒ（商標）アラミド繊維、糸若しくはヤーン、又は米国テキサス州ヒューストンのKuraray America Inc.から入手可能なＶｅｃｔｒａｎ（商標）液晶ポリマーマルチフィラメント繊維、糸若しくはヤーン等、非金属の実質的に切断抵抗性のポリマー系繊維、糸又はヤーン（個々にかつまとめて「繊維」と呼ぶ）９０５が利用される。しかしながら、図６９及び図７０に示す実施形態では、マトリックス９１０を形成するために金属ワイヤー又はケーブルも利用することができることが留意されるべきである。図６７及び図６８を参照すると、セキュリティパネルアセンブリ１１００は、複数の間隔を空けて配置された、織り合わされた、実質的に切断抵抗性のポリマー系繊維、糸又はヤーン９０５を備える実質的に切断抵抗性の布である。図示するようなセキュリティパネルアセンブリ１１００では、間隔を空けて配置された繊維９０５は、繊維マトリックス９１０を形成し、他のタイプの糸、ヤーン又は繊維と織り合わせることができる。
【０１５５】
さらに、実質的に切断抵抗性のキャリーストラップ２２、２２Ａ〜２２Ｈを形成するために利用されるウェビング（例えば、５２７、５２８）に、この繊維マトリックス９１０を含めるか又は埋め込むこともできる。こうした実施形態では、切断抵抗性のヤーン又は繊維９０５は、通常、製造中にウェビングを構成する他の繊維材料と織られる。またこうした実施形態では、所望のレベルのセキュリティを提供するために、追加の切断抵抗ケーブル３８は必要でない可能性がある。
【０１５６】
様々な繊維９０５を形成するために、異なるタイプの材料の組合せも利用することができる。例えば限定しないが、鋼及びポリマーの組合せ等、様々な組合せのうちの任意のもので、切断抵抗性の繊維を金属若しくは炭素繊維若しくは糸、又は弾性若しくはゴム繊維若しくは糸と組み合わせることができる。
【０１５７】
任意のタイプの織り、編組み又は編みを利用することができ、図６８に示すように、セキュリティパネルアセンブリ１１００Ａは、複数の当接する、編まれたかつ実質的に切断抵抗性のポリマー系繊維、糸又はヤーン９０５を含む、実質的に切断抵抗性の編布である。織られるのではなく編まれることに加えて、セキュリティパネルアセンブリ１１００Ａは、概して、他のタイプの糸又は繊維をほとんど又は全く含まず、それにより、切断抵抗性の繊維９０５は、セキュリティパネルアセンブリ１１００Ａにおいて実質的に当接している。
【０１５８】
セキュリティパネルアセンブリ１１００Ｂ、１１００Ｃに対して図６９及び図７０を参照すると、概して、繊維９０５に比較して厚いヤーン形態を有し、他の部分は同じタイプのポリマーのうちの任意のものから構成される、実質的に切断抵抗性のポリマー系繊維、糸又はヤーン９０５Ａも利用される。セキュリティパネルアセンブリ１１００Ｂ、１１００Ｃは、上述しかつ後述もする金属ワイヤー又はケーブル実施形態と同様に製作され、そこでは、実質的に切断抵抗性のポリマー系ヤーン９０５Ａは、第１の材料層９１５（同様に接着剤４２２を含むことができる）の上で取付釘４１０の周囲に配索されて繊維マトリックス９１０を形成する。セキュリティパネルアセンブリ１１００Ｂの場合、第２の材料層を用いることなく、縫目９２０として示す、縫付又は他の縫い合せ等により、繊維マトリックス９１０を適所に固定することができる。セキュリティパネルアセンブリ１１００Ｃでは、第２の材料層９２５（図６８において切欠図で示す）が、繊維マトリックス９１０の上に配置され、同様に、縫目９３０として示す縫付又は他の縫い合せ等により、適所に固定することができる。
【０１５９】
セキュリティパネルアセンブリ１１００、１１００Ａ〜１１００Ｃは、バッグ２０、２０Ａ〜２０Ｅ内のセキュリティパネルアセンブリ用等、様々な例示する実施形態のうちの任意のもので利用することができる。セキュリティパネルアセンブリ１１００、１１００Ａ〜１１００Ｃは、特に、後述する様々な拡張パネル８１５（又は１４００〜１４００Ｂ）のうちの任意のもので使用するのに特に適している。
【０１６０】
図７１及び図７２は、通常はポリマーから構成される中実の堅い背面８０２を有し、車輪８０６を収容する車輪受け８０４を含む、一種のキャリングバッグとしての車輪付きの柔らかい面をもつトラベルバッグ２０Ａを示す。背面、正面、側面、頂部及び底部という用語は、本明細書では相対的な用語であり、図７１〜図７４に示すように、トラベルバッグ２０Ａ（２０Ｂ）が直立位置にあるときのトラベルバッグ２０Ａ（及び２０Ｂ）について記述するものである。さらに、「柔らかい面をもつ」とは、概して、トラベルバッグ２０Ａの外部を覆いかつ可撓性材料カバー８１１を形成する、可撓性材料（例えば、バリスティックナイロン、皮革、又は本明細書に開示する他の可撓性材料のうちの任意のもの）を有するキャリングバッグを指し、トラベルバッグ２０Ａは、トラベルバッグ２０Ｂ等の「硬い面をもつ」実施形態に比較して、そのパネル８０５、８０７、８０９に幾分かの可撓性を有している。ポリマーの堅い背面８０２は、概して、実質的に切断抵抗性であり、トラベルバッグ２０Ａの区画の残り及び外部バッグ２３Ａは、通常、例えば限定しないがバリスティックナイロン又は皮革等、上述したような可撓性材料から構成される。他の様々な代表的な実施形態では、堅い背面８０２は、車輪受け８０４を形成する等のために、トラベルバッグ２０Ａの背面を部分的にのみ形成することができ、背面の残りもまた、可撓性材料から構成することができる。トラベルバッグ２０Ａはまた、通常、１つ又は複数のキャリーハンドル８２１等も含む。
【０１６１】
トラベルバッグ２０Ａの本体構成要素８０１は、可撓性材料カバー８１１の下の剛性フレーム、入れ子式の伸長式牽引ハンドル等、単独に示さない他の構造的構成要素を含むことができる。本体構成要素８０１は、通常、複数のパネル、すなわち、矩形平面の側壁パネル８０７（そのうちの１つのみを示す）と、一対の対向する壁（頂部及び底部）の壁パネル（そのうちの一方のみを頂部壁パネル８０９として示す）とを含み、それらは、背面８０２と合わせて、衣類、洗面用品等の物品及び中身を運ぶための本体区画を画定又は形成する。副体構成要素８０３もまた、同様に単独では示さない、剛性フレーム等の他の構造的構成要素も含むことができる。副体構成要素８０３は、通常、本体区画用のカバーとして利用される正面パネル８０５を含む。図示するように、正面パネル８０５はまた、外部ポケット８１３、８１４も含む。トラベルバッグ２０Ａの内部へのアクセス、すなわち、本体区画へのアクセスは、正面開口部を介し、それは、側縁８１７において本体構成要素８０１に接合される正面パネル８０５によって閉鎖され、３つの面に沿って（場合によっては、側縁８１７を有する側面パネルにおいて少なくとも部分的に）ジッパー８０８をはずしたりかけたりすることによって開閉することができる。切欠き部分に示すように、様々な頂部パネル８０９、底部パネル、側面パネル８０７及び正面パネル８０５（及び、図７１及び図７２に単独では示さず又は可視ではないもの）の各々は、１つ又は複数のセキュリティパネルアセンブリ６２、２０６、３００、４００〜４００Ｅ、６００、７００、８００、９００、１０００、１１００〜１１００Ｃ、１３００〜１３００Ｄ（及び／又は１４００〜１４００Ｂ）を含む。
【０１６２】
図７１及び図７２に示すように、本体構成要素８０１は、拡張パネル８１５（又は１４００〜１４００Ｂ）を更に備え、それは、通常、ガセットの形式をとり、（頂部壁、底部壁及び両側壁に沿って）トラベルバッグ２０Ａの外周部全体に延在する。単独では示さない代替実施形態では、本体構成要素８０１は、拡張パネル８１５（又は１４００〜１４００Ｂ）によって副体構成要素８０３に接合することができる。単独では示さない別の代替実施形態では、副体構成要素８０３は、拡張パネル８１５（又は１４００〜１４００Ｂ）を更に備えることができ、それもまた、通常、ガセットの形式をとり、トラベルバッグ２０Ａの外周部全体に延在する。トラベルバッグ２０Ａの拡張状態では、拡張パネル８１５（又は１４００〜１４００Ｂ）は、図７２に示すように、拡張パネル８１５（又は１４００〜１４００Ｂ）を広げるか又は拡張した時に、容積が通常本体構成要素８０１の一部として増大する、本体区画の容積のその部分に対して、周囲からの境界となる。トラベルバッグ２０Ａの格納又は非拡張状態若しくは形態では、図７１に示すように、本体構成要素８０１の拡張パネル８１５の隣接する端部又は縁８２２、８２４の嵌合する半体８１０ａ及び８１０ｂを有し、かつトラベルバッグ２０Ａの外周部全体に延在するジッパー８１０が、かけられるか又は閉じられる。拡張パネル８１５（又は１４００〜１４００Ｂ）の全て又は一部が、更に詳細に後述するように、トラベルバッグ２０Ａの格納形態でトラベルバッグ２０Ａの内部に折り込まれる。
【０１６３】
代表的な実施形態では、ジッパー８１０を開放するか又は引いて開け、拡張パネル８１５（又は１４００〜１４００Ｂ）を拡張することにより、トラベルバッグ２０Ａのサイズを拡張することができる。拡張パネル８１５は、トラベルバッグ２０Ａを構成する様々な可撓性材料層と一体化するか若しくは連続することができ、又は例えば限定しないが様々な可撓性材料層に若しくはトラベルバッグ２０Ａを構成する内部フレームに縫い合わされるか若しくは他の方法で結合される（例えば、ジッパーで締められ、リベット留めされ、縫い合わされる）別個のパネルとすることができる。切欠き図に示すように、かつ図７５に示すように、可撓性材料カバー８１１と裏張り２９Ａとの間で、トラベルバッグ２０Ａは、１つ又は複数のセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂを含む。
【０１６４】
図７３及び図７４は、同様に一種のキャリングバッグとして車輪付きの硬い面をもつ（又はハードシェル）トラベルバッグ２０Ｂを示し、トラベルバッグ２０Ｂは、通常、例えば限定しないがポリマー、合成物又はポリマーコーティング布から構成される、中実の硬い面をもつ外部カバー８３１、８３３、８３７を有し、車輪８０６を収容する車輪受け８１２を含む。単独では示さない代替実施形態では、堅い背面８０２も含むことができ、堅い背面８０２は、車輪８０６を収容する車輪受け８１２を含むことができ、本体構成要素８０１Ａの背面を完全に又は部分的に構成することができる。ポリマーの硬い面をもつ外部カバー８３１、８３３、８３７は、概して実質的に切断抵抗性である。トラベルバッグ２０Ｂの本体構成要素８０１Ａはまた、硬い面をもつ外部カバー８３１、８３３、８３７の下の剛性フレーム、入れ子式の伸張式牽引ハンドル等、単独では示さない他の構造的構成要素も含むことができる。トラベルバッグ２０Ｂはまた、通常、１つ又は複数のキャリーハンドル８２１等も含む。
【０１６５】
本体構成要素８０１Ａは、通常、複数のパネル、すなわち、矩形平面の側壁パネル８０７Ａ（そのうちの１つのみを示す）と、一対の対向する壁（頂部及び底部）の壁パネル（そのうちの一方のみを頂部壁パネル８０９Ａとして示す）とを含み、それらは、背面８０２Ａと合わせて、衣類、洗面用品等の物品及び中身を運ぶ、本体区画を画定又は形成する。副体構成要素８０３Ａもまた、同様に単独では示さない、剛性フレーム等の他の構造的構成要素も含むことができる。副体構成要素８０３Ａは、通常、本体区画用のカバーとして利用される正面パネル８０５Ａを含む。トラベルバッグ２０Ｂの内部へのアクセス、すなわち、本体区画へのアクセスは、正面開口部を介し、それは、通常、蝶番又は他の同様の回転式若しくは枢動式締結具を用いて、側縁８１７Ａにおいて本体構成要素８０１Ａに接合される、副体構成要素８０３Ａ（及び／又は正面パネル８０５Ａ）によって閉鎖され、通常、側面パネル８０７Ａ（すなわち、蝶番のある側とは反対側）に沿ってラッチ（バックル又はシャックル）８１８をはずしたりかけたりすることによって開閉することができる。単独では示さないが、トラベルバッグ２０Ｂもまた、１つ又は複数のセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂを含むことができる。
【０１６６】
図７３及び図７４に示すように、副体構成要素８０３Ａは、拡張パネル８１５（又は１４００〜１４００Ｂ）を更に備え、それは、通常、ガセットの形式をとり、（頂部壁、底部壁及び両側壁に沿って）トラベルバッグ２０Ｂの外周部全体に延在する。単独では示さない代替実施形態では、本体構成要素８０１Ａは、拡張パネル８１５（又は１４００〜１４００Ｂ）によって副体構成要素８０３Ａに接合することができる。単独では示さない別の代替実施形態では、本体構成要素８０１Ａは、拡張パネル８１５（又は１４００〜１４００Ｂ）を更に備えることができ、それもまた、通常、ガセットの形式をとり、トラベルバッグ２０Ａの外周部全体に延在する。トラベルバッグ２０Ｂの拡張状態では、拡張パネル８１５（又は１４００〜１４００Ｂ）は、図７４に示すように、拡張パネル８１５（又は１４００〜１４００Ｂ）を広げるか又は拡張した時に、容積が、通常副体構成要素８０３Ａの一部として増大する、本体区画の容積のその部分に対して、周囲から境界となる。トラベルバッグ２０Ｂの格納又は非拡張状態若しくは形態では、図７３に示すように、トラベルバッグ２０Ｂの外周部全体に延在する副体構成要素８０３Ａの拡張パネル８１５（又は１４００〜１４００Ｂ）の、隣接する端部又は縁８２６、８２８の嵌合する半体８１９ａ及び８１９ｂを有するラッチ（バックル又はシャックル）８１９が、かけられるか又は閉鎖される。拡張パネル８１５（又は１４００〜１４００Ｂ）の全て又は一部が、更に詳細に後述するように、トラベルバッグ２０Ｂの格納形態でトラベルバッグ２０Ｂの内部に折り込まれる。トラベルバッグ２０Ａ及び２０Ｂが拡張可能であるものとして例示するが、当業者は、任意のスーツケース、旅行かばん又は他のタイプのトラベルバッグが、本開示の範囲内にあり、１つ又は複数のセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂを含むことができることを理解するであろう。
【０１６７】
代表的な実施形態では、ラッチ（バックル又はシャックル）８１９を開放し拡張パネル８１５（又は１４００〜１４００Ｂ）を拡張することにより、トラベルバッグ２０Ｂのサイズを拡張することができる。拡張パネル８１５（又は１４００〜１４００Ｂ）は、例えば限定しないが、様々な硬い面をもつ外部カバー８３３、８３７に又はトラベルバッグ２０Ｂを構成する内部フレームに、縫い込まれる又は他の方法で結合される（例えば、ジッパーで締められる、リベット留めされる）別個のパネルとすることができる。図７５に示すように、（通常、本明細書に記載するような可撓性材料から構成される）可撓性材料カバー８１１Ａと裏張り２９Ａとの間において、トラベルバッグ２０Ｂは、１つ又は複数のセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂを含む。
【０１６８】
図７５は、拡張パネル８１５の代表的な実施形態を構成する様々な可撓性層を示す拡大切欠図である。代表的な実施形態では、拡張パネル８１５は、可撓性材料カバー８１１、８１１Ａ若しくは他の可撓性材料外層（バリスティックナイロン、皮革、又は本明細書で考察する他の様々な可撓性材料のうちの任意のもの等）と、セキュリティパネルアセンブリ（限定しないがセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂ並びにそれらの変形のうちの任意のものを含む、本明細書に開示する様々なセキュリティパネルアセンブリのうちの任意のものとすることができる）と、任意選択的に、通常、同様に例えば限定しないが布等の可撓性材料である裏張り２９Ａとから構成される。実施形態に応じて、拡張パネル８１５のセキュリティパネルアセンブリ部分は、図７６及び図７７を参照してより詳細に後述するように、バッグ２０Ａ、２０Ｂが小型の非拡張形態であるときに、折り畳みかつ保管するため等、本体構成要素８０１、８０１Ａ及び／又は副体構成要素８０３、８０３Ａに（図８５〜図８９を参照して考察するように）固定され、又は分離可能であり及び／又は取外し可能に結合可能である。同様に実施形態に応じて、拡張状態又は格納状態に関わらずバッグ２０Ａ、２０Ｂの構造又は構造的完全性を維持するために、本体構成要素８０１、８０１Ａ及び副体構成要素８０３、８０３Ａに、拡張パネル８１５の可撓性材料カバー８１１、８１１Ａを常に結合することができる。
【０１６９】
別の代表的な実施形態では、セキュリティパネルアセンブリ（例えば、６２、２０６、３００、４００〜４００Ｅ、６００、７００、８００、９００、１０００、１１００〜１１００Ｃ、１３００〜１３００Ｄ及び１４００〜１４００Ｂ並びにそれらの変形のうちの任意のもの）は、可撓性材料カバー８１１、８１１Ａと一体化されるか又は結合されてまとめて拡張パネル８１５を形成し、裏張り２９Ａを更に含むことができる。例えば、本明細書に開示する様々なセキュリティパネルアセンブリのうちの任意のものは、上述したように、切断抵抗性のヤーン又は他の切断抵抗性の可撓性材料から構成することができ、そうした材料を利用して、セキュリティパネルアセンブリに組み込まれた非金属ワイヤーマトリックス（例えば、本明細書に開示した様々なワイヤーマトリックス及びそれらの等価物のありとあらゆるもの）を形成することができる。代表的な実施形態では、セキュリティパネルアセンブリのワイヤーマトリックスは、切断抵抗性のヤーン又は繊維から構成され、それにより、セキュリティパネルアセンブリは、可撓性材料カバー８１１、８１１Ａに結合され、一体化され又はその一部として形成され、トラベルバッグ２０Ａの両側部８２２、８２４又は対応してトラベルバッグ２０Ｂの両側部８２６、８２８に常に結合されるか又は一体化される。こうした実施形態では、拡張パネル８１５は、拡張するためにガセット状であり、トラベルバッグ２０Ａ、２０Ｂが拡張していないとき、トラベルバッグ２０Ａ、２０Ｂの内部に容易に折り込み可能である。
【０１７０】
図７６及び図７７は、拡張パネル８１５を用いる、拡張位置にあり、かつ拡張パネル８１５のセキュリティパネルアセンブリの内部区画８３８及び内部図を示すために開放形態でも示されている、車輪付きの柔らかい面をもつトラベルバッグ２０Ａを示す。金属若しくは非金属ワイヤーマトリックス等、選択された実施形態、又はより容易に折畳み可能な実施形態（後述する、例えば、セキュリティパネルアセンブリ１４００〜１４００Ｂ）に応じて、セキュリティパネルアセンブリ（例えば、６２、２０６、３００、４００〜４００Ｅ、６００、７００、８００、９００、１０００、１１００〜１１００Ｃ、１３００〜１３００Ｄ及び１４００〜１４００Ｂ）は、セキュリティパネルアセンブリが、トラベルバッグ２０Ａ、２０Ｂの周囲において、トラベルバッグ２０Ａの両側部８２２、８２４に、又は対応してトラベルバッグ２０Ｂの両側部８２６、８２８に、内部フレームにリベット留めされる等、常に結合されるか又は一体化された場合、トラベルバッグ２０Ａ、２０Ｂが拡張されていないとき（例えば、セキュリティパネルアセンブリが丸くなるか又は曲がる可能性がある）、トラベルバッグ２０Ａ、２０Ｂの内部で比較的平坦に位置するように十分に可撓性があり又は折畳み可能である場合もあればそうでない場合もある。したがって、図７６に示すバッグ２０Ａの代表的な実施形態では、セキュリティパネルアセンブリ（例えば、６２、２０６、３００、４００〜４００Ｅ、６００、７００、８００、９００、１０００、１１００〜１１００Ｃ、１３００〜１３００Ｄ及び１４００〜１４００Ｂ並びにそれらの変形のうちの任意のもの）は、（（例えば、リベット８３９を用いて）トラベルバッグ２０Ａの側部８２２（又は、バッグ２０Ｂの場合は側部８２６）として示す）一方の側部に、第１の縁に沿って取外し不能に結合されるか又は一体化され、トラベルバッグ２０Ａの側部８２４（又は、バッグ２０Ｂの側部８２８）として示す、セキュリティパネルアセンブリの第２の反対側の縁に沿って（例えば、別の取付タイプ、又は追加のリベット８３９（単独では示さず）を示すために、縫目８２３を用いて）同様に取外し不能に結合される（すなわち、固定される）。（セキュリティパネルアセンブリ１４００〜１４００Ｂのように折畳み可能ではないセキュリティパネルアセンブリを用いるもの等）代替的な実施形態では、例えば、セキュリティパネルアセンブリは、バッグ２０Ｂ用のジッパー８３６を介する等、（トラベルバッグ２０Ａの側部８２４（又は、バッグ２０Ｂの場合は側部８２８）として示す）他方の側部に取外し可能に結合可能とすることができる。その結果、拡張されていないトラベルバッグ２０Ａ、２０Ｂの場合、セキュリティパネルアセンブリは、例えば限定しないが、完全に結合されたままとすることができ、又は、トラベルバッグ２０Ａ、２０Ｂの一方の側部８２４、８２８又は両方の側部から引いて開けるか又は他の方法で分離し（一方で、可撓性材料カバー８１１、８１１Ａは両側部に結合されている）、トラベルバッグ２０Ａ、２０Ｂの内部８３８内で平坦に位置するように折り畳むことができる。
【０１７１】
図７７に示す別の代表的な実施形態では、拡張パネル８１５のセキュリティパネルアセンブリ（例えば、６２、２０６、３００、４００〜４００Ｅ、６００、７００、８００、９００、１０００、１１００〜１１００Ｃ、１３００〜１３００Ｄ及び１４００〜１４００Ｂ並びにそれらの変形のうちの任意のもの）は、ジッパー８３４等を介して、（トラベルバッグ２０Ａの側部８２２（又はバッグ２０Ｂの場合は側部８２６）として示す）一方の側部に取外し可能に結合可能とすることができ、かつジッパー８３６等を介して、（トラベルバッグ２０Ａの側部８２４（又は、バッグ２０Ｂの場合は側部８２８）として示す）他方の側部に取外し可能に結合可能とすることができる。その結果、拡張されていないトラベルバッグ２０Ａ、２０Ｂの場合、同様に例えば限定しないが、セキュリティパネルアセンブリは、両側部８２２、８２４又は８２６、８２８から引いて開けるか又は他の方法で分離し、単に取り外してトラベルバッグ２０Ａ、２０Ｂの内部８３８又は別の場所に保管することができる。図７６に示すような他の実施形態では、セキュリティパネルアセンブリ（例えば、６２、２０６、３００、４００〜４００Ｅ、６００、７００、８００、９００、１０００、１１００〜１１００Ｃ、１３００〜１３００Ｄ及び１４００〜１４００Ｂ）は、バッグ２０、２０Ａ、２０Ｂ、２０Ｅの両側部又は区画に、例えば、本体構成要素８０１、８０１Ａ及び副体構成要素８０３、８０３Ａの両方に固定される。
【０１７２】
図７８及び図７９は、拡張パネルセキュリティパネルアセンブリ１４００〜１４００Ｂの代表的な実施形態の製造におけるステップを示す等角図であり、各拡張パネルセキュリティパネルアセンブリ１４００〜１４００Ｂは、形式拡張パネルセキュリティパネルアセンブリ１４００〜１４００Ｂのうちの任意のものに接合されるとき、セキュリティパネルサブアセンブリとみなすことができる、２つ以上のセキュリティパネル４００Ａを組み込んでいる。図８０及び図８２は、２つのセキュリティパネルサブアセンブリを組み込んでいる拡張パネルセキュリティパネルアセンブリの代表的な実施形態を示す等角図である。図８１は、２つのセキュリティパネルサブアセンブリを組み込んだ拡張パネルセキュリティパネルアセンブリの代表的な実施形態を示す（図８０のＥ−Ｅ’平面を通る）断面図である。図８３は、２つのセキュリティパネルサブアセンブリを組み込んだ拡張パネルセキュリティパネルアセンブリの代表的な実施形態を示す（図８２のＧ−Ｇ’平面を通る）断面図である。図８５〜図８９は、開放形態及び閉鎖形態にある、２つのセキュリティパネルサブアセンブリを組み込んだ拡張パネルセキュリティパネルアセンブリの代表的な実施形態を有する代表的なキャリーバッグを示す等角図である。
【０１７３】
当業者は、セキュリティパネル４００Ａが、例示及び例の目的で、拡張パネルセキュリティパネルアセンブリ１４００〜１４００Ｂの形成のために利用され、本明細書に記載するセキュリティパネルのいずれも、代わりに又は追加して利用することができることを理解するであろう。図７８及び図７９に示すように、第１のセキュリティパネル４００Ａ１及び第２のセキュリティパネル４００Ａ２として示す２つのセキュリティパネル４００Ａが利用される。拡張パネルセキュリティパネルアセンブリ１４００Ｂに対して図８４に示すように、第１のセキュリティパネル４００Ａ１、第２のセキュリティパネル４００Ａ２、第３のセキュリティパネル４００Ａ３及び第４のセキュリティパネル４００Ａ４として示す４つのセキュリティパネル４００Ａが利用される。
【０１７４】
図７８〜図８３を参照すると、第１のセキュリティパネル４００Ａ１及び第２のセキュリティパネル４００Ａ２（並びに後述する４００Ａ３、４００Ａ４）の各々について、それぞれの第１の側方領域９０２Ａ及び９０２Ｂとして示す第１の側方領域９０２を有し、それぞれの第２の側方領域９０４Ａ及び９０４Ｂとして示す第２の側方領域９０４を有するものとして述べることができる。セキュリティパネル４００Ａ１、４００Ａ２（及び４００Ａ３、４００Ａ４）の各々は、（各々が、通常、可撓性材料層４０６、４０８内に封入されていることを示すため）破線を用いてワイヤーマトリックス４５１Ａ及び４５１Ｂとしてそれぞれ示すワイヤーマトリックス４５１を有し、ワイヤーマトリックス４５１Ａ及び４５１Ｂの各々は、通常、第１の可撓性材料層４０６Ａ及び４０６Ｂとしてそれぞれ示す第１の可撓性材料層４０６に結合されており、それらの各々はまた、第２の可撓性材料層４０８Ａ及び４０８Ｂとしてそれぞれ示す第２の可撓性材料層４０８に結合することもでき、それにより、第１の可撓性材料層４０６Ａと第２の可撓性材料層４０８Ａとの間でワイヤーマトリックス４５１Ａを封入し、第１の可撓性材料層４０６Ｂと第２の可撓性材料層４０８Ｂとの間でワイヤーマトリックス４５１Ｂを封入する。そして、それぞれの第１の側方領域９０２Ａ及び９０２Ｂは、図７９〜図８３に示す縫目９０６等を介して、互いに結合され、縫目９０６はまた、２つのセキュリティパネル４００Ａ１、４００Ａ２が、閉鎖した非拡張形態では互いに対して折り畳まれ、図８０及び図８２に示す開放した拡張形態では、離れるように回転するか又は枢動して、２つの第２の側方領域９０４Ａ及び９０４Ｂを互いから離れるように移動させるための、回転（又は枢動）軸の軸としての役割も果たす。
【０１７５】
それぞれの第１の側方領域９０２Ａ及び９０２Ｂが、図示するように、第２のセキュリティパネル４００Ａ２の（第１の側方領域９０２Ｂの）フランジ（又は縁）領域４６６Ｂが、第１のセキュリティパネル４００Ａ１の第１の側方領域９０２Ａの、同様に第１のセキュリティパネル４００Ａ１のワイヤーマトリックス４５１Ａの側方領域（又は部分）９１４を含む部分において、第１のセキュリティパネル４００Ａ１に結合されるように、互いに結合されることを留意することが重要である。これにより、拡張パネルセキュリティパネルアセンブリ１４００〜１４００Ｂの開放した拡張状態で、それぞれの第１のワイヤーマトリックス４５１Ａ及び第２のワイヤーマトリックス４５１Ｂは、オーバーラップ領域９０８として示し、図８１及び図８３の断面図により詳細に示すように、互いにオーバーラップするか又は上に重なる。その結果、拡張パネルセキュリティパネルアセンブリ１４００〜１４００Ｂの開放した拡張状態では、オーバーラップするワイヤーマトリックス４５１Ａ及び４５１Ｂは、いかなる著しい間隙もなしに（すなわち、ワイヤーマトリックス４５１のワイヤー十字交差部の間にセキュリティパネルアセンブリの面積又は領域よりはるかに大きい間隙なしに）、連続したセキュリティを提供する。
【０１７６】
拡張パネルセキュリティパネルアセンブリ１４００及び１４００Ａは、第２のセキュリティパネル４００Ａ２の結合の向きの限りにおいて異なり、その他の点では同一に機能するが、セキュリティパネルアセンブリ１４００はより仕上がった外観（セキュリティパネルアセンブリ１４００の後方の両フランジ領域４６６を含む）を提示する。拡張パネルセキュリティパネルアセンブリ１４００及び１４００Ａは、上述したように、特に、一方の側が外部カバー８１１、８１１Ａによって覆われ、他方の側が内部裏張り２９Ａによって覆われる場合、交換可能にかつ等価に利用することができる。セキュリティパネルアセンブリ１４００Ｂは、更に横方向に拡張するために連鎖するか又は連結される更なるセキュリティパネル４００Ａを含む限りにおいて異なり、更なる第３のセキュリティパネル４００Ａ３及び第４のセキュリティパネル４００Ａ４は、互いに結合されるか又は連結されて、拡張及び小型折畳みの両方を提供する（図８４において拡張パネルセキュリティパネルアセンブリ１４００Ｂの開放した拡張状態で示す）。
【０１７７】
必須ではないが、対称の目的で、セキュリティパネル４００Ａのうちの一方は、通常他方より幅が広く、それにより、縫目又は結合部９０６によって提供される回転軸の各側において同じ幅が存在することも留意されるべきである。図８０に示すように、第１のセキュリティパネル４００Ａ１は、第２のセキュリティパネル４００Ａ２の第２の幅９１２より大きい第１の幅９１０を有する。他の実施形態では、（拡張パネル用のサブアセンブリを提供する）セキュリティパネル４００Ａは、同じ幅を有するか、又は（例えば、図１２６〜図１２８に示すように）非常に異なる幅を有することができる。
【０１７８】
さらに、図８９に示すように、拡張パネルセキュリティパネルアセンブリ１４００〜１４００Ｂは、複数の拡張パネルセキュリティパネルアセンブリ１４００〜１４００Ｂが互いに隣接して、概して、図８９に示すように、連続する拡張パネルセキュリティパネルアセンブリ１４００〜１４００Ｂの間にワイヤーマトリックス４５１Ａの幾分かのオーバーラップを伴って、（例えば、より大きいバッグ２０Ａ、２０Ｂの周囲に延在するように）長手方向に結合することもできる。これは、区分的な連続性を提供し、例えば限定しないが異なるタイプ及び形状のバッグ２０、２０Ａ、２０Ｂに適合するように異なる形状を有する拡張パネルセキュリティパネルアセンブリ１４００〜１４００Ｂを連続的に接合するために特に有用である。例えば限定しないが、様々な形状の拡張パネルセキュリティパネルアセンブリ１４００〜１４００Ｂは、バッグ２０、２０Ａ、２０Ｂの隅に適応するために特に有用である可能性がある。図８５〜図８９に、バッグ２０Ａ、２０Ｂ及び２０Ｆに対して拡張パネル８１５内の拡張パネルセキュリティパネルアセンブリ１４００〜１４００Ｂの組込み及び形状又は形態を示し、こうした拡張パネル８１５は、本明細書に開示するバッグ２０〜２０Ｅのうちの任意のもの及びそれらの均等物に含めることができ、それらのありとあらゆるものが本開示の範囲内にあることが理解される。
【０１７９】
拡張パネルセキュリティパネルアセンブリ１４００〜１４００Ｂは、縫い合せ、リベット、ジッパー、スナップ等、任意の機構を用いてバッグ２０、２０Ａ〜２０Ｅのうちの任意のものの中に結合することができ、ありとあらゆるこうした締結又は結合機構は、等価であり本開示の範囲内にあるものとみなされる。それぞれの第１の側方領域９０２Ａ及び９０２Ｂにおいて接合されると、それぞれの第２の側方領域９０４Ａ及び９０４Ｂは、例えば、バッグ２０、２０Ａ〜２０Ｅのうちの任意ものにおいて拡張パネル８１５の一部として結合されるように、タブ又はフランジとして機能できることを留意すべきである。単独では示さないが、例えば、縫目９０６又はリベット若しくはグロメットを介して結合する代わりに、１つ若しくは複数の蝶番又は他の枢動機構等を使用することにより、第１のセキュリティパネル４００Ａ１及び第２のセキュリティパネル４００Ａ２を互いにかつバッグ２０、２０Ａ、２０Ｂに結合する他の機構があり、それらのありとあらゆるものが等価でありかつ本開示の範囲内にあるとみなされる。
【０１８０】
したがって、拡張パネル８１５の一部として使用されるか又はそれに一体化されるセキュリティパネルアセンブリ６２、２０６、３００、４００〜４００Ｅ、６００、７００、８００、９００、１０００、１１００〜１１００Ｃ、１３００〜１３００Ｄ及び１４００〜１４００Ｂを、多種多様の方法で、トラベルバッグ２０、２０Ａ〜２０Ｅの面、区画又は他の残りの部分に結合することができ、それらのありとあらゆるものが本開示の範囲内にある。さらに、当業者は、拡張パネル８１５がバッグ２０、２０Ａ〜２０Ｅに含まれる場合、バッグ２０、２０Ａ〜２０Ｅに含まれる他のセキュリティパネルアセンブリは、１つの相対的に大きい連続したセキュリティパネルアセンブリの代わりに複数のセキュリティパネルアセンブリ、例えば、バッグ２０、２０Ａ〜２０Ｅの第１の側の第１のセキュリティパネルアセンブリ、バッグ２０、２０Ａ〜２０Ｅの第２の反対側の第２のセキュリティパネルアセンブリがあることにより、かつ拡張パネル８１５が第１のセキュリティパネルアセンブリと第２のセキュリティパネルアセンブリとの間に位置する等、拡張に適応するように異なるサイズ及び形態を有することを理解するであろう。
【０１８１】
例えば、図８５及び図８６に示すように、バッグ２０Ｅの拡張に適応するために、バッグ２０Ｅ内の他のセキュリティパネルアセンブリ６２、２０６、３００、４００〜４００Ｅ、６００、７００、８００、９００、１０００、１１００〜１１００Ｃ、１３００〜１３００Ｄは、通常、バッグの非拡張部分を覆うような形状であり、１つ又は複数のセキュリティパネルアセンブリ６２、２０６、３００、４００〜４００Ｅ、６００、７００、８００、９００、１０００、１１００〜１１００Ｃ、１３００〜１３００Ｄは、バッグ２０Ｅの面のうちの正面側及び正面部を有するバッグ２０Ｅの正面部分９１６に含まれ、１つ又は複数の別個のセキュリティパネルアセンブリ６２、２０６、３００、４００〜４００Ｅ、６００、７００、８００、９００、１０００、１１００〜１１００Ｃ、１３００〜１３００Ｄは、バッグ２０Ｅの面のうちの背面側及び背面又は後方部を有するバッグ２０Ｅの背面又は後方部分９１８に含まれる。しかしながら、上述したように、使用者の身体に接して装着される可能性があるバッグ２０、２０Ｃ、２０Ｄ、２０Ｅの後方又は背面側は、１つ又は複数のセキュリティパネルアセンブリ６２、２０６、３００、４００〜４００Ｅ、６００、７００、８００、９００、１０００、１１００〜１１００Ｃ、１３００〜１３００Ｄを含む場合もあれば含まない場合もある。拡張パネル８１５の一部として使用されるのに特に適している可能性がある更なる折畳み実施形態を含む、セキュリティパネルアセンブリの更なる実施形態について、図に示しかつより詳細に後述する。
【０１８２】
図９０〜図９６は、セキュリティパネルアセンブリ６００、６００Ａ、６００Ｂ及び６００Ｃの更なる変形、すなわちセキュリティパネルアセンブリのそれぞれ第９の代表的な実施形態、第１０の代表的な実施形態、第１１の代表的な実施形態及び第１２の代表的な実施形態の製造を示す。セキュリティパネルアセンブリ６００、６００Ａ、６００Ｂ及び６００Ｃは、上述したセキュリティパネルアセンブリと同様に製作され、簡略にするため、これらのセキュリティパネルアセンブリの新たな又は追加の特徴についてのみ考察する。
【０１８３】
さらに、図における割り当てられた参照符号に関わらず、本明細書におけるワイヤー又はワイヤーマトリックスに対するいかなる言及も、（特に指定されるか若しくは排除されるか、又は文脈において別段の要求がない限り）本明細書に開示する他のそれぞれのワイヤー又はワイヤーマトリックスのうちの任意のものを意味しかつ含むように理解されるべきであり、ワイヤー端部に対するいかなる言及も、本明細書に開示する他のそれぞれのワイヤー端部のうちの任意のものを意味しかつ含むように理解されるべきである。例えば限定しないが、図のうちの任意のもののワイヤー又はワイヤーマトリックスは、金属若しくは非金属（例えば、可撓性ポリマー繊維又はヤーン）であり、又は（特に指定されるか若しくは排除されるか、又は文脈において別段の要求がない限り）異なる形態又は形状等を有するように形成することができる。同様に、図において割り当てられた参照符号に関わらず、第１の材料層又は第２の材料層に対するいかなる言及も、同様に例えば限定しないが、組成又は材料選択を含む、本明細書に開示する他のそれぞれの第１の材料層及び／又は第２の材料層のうちの任意のものを意味しかつ含むように理解されるべきである。さらに、様々なセキュリティパネルアセンブリのうちの任意のものは、同様に例えば限定しないが、任意のキャリングバッグ２０〜２０Ｅ又は拡張パネル８１５、１４００〜１４００Ｂに組み込むように利用することができ、当業者は、無数の組合せ、形態及び変形が利用可能であり、それらのありとあらゆるものが等価でありかつ本開示の範囲内にあるとみなされることを理解するであろう。
【０１８４】
図９０〜図９５を参照すると、第１の材料層６０２がまた、後にセキュリティパネルアセンブリ６００をボックス形状に容易に折り畳むことができるように、セキュリティパネルアセンブリ６２と同様に大文字の「Ｉ」（又はローマ数字Ｉ）として成形され又は構成される。この形態に対して、取付釘４１０は、（図２９〜図３４の矩形状の第１の材料層４０６の対向する側部において）平行な列にはなく、代わりに、図示するように、Ｉ字型の第１の材料層６０２の周縁部に又はそれに向かって構成されるか又は位置決めされる。単一ワイヤー４２８が、第２の所定パターンで取付釘４１０の周囲に配索されて、第１の材料層６０２の周縁部に隣接して曲げ又は湾曲部分４３５を有し、図示するように、第１の材料層６０２の周縁部から離れてかつその中心に向かって曲げられ、湾曲し、又は折り畳まれた両端部を更に有し、単一キャップ６０１を用いて合わせてキャップがかぶせられている、Ｉ字型ワイヤーマトリックス６０５を形成している。第１の材料層６０２（単独では示さず）の上面に接着剤（接着剤４２２等）を塗布することができ、及び／又は図９２に示すように、第２の材料層６１０Ａの下面に接着剤（接着剤４２２Ａ等）を塗布することができる。第１の材料層６０２及び第２の材料層６１０、６１０Ａはともに、それぞれ縁又は境界６０７、６０８も有し、それらを利用して、上述したように、（セキュリティパネルアセンブリ６００の半分に対して）図９５においてフランジ又はパネル部材６１２、６１４、６１６、６１８及び６２０として示す一体型フランジ又はパネル部材が形成され、それはまた、図９６に示すように、セキュリティパネルアセンブリ６００をキャリングバッグ２０に取り付けかつ組み込むための補助を提供するブリッジコネクターとして利用することもできる。
【０１８５】
図９１〜図９３に示すように、Ｉ字型ワイヤーマトリックス６０５及び第１の材料層６０２の上に第２の材料層６１０又は６１０Ａを付着させた後、上述したように、図９４に示すようにセキュリティパネルアセンブリ６００を形成するように三角形又は鋸歯パターン４５０等、任意の所定の又は他のパターンを用いて、又は上述したように、Ｉ字型ワイヤーマトリックス６０５を形成するワイヤー４２８に接触せず又はその上に交差しない複数の縫目パターンを用いて、Ｉ字型ワイヤーマトリックス６０５を固定し又は安定化することができる。
【０１８６】
上述したように、その後、セキュリティパネルアセンブリ６００は、図９５に示すボックス形状に、フランジ又はパネル部材６１２、６１４、６１６、６１８及び６２０を用いて折り畳むことができ、図９６においてステッチ線６３４及び６３６によって示すように、端部パネル６３０、６３２の底部継目及び中心継目に沿ってバッグ２０内にフランジ又はパネル部材６１２、６１４、６１６、６１８及び６２０を縫い合わせることによる等、バッグ２０に組み込むことができる。図９６にはまた、蝶番式矩形ロックリング５００、５００Ａの使用と、表面装飾又はテクスチャーを有するものとして更に示す様々なキャリーストラップ２２、２２Ａ〜２２Ｈのうちの任意のものの使用とを示す。
【０１８７】
図９７〜図１０２は、セキュリティパネルアセンブリの別の変形、すなわちセキュリティパネルアセンブリの第１３の代表的な実施形態としてのセキュリティパネルアセンブリ７００の製造を示す。セキュリティパネルアセンブリ７００は、上述したセキュリティパネルアセンブリ６００と同様に製作され、簡略にするために、セキュリティパネルアセンブリ７００の新たな又は追加の特徴のみについて考察する。
【０１８８】
セキュリティパネルアセンブリ７００では、（予め塗布された接着剤４２２Ａを有する）第２の材料層６１０Ｂ又は６１０Ｃは、予め縫い合わされたフランジ又はパネル部材６４０、６４２、６４４及び６４６を有し、それらは、図９７〜図１００に示すように、（図示するようにワイヤー７０１を配索することによって形成される）Ｉ字型ワイヤーマトリックス６０５及び第１の材料層６０２の上に第２の材料層６１０Ｂ又は６１０Ｃを付着させることに続き、セキュリティパネルアセンブリ７００が矩形ボックス形状に折り畳まれると、図１０１に示すように、予め縫い合わされたフランジ又はパネル部材６４０、６４２、６４４及び６４６が各々それぞれの隅６４８、６５０、６５２及び６５４にあるように、配置され又は位置決めされる。予め縫い合わされたフランジ又はパネル部材６４０、６４２、６４４及び６４６を用いて、図１０２においてステッチ線６５６、６５８及び６６０によって示すように、端部パネル６３０、６３２の側縁及び底部継目に沿って、フランジ又はパネル部材６４０、６４２、６４４及び６４６をバッグ２０内に縫い合わせることによる等、バッグ２０内にセキュリティパネルアセンブリ７００を組み込むことができる。さらに、予め縫い合わされたフランジ又はパネル部材６４０、６４２、６４４及び６４６の配置により、外部２３及び／又は裏張り２９の継目からずれているセキュリティパネルアセンブリ７００の継目を閉鎖することができ、セキュリティを追加するために、セキュリティパネルアセンブリ７００の継目においてワイヤー７０１の幾分かのオーバーラップが更に可能になる。図１０２にはまた、蝶番式矩形ロックリング５００、５００Ａの使用と、様々なキャリーストラップ２２、２２Ａ〜２２Ｈのうちの任意のものの使用とを示す。図１００及び図１０１には単独で示さないが、セキュリティパネルアセンブリ７００は、上述したように、Ｉ字型ワイヤーマトリックス６０５（図１０１において点線で示す）を安定化するか又は固定する更なる縫目を有することもできる。
【０１８９】
図１０３〜図１１１は、セキュリティパネルアセンブリの別の変形、すなわち、セキュリティパネルアセンブリの第１１の代表的な実施形態としてのセキュリティパネルアセンブリ８００の製造を示す。セキュリティパネルアセンブリ８００は、上述したセキュリティパネルアセンブリと同様に製作され、簡略にするために、セキュリティパネルアセンブリ８００の新たな又は追加の特徴のみについて考察する。
【０１９０】
図１０３〜図１１１を参照すると、第１の材料層６７０が、概して、矩形であるが切取部又は切欠き６８０を有する、すなわち予め一部が除去されているものとして構成され、それにより、図１０８〜図１１０に示すように、結果として得られるセキュリティパネルアセンブリ８００もまた、ボックス状に折畳み可能となる。取付釘４１０は、切取部又は切欠き６８０に適応するように対応して配列されている。単一ワイヤー４２８が、第３の所定パターンで取付釘４１０の周囲に配索され、同様に第１の材料層６７０の周縁部に隣接して曲げ部又は湾曲部４３５を有するワイヤーマトリックス６７５を形成し、ワイヤーマトリックス６７５は、図示するように、第１の材料層６７０の周縁部から離れてかつ中心に向かって、曲げられ、湾曲し又は折り畳まれている、キャップがかぶせられた端部６７１、６７２を更に有している。
【０１９１】
セキュリティパネルアセンブリ８００では、（予め塗布された接着剤４２２Ａを有する）第２の材料層６９０又は６９０Ａは、予め縫い合わされたフランジ又はパネル部材６８２、６８４、６８６及び６８８を有し、それらもまた、図１０４〜図１０７に示すように、ワイヤーマトリックス６７５及び第１の材料層６７０の上に第２の材料層６９０又は６９０Ａを付着させることに続き、セキュリティパネルアセンブリ８００が矩形ボックス形状に折り畳まれると、図１０８〜図１１０に示すように、予め縫い合わされたフランジ又はパネル部材６８２、６８４、６８６及び６８８は、各々、それぞれの隅６９２、６９４、６９６及び６９８にあるように、配置されるか又は位置決めされる。予め縫い合わされたフランジ又はパネル部材６８２、６８４、６８６及び６８８を使用して、図１１１においてステッチ線６５６、６５８及び６６０によって示すように、端部パネル６３０、６３２の側縁及び底部継目に沿って、バッグ２０内にフランジ又はパネル部材６８２、６８４、６８６及び６８８を縫い込む等により、バッグ２０にセキュリティパネルアセンブリ８００を組み込むことができる。図１０５にはまた、蝶番式矩形ロックリング５００、５００Ａの使用と、様々なキャリーストラップ２２、２２Ａ〜２２Ｈのうちの任意のものの使用とを示す。
【０１９２】
図１０４〜図１０６に示すように、ワイヤーマトリックス６７５及び第１の材料層６７０の上に第２の材料層６９０又は６９０Ａを付着させた後、図１０７に示すようにセキュリティパネルアセンブリ８００を形成する別の三角形又は鋸歯パターン６２２等、任意の所定パターンを用いて、又は本明細書に記載する他の縫目パターンのうちの任意のものを用いて、上述したようにワイヤーマトリックス６７５を固定するか又は安定化させることができる。
【０１９３】
セキュリティパネルアセンブリ８００をボックス形状に折り畳んだ後、リベット７０２（又はグロメット若しくはスナップ）、及び別のオプションとして、図１０８及び図１０９に示すように布、皮革、ポリマー等、上述したような様々な織材料又は不織材料のうちの任意のもの等、任意の可撓性又は非可撓性材料から構成することができる安定化バー又はパネル７０４、７０６を用いることによる等、折り畳まれたセキュリティパネルアセンブリ８００の側面を互いに固定することができる。（図１０８及び図１０９に示すように）ボックスの外部、又は折り畳まれたセキュリティパネルアセンブリ８００によって生成されるボックスの内部のいずれかに（又は両方に）、安定化バー又はパネル７０４、７０６を配置するか又は位置決めすることができる。
【０１９４】
図１１２〜図１２７は、セキュリティパネルアセンブリ９００、すなわちセキュリティパネルアセンブリの第１２の代表的な実施形態として、セキュリティパネルアセンブリのまた更なる変形の製造を示す。セキュリティパネルアセンブリ９００は、上述したセキュリティパネルアセンブリと同様に製作され、簡略にするために、このセキュリティパネルアセンブリの新たな又は追加の特徴のみについて考察する。
【０１９５】
図１１２〜図１２７を参照すると、セキュリティパネルアセンブリ９００に対する著しくかつ顕著な相違のうちの１つは、セキュリティパネルアセンブリ９００が、比較的又は相対的に容易に折り畳まれるように、特に設計されかつ製作されており、それにより、バッグ２０に組み込まれると、例えば限定しないが出荷若しくは保管のため、又は同様に例えば限定しないが、拡張可能なトラベルバッグ２０Ａ、２０Ｂ、２０Ｅで使用するために拡張パネル８１５に組み込むために、バッグ２０を圧縮するように等、バッグ２０もまた容易に折畳み可能であることである。別の著しくかつ顕著な相違は、セキュリティパネルアセンブリ９００は、セキュリティパネルアセンブリ９００の上面及び下面の両方に予め縫い合わされたフランジ又はパネル部材を有することができることであり、それは、多種多様の応用において有用である可能性がある。
【０１９６】
図１１２〜図１２７に示すように、第１の予め縫い合わされたフランジ又はパネル部材７１２は、縫い合せにより又は接着剤を用いることによる等、第１の材料層７１０の第１の面７１４に結合される。そして、第１の材料層７１０が反転されて、第１の予め縫い合わされたフランジ又はパネル部材７１２を有する第１の面７１４が、第１の材料層７１０の下（外）面になる。第１の材料層７１０を概して矩形として示すが、この形態に対して、取付釘４１０は、（図２９〜図３４の矩形状の第１材料層４０６の対向する側部において）平行な列になく、図示するように単に周縁部ではなく、第１の材料層７１０の全体に更に別の所定パターンで構成され又は位置決めされる。また図示するように、第１の材料層７１０の第２の上面７１６は、予め塗布された接着剤４２２Ａを有し、予め塗布された接着剤４２２Ａは、カバーシート７１８を剥離することによって露出する。
【０１９７】
単一ワイヤー４２８が、別の第８の所定パターンで取付釘４１０の周囲に配索されて、キャップがかぶせられた端部７２１、７２２を有するワイヤーマトリックス７２０もまた形成し、端部７２１、７２２は、図示するように、第１の材料層７１０の周縁部から離れてかつ中心に向かって曲げられ、湾曲し、又は折り畳まれている。ワイヤーマトリックス７２０の所定パターンは、通常単一ワイヤー４２８が１回のみ（場合によっては２回）交差する折畳み（曲げ又は屈曲）領域（又はトラック）７２２、７２４及び７２６を提供するように設計されている。ワイヤーマトリックス７２０は、第１の材料層７１０の周縁部に隣接して曲げ又は湾曲部分４３５を有するのみではなく、折畳み領域７２２、７２４及び７２６にも隣接して曲げ又は湾曲部分４３５を有し、それにより、折り畳まれると、折畳み領域７２２、７２４及び７２６の付近で第１の材料層７１０又は第２の材料層７３０に穴をあける可能性がある、ワイヤー又は他の鋭利である可能性がある物品の端部がなくなる。ワイヤーマトリックス７２０のこの形態により、特に、単一ワイヤー４２８が概して１回のみ交差する折畳み領域７２２、７２４及び７２６により、折畳み領域７２２、７２４及び７２６は、はるかに大きく曲げ可能であり、その結果、セキュリティパネルアセンブリ９００は、保管又は輸送のために、又は拡張パネル８１５で使用されるために等、はるかに大きく折畳み可能かつ圧縮可能になる。
【０１９８】
言い換えれば、折畳み領域７２２、７２４及び７２６並びにワイヤーマトリックス７２０の配置又は形態は、例示する形態に対して、セキュリティパネルアセンブリ９００を複数の一体化されたセキュリティサブパネル（又は部分）７５０、７５２、７５４及び７５６に分割する役割を果たす。利用されるセキュリティサブパネル及び予め縫い合わされたフランジ又はパネル部材の数及び位置は、変更することができ、セキュリティサブパネル及び予め縫い合わされたフランジ又はパネル部材の無数の他の形態が利用可能であり、同様に利用することができ、セキュリティサブパネル及び予め縫い合わされたフランジ又はパネル部材の数、位置及び形態はともに、通常又は概して、セキュリティパネルアセンブリ９００が挿入されるバッグ２０〜２０Ｅの全体的な形状に沿うか又は一致するように、かつ予め縫い合わされたフランジ又はパネル部材の取付のためにバッグ２０〜２０Ｅ内の選択された位置に一致するように選択されており、セキュリティサブパネル及び予め縫い合わされたフランジ又はパネル部材のありとあらゆるこうした選択及び形態は、等価でありかつ本開示の範囲内にあるとみなされる。例えば、セキュリティパネルアセンブリ９００（図１２３）は、２つのセキュリティサブパネル７５２及び７５４を有するように構成され、セキュリティパネルアセンブリ９００（図１２５及び図１２６）は、予め縫い合わされたフランジ又はパネル部材７３２、７３４の異なる配置とともに、３つのセキュリティサブパネル７５０、７５２及び７５４を有するように構成される。
【０１９９】
第２の予め縫い合わされたフランジ又はパネル部材７３２及び第３の予め縫い合わされたフランジ又はパネル部材７３４は、縫い合せ又は接着剤を用いることによる等、第２の材料層７３０の第１の面７３６に結合される。また図示するように、第２の材料層７３０の第２の下面７３８は、予め塗布された接着剤４２２Ａを有し、予め塗布されたド接着剤４２２Ａは、カバーシート７４２を剥離することによって露出する。ワイヤーマトリックス７２０及び第１の材料層７１０の上に第２の材料層７３０を付着させかつ取り付けることに続き、図１１６に示すように、結果として得られるセキュリティパネルアセンブリ９００は、その下面に第１の予め縫い合わされたフランジ又はパネル部材７１２、その上面に第２の予め縫い合わされたフランジ又はパネル部材７３２及び第３の予め縫い合わされたフランジ又はパネル部材７３４を有し、それらもまた、（バッグ２０に対して）図１２１及び図１２２に示すように、セキュリティパネルアセンブリ９００をキャリングバッグ２０、２０Ｃ、２０Ｄに取り付けかつ組み込むために、又はセキュリティパネルアセンブリ９００を拡張パネル８１５に若しくはキャリングバッグ２０に取り付けかつ組み込むために、補助を提供するブリッジコネクターとして利用することもできる。
【０２００】
同様に上述したように、ワイヤーマトリックス７２０は、図１１７に示すようにセキュリティパネルアセンブリ９００を形成するように三角形又は鋸歯パターン７６０等の任意の所定パターンを用いて、又は上述した複数の他の縫目パターンを用いて、固定するか又は安定化することができる。
【０２０１】
そして、セキュリティパネルアセンブリ９００は、複数の形態のうちの任意のものを有することができ、例えば限定しないが、第１の形態に折り畳み、第２の形態及び第３の形態に広げることができる。図示するように、セキュリティパネルアセンブリ９００は、例えば、トラベルバッグ２０Ａ、２０Ｂ又は他のスーツケースの拡張パネル８１５の拡張位置で使用されるのに特に適している、図１１８に示す平坦な広げられた形態を有することができ、又は（図１２２に示すように、バッグ２０が拡張又は開放形態にあるときに使用されるように）図１１９に示すボックス又は矩形形状になる等、及び（図１２１に示すように、バッグ２０が閉鎖又は圧縮形態であるときに使用されるように）図１２０に示す「Ｗ」字型になる等、多くの異なる形態に折り畳むことができる。
【０２０２】
こうした形態の全てが本開示の範囲内にある。さらに、セキュリティパネルアセンブリ９００の幾つかの更なる形態が、拡張パネル８１５で使用されるために特に有用である可能性がある。図１２３及び図１２４を参照すると、セキュリティパネルアセンブリ９００の別の実施形態は２つのサブパネル７５２及び７５４から構成され、第２の予め縫い合わされたフランジ又はパネル部材７３２及び第３の予め縫い合わされたフランジ又はパネル部材７３４は、例えば限定しないが、トラベルバッグ２０Ａ、２０Ｂの拡張パネル８１５内に及び／又は各面（８２２及び８２４又は８２６及び８２８それぞれ）にセキュリティパネルアセンブリ９００を結合するために利用される。図示するように、２つのサブパネルを有することにより、セキュリティパネルアセンブリ９００は、ガセット等に対して、「Ｖ」字型形態を有し、セキュリティパネルアセンブリ９００は、トラベルバッグ２０Ａ、２０Ｂが非拡張状態にある場合等に実質的に平坦であるように折り畳むことができ（図１２４）、トラベルバッグ２０Ａ、２０Ｂが拡張形態にある場合等に完全に広げることができる。
【０２０３】
図１２５〜図１２７を参照すると、セキュリティパネルアセンブリ９００の別の実施形態は、第２の予め縫い合わされたフランジ又はパネル部材７３２及び第３の予め縫い合わされたフランジ又はパネル部材７３４の異なる形態とともに、３つのサブパネル７５０、７５２及び７５４から構成され、拡張パネル８１５内に及び／又はトラベルバッグ２０Ａ、２０Ｂの各面（８２２及び８２４又は８２６及び８２８それぞれ）にセキュリティパネルアセンブリ９００を結合するためにも利用される。図示するように、３つのサブパネルを有することにより、セキュリティパネルアセンブリ９００は、ガセット等に対して、「Ｕ」字形態を有し、セキュリティパネルアセンブリ９００は、トラベルバッグ２０Ａ、２０Ｂが非拡張形態にある場合等に実質的に平坦であるように折り畳むことができ（図１２５）、トラベルバッグ２０Ａ、２０Ｂが拡張形態にある場合等に完全に広げることができ、図１２６及び図１２７では、セキュリティパネルアセンブリ９００は連続して広げられているものとして示されている。上述したように、拡張パネルセキュリティパネルアセンブリ１４００〜１４００Ｂのうちの任意のものが、これらの形態のうちの任意ものを有することもできる。
【０２０４】
第１の予め縫い合わされたフランジ又はパネル部材７１２を用いて、セキュリティパネルアセンブリ９００は、第１の予め縫い合わされたフランジ又はパネル部材７１２の長さに沿って縫い合わせることによる等、バッグ２０の底部パネルの中心７８０に長手方向に結合することができる。代表的な実施形態では、第２の予め縫い合わされたフランジ又はパネル部材７３２及び第３の予め縫い合わされたフランジ又はパネル部材７３４は、接着剤等により、セキュリティサブパネル７５０及び７５６にそれぞれ結合されて、ボックス形態及び「Ｗ」字形態の両方を保持する支持体を提供する。別の代表的な実施形態では、第２の予め縫い合わされたフランジ又はパネル部材７３２及び第３の予め縫い合わされたフランジ又はパネル部材７３４は、接着剤又は縫い合せ等により、同様に例えば限定しないが、拡張パネルの裏張り等の裏張りに結合される。図１２１及び図１２２に単独では示さないが、バッグ２０の端部パネルに対して、本明細書に開示するもののうちの任意のものを含む、追加のセキュリティパネルアセンブリを利用することができる。
【０２０５】
図１２８及び図１２９は、セキュリティパネルアセンブリの第１３の代表的な実施形態として、セキュリティパネルアセンブリのまた更なる変形、すなわちセキュリティパネルアセンブリ１０００の製造を示す。セキュリティパネルアセンブリ１０００は、上述したセキュリティパネルアセンブリと同様に製作され、簡略にするために、セキュリティパネルアセンブリ１０００の新たな又は追加の特徴のみについて考察する。
【０２０６】
図１２８及び図１２９を参照すると、第１の材料層８５５が、概して星形又は不規則な星形、すなわち、幾分か矩形であるが切取部又は切欠き８６０を有する（予め、概して又は実質的に三角形部分が除去されている）ように構成され、それにより、結果として得られるセキュリティパネルアセンブリ１０００もまた、他の実施形態に対して上述したように、ボックス形状に折畳み可能となる。取付釘４１０は、切取部又は切欠き８６０に適応するように対応して配置されている。単一ワイヤー４２８が、別の所定パターンで取付釘４１０の周囲に配索されて、同様にワイヤーマトリックス８５０を形成し、ワイヤーマトリックス８５０は、第１の材料層８５５の周縁部に隣接して曲げ又は湾曲部分４３５を有し、図示するように、第１の材料層８５５の周縁部から離れてかつ中心に向かうように曲げられ、湾曲し又は折り畳まれている、キャップがかぶせられた端部８５１、８５２を更に有する。
【０２０７】
図１２８に示すように、第１の材料層８５５の周縁部に隣接する曲げ又は湾曲部分４３５の複数の所定位置に対して、安定化アンカー８６５が利用される。様々な代表的な実施形態では、安定化アンカー８６５は、任意の（上述した）可撓性又は折畳み可能な材料から概して構成され、他の代表的な実施形態では、安定化アンカー８６５は、例えば限定しないが、金属又は半剛性の成形プラスチック等、非可撓性又は半剛性材料から構成することができる。安定化アンカー８６５は、上述したように、接着剤４２２又は予め塗布された接着剤４２２Ａを用いて、曲げ又は湾曲部分４３５及び第１の材料層８５５の上に結合することができる。そして、追加の製作ステップを用いて、セキュリティパネルアセンブリ１０００（図１２９）を形成し、ともに他の実施形態を参照して上述したように、バッグ２０〜２０Ｅにおいて利用することもできる。
【０２０８】
図１３０〜図１３７は、セキュリティパネルアセンブリ１３００、１３００Ａ〜１３００Ｄの様々な更なる代表的な金属実施形態、非金属繊維ベースの実施形態、及びハイブリッド金属−非金属実施形態を示す等角図である。図１３０を参照すると、第１の金属ワイヤー又はケーブル１３２０が、第１の材料層１３１０（同様に接着剤４２２を有することができ、又は第１の金属ワイヤー又はケーブル１３２０が、縫目（単独では示さず）等を通して、安定化されている可能性がある）の上に鋸歯又はジグザグパターンで配索されて、第１のパネル１３２４を形成することができる。第２の金属ワイヤー又はケーブル１３２５もまた、第２の材料層１３１５（同様に接着剤４２２を有することができ、又は第２の金属ワイヤー若しくはケーブル１３２５が、縫目（単独では示さず）等を通して、安定化されている可能性がある）の上に鋸歯又はジグザグパターンで配索されて、第２のパネル１３２２を形成することができる。そして、第２のパネル１３２２は、縫付又は縫い合せ（図示する縫目線１３３０）等を通して、図示するように第１のパネル１３２４の上に重ねられかつ付着して、図１３１において切欠き図に示すようにセキュリティパネルアセンブリ１３００を形成する。第２のパネル１３２２は、通常、第１のパネル１３２４のように製作されるため、図示するように、（パターニングされた第２の金属ワイヤー又はケーブル１３２５が、パターニングされた第１の金属ワイヤー又はケーブル１３２０に対して実質的に直交するか又は垂直であるように）同じ平面において９０度回転させることができる。
【０２０９】
第１のパネル１３２４又は第２のパネル１３２２（１３２６）のいずれも、ワイヤーメッシュ又はワイヤー網構造を有しておらず、それは、第１の金属ワイヤー又はケーブル１３２０及び第２の金属ワイヤー又はケーブル１３２５のいずれも、それ自体が交差せず、又は同じ平面で別のワイヤーに接続しないためである。上に重なると、第１のパネル１３２４及び第２のパネル１３２２（１３２６）は、同様に２つの異なる平面又は層で互いに交差する２つの異なる平面又は層で形成された複数の閉鎖ワイヤー形状を有する非対称グリッドパターンを形成し、それにより、２つの異なる平面又は層において結合してワイヤーマトリックスを形成する。パターニングされた第２の金属ワイヤー又はケーブル１３２５が、パターニングされた第１の金属ワイヤー又はケーブル１３２０から実質的に直交するか又は垂直である（９０度回転している）ものとして示されているが、当業者は、第１のワイヤー１３２０及び第２のワイヤー１３２５（又は１３５０）の選択されたパターンに応じて、約３０度から約４５度を超える任意のずれ又は回転が、選択された又は所望のセキュリティレベルに応じて、切断器具がセキュリティパネルアセンブリ１３００〜１３００Ｄにおいていかなる相当な距離も切断するのを可能にしないグリッドパターンを形成するために十分である可能性があり、その結果、第１のパネル１３２４及び第２のパネル１３２２（１３２６）の約９０度の互いに対するずれ又は回転が、選択されたワイヤーパターンに応じて最も単純でありかつ場合によっては最も有効な向きである可能性があると認識する。本明細書で用いる「実質的に直交する」とは、第１のパネル１３２４及び第２のパネル１３２２（１３２６）の選択されたワイヤーパターンに応じて、約３０度〜４５度以上であり、セキュリティパネルアセンブリ１３００〜１３００Ｄにおいて切断される可能性がある距離又は長さを制限する全体的に閉鎖されたワイヤー形状を形成することのみが必要である、第１のパネル１３２４及び第２のパネル１３２２（１３２６）の任意のずれを意味しかつ含むように理解されるべきである。
【０２１０】
図１３２において切欠図に示す別の変形として、第２のパネル１３２２は、図示するように、第２の金属ワイヤー又はケーブル１３２５が第２の材料層１３１５の下側にあるように（同様に図示するように）ひっくり返され（必要な場合は、向きに応じて、（パターニングされた第２の金属ワイヤー又はケーブル１３２５もまたパターニングされた第１の金属ワイヤー又はケーブル１３２０に対して実質的に直交し又は垂直であるように）同じ平面において９０度回転することができ）、その後、縫付又は縫い合せ（図示する縫目線１３３０）等を通して、第１のパネル１３２４の上に重ねられかつ付着し、セキュリティパネルアセンブリ１３００Ａを形成し、それにより、第１の材料層１３１０及び第２の材料層１３１５はともに、それぞれ、セキュリティパネルアセンブリ１３００Ａの底面及び上面を形成する。
【０２１１】
図１３３において切欠図に示すように、上述した直交形態を有する第２の金属ワイヤー又はケーブル１３２５もまた、第１のパネル１３２４の下側（又は下面１３１０Ａ）において配索されてセキュリティパネルアセンブリ１３００Ｂを形成することができ、それにより、第１の材料層１３１０の両面がパターニングされた金属ワイヤー又はケーブルを含み、第１の面１３１０Ｂは、鋸歯又はジグザグパターンに配置されかつ固定された第１の金属ワイヤー又はケーブル１３２０を有し、第２の面１３１０Ａは、およそ又は実質的に９０度回転した鋸歯又はジグザグパターンに配置されかつ同様に固定された（ステッチ線１３３０）第２の金属ワイヤー又はケーブル１３２５を有している。
【０２１２】
図１３０〜図１３３に示すこれらの実施形態では、第１の金属層１３１０の第１の金属ワイヤー又はケーブル１３２０等、一方の層の金属ワイヤー又はケーブルを用いて、ハイブリッドセキュリティパネルアセンブリを形成することもでき、上述したＫｅｖｌａｒ（商標）ヤーン等、第２の層の実質的に切断抵抗性の第２の非金属繊維、ヤーン又はケーブル１３２５もまた、第２の材料層１３１５（同様に接着剤４２２を有することができ、又は第２の非金属繊維、ヤーン若しくはケーブル１３５０が、縫目（単独では示さず）等を通して、安定化されている可能性がある）の上に鋸歯又はジグザグパターンで配索され、上述したように仕上げられて、例えば限定しないがセキュリティパネルアセンブリ１３００の別のタイプ又は変形としてハイブリッド金属−非金属セキュリティパネルアセンブリを形成することができる。
【０２１３】
図１３４を参照すると、金属又は非金属ワイヤー又はケーブル１３２０が、単一の材料層１３４０（同様に接着剤４２２を有することができ、又は第１の金属若しくは非金属繊維ワイヤー若しくはケーブル１３２０が、縫目（単独では示さず）等を通して、安定化されている可能性がある）の第１の半体１３４０Ａ上に第１の鋸歯又はジグザグパターンで配索されて第１の半パネル１３４２を形成し、同様に、同じ材料層１３４０の第２の半体１３４０Ｂの上に第２の鋸歯又はジグザグパターンで配索されて第２の半パネル１３４４を形成している。第１の半パネル１３４２又は第２の半パネル１３４４のいずれも、ワイヤーメッシュを有していないが、それにも関わらず、上述したように、２つの異なる平面又は層の上に組合せでワイヤーマトリックスを形成する。第２の半パネル１３４４の上の金属又は非金属ワイヤー又はケーブル１３２０の第２の鋸歯又はジグザグパターンは、図示するように、第１の半パネル１３４２の上の金属又は非金属ワイヤー又はケーブル１３２０の第１の鋸歯又はジグザグパターンに対して実質的に直交するか又は垂直である。そして、パターニングされたワイヤー又はケーブル１３２０を有する単一の材料層１３４０が、図示するように第１の方向において半分に折り畳まれ、それにより、第１の半パネル１３４２は、縫付又は縫い合せ（図示する縫目線１３３０）等を通して、第２の半パネル１３４４の上に重ねられかつそれに付着して、図１３５に示すようにかつ図１３６において切欠図に示すように、セキュリティパネルアセンブリ１３００Ｃを形成する。図１３７に示す別の変形として、上述したようにタブ又はフランジ１３６０が追加されて、セキュリティパネルアセンブリ１３００Ｄが形成されている。単独では示さないが、パターニングされた金属又は非金属ワイヤー又はケーブル１３２０を有する単一の材料層１３４０もまた、第１の方向とは反対の第２の方向において半分に折り畳むことができ、それにより、第１の半パネル１３４２の下側が第２の半パネル１３４４の下側に付着し、それにより、縫付又は縫い合せ等により、単一の材料層１３４０の半体を、外面のパターニングされた金属又は非金属ワイヤー又はケーブル１３２０に付着させて、セキュリティパネルアセンブリ１３００Ｃと同じ形態を有するが、第１の材料層が二重厚さであるように折り畳まれている、別のセキュリティパネルアセンブリを形成する。
【０２１４】
非金属実施形態と同様にこれらのハイブリッド金属−非金属セキュリティパネルアセンブリ実施形態もまた、拡張パネル８１５実施形態においても特に有用であり、それは、様々なジグザグパターンが、例えばトラベルバッグ２０Ａ又は２０Ｂの長手方向に配置されたときのパターニングされたワイヤー１３２０の拡張及び圧縮（又は折畳み）を可能にするためである。より具体的には、トラベルバッグ２０Ａ、２０Ｂの各面に対して、第１のパネル１３２４のジグザグアーム１３３９は、拡張パネル８１５の長さに沿って長手方向に向けられるべきであり、側部１３３６及び１３３８は、拡張パネル８１５の幅に沿って向けられ、側部１３３２及び１３３４は、拡張パネル８１５の長さに沿って向けられる。セキュリティパネルアセンブリ１３００〜１３００Ｄのこの構成又は形態により、拡張パネル８１５が（閉鎖形態又は拡張形態に対して様々な図に示すように）その幅に沿って拡張又は収縮する際、ジグザグアーム１３３９は、相対的に大きいか又は小さい三角形にそれぞれ曲がるか又は折り畳まれる。
【０２１５】
図１３０〜図１３７には単独で示さないが、様々なワイヤー１３２０、１３２５の端部はまた、ポリマーキャップを有することができ、それぞれの第１のパネル１３２４及び第２のパネル１３２２の中心に向かって曲げるか又は湾曲させることができる。さらに、上述した様々な方法ステップのうちの任意のものを利用して、これらのセキュリティパネルアセンブリ１３００〜１３００Ｄを形成することもできる。
【０２１６】
セキュリティパネルアセンブリ１３００〜１３００Ｄに対して他のワイヤー又は繊維パターンを同等に利用することもできる。例えば限定しないが、各アーム１３３９は、三角形に加えて矩形、正弦曲線又は卵形とすることができ、こうしたパターンを同じパネル１３２２、１３２４、１３２６において組み合わせることができる。こうした全ての変形が、本開示の範囲内にある。
【０２１７】
本発明について、その具体的な実施形態に関して記載したが、これらの実施形態は、単に例示的なものであり、本発明を限定するものではない。本明細書における記載では、本発明の実施形態が完全に理解されるように、電子部品、電子及び構造的接続、材料並びに構造的変形の例等、多数の具体的な詳細を提供している。しかしながら、当業者は、本発明の実施形態を、具体的な詳細のうちの１つ又は複数を伴わずに、又は他の装置、システム、アセンブリ、構成要素、材料、部品等とともに実施することができることを理解するであろう。他の場合では、既知の構造、材料又は動作は、本発明の実施形態の態様を不明瞭にしないように具体的に示さずかつ詳細に記載していない。当業者は、更なる若しくは等価の方法ステップを利用することができ、又は他のステップと組み合わせることができ、又は異なる順序で実行することができ、それらのありとあらゆるものが請求項に係る発明の範囲内にあることを更に理解するであろう。さらに、様々な図は、正確な縮尺で描かれておらず、限定するものとみなされるべきではない。
【０２１８】
本明細書を通して、「１つの実施形態」、「一実施形態」又は具体的な「実施形態」に対して言及する場合、それは、その実施形態に関連して記載される特定の特徴、構造又は特性が、少なくとも１つの実施形態に含まれ、必ずしも全ての実施形態に含まれるものではなく、さらに、必ずしも同じ実施形態を指すものではないことを意味する。さらに、任意の具体的な実施形態の特定の特徴、構造又は特性を、任意の適切な方法で、かつ他の特徴を対応して使用することなく選択された特徴を使用することを含む、１つ又は複数の他の実施形態との任意の適切な組合せで、組み合わせることができる。さらに、本発明の本質的な範囲及び趣旨に対して特定の応用、状況又は材料を採用するように、多くの変更を行うことができる。本明細書に記載し例示する本発明の実施形態の他の変形及び変更が、本明細書における教示に鑑みて可能であり、本発明の趣旨及び範囲の一部であるとみなされるべきであることが理解されるべきである。
【０２１９】
図に示す要素のうちの１つ又は複数を、特定の用途に従って有用である可能性があるように、より別個に又は統合して実施することもでき、又はさらには、場合によっては除去するか若しくは動作不能とみなすこともできることも理解されよう。特に、別個の構成要素の分離又は組合せが不明瞭であるか又は識別できない実施形態の場合、構成要素の一体的に形成された組合せもまた、本発明の範囲内にある。さらに、本明細書における「結合された」という用語（「結合する」又は「結合可能な」等のその様々な形態も含む）を使用する場合、それは、一体的に形成された構成要素及び別の構成要素を介して又は通して結合される構成要素を含む、任意の直接的な若しくは間接的な構造的結合、接続若しくは取付、又はこうした直接的な若しくは間接的な構造的結合、接続若しくは取付に対する適応若しくは能力を意味しかつ含む。
【０２２０】
本明細書に開示する寸法及び値は、列挙される正確な数値に厳密に限定されるように理解されるべきではない。代わりに、別段の指定がない限り、こうした寸法の各々は、列挙された値とその値を包囲する機能的に等価な範囲との両方を意味するように意図される。例えば、「４０ｍｍ」として開示される寸法は、「約４０ｍｍ」を意味するように意図される。
【０２２１】
本発明の詳細な説明において引用された全ての文献は、関連部分において、引用することにより本明細書の一部をなし、すなわち、いかなる文献の引用も、それが本発明に関して従来技術であると認めるものとして解釈されるべきではない。本明細書における用語のいかなる意味又は定義も、引用により本明細書の一部をなす文献における同じ用語の任意の意味又は定義と矛盾する範囲では、本明細書においてその用語に割り当てられた意味又は定義が優先するものとする。
【０２２２】
さらに、図面／図におけるいかなる信号矢印も、具体的に別段の言及がない限り、限定するものではなく単に例示するものとみなされるべきである。ステップの構成要素の組合せもまた、特に、分離又は組み合わせることができることが不明瞭である場合でも予見可能である場合でも、本発明の範囲内にあるとみなされる。本明細書でかつ添付の特許請求の範囲を通して用いる「又は」という選言的な用語は、概して、別段の示唆がない限り、連言的意味及び選言的意味の両方を有する「及び／又は」を意味するように意図されている（「排他的論理和」の意味に制限されない）。本明細書においてかつ添付の特許請求の範囲を通して用いる数量を指示しない語は、文脈において明確な別段の指示がない限り、かつ具体的に否認のない限り、単一の項目又は要素に限定されず、複数の言及を含むものとする。また、本明細書においてかつ添付の特許請求の範囲を通して用いる「内（in）」という意味は、文脈において明確な別段の指示がない限り、「内」及び「上」を含む。例として、具体的な請求の文言が「間に」という語を含む場合があるが、こうした語の解釈は、具体的な但し書きがない限り、又は手続きによってその用語が制限されない限り、その例の境界を越えた要素の範囲を排除するように限定されるべきではない。したがって、本発明の例は、特記のない限り限定するものとして解釈されるべきではない。
【０２２３】
概要又は要約書に記載されるものを含む本発明の例示的な実施形態の上述した説明は、網羅的であるように、又は本明細書に開示した厳密な形態に本発明を限定するようには意図されていない。上述したことから、本発明の新規な概念の趣旨及び範囲から逸脱することなく、多数の変形、変更及び置換が意図されそれらを行うことができることが理解されよう。本明細書において例示する具体的な方法及び装置に関するいかなる限定も意図されておらず、推断されるべきではないことが理解されるべきである。当然ながら、こうした全ての変更を添付の特許請求の範囲によってその請求項の範囲内にあるものとして包含することが意図されている。したがって、本発明の実施形態が示されているが、本発明は、添付の特許請求の範囲及び均等物によってのみ限定されるべきである。
【図１】
0006626453.tif 000002
【図２】
0006626453.tif 000003
【図３】
0006626453.tif 000004
【図４】
0006626453.tif 000005
【図４Ａ】
0006626453.tif 000006
【図５】
0006626453.tif 000007
【図６】
0006626453.tif 000008
【図７】
0006626453.tif 000009
【図８】
0006626453.tif 000010
【図９】
0006626453.tif 000011
【図１０】
0006626453.tif 000012
【図１１】
0006626453.tif 000013
【図１２】
0006626453.tif 000014
【図１３】
0006626453.tif 000015
【図１４】
0006626453.tif 000016
【図１５】
0006626453.tif 000017
【図１６】
0006626453.tif 000018
【図１７】
0006626453.tif 000019
【図１８】
0006626453.tif 000020
【図１８Ａ】
0006626453.tif 000021
【図１８Ｂ】
0006626453.tif 000022
【図１９】
0006626453.tif 000023
【図１９Ａ】
0006626453.tif 000024
【図１９Ｂ】
0006626453.tif 000025
【図２０】
0006626453.tif 000026
【図２１】
0006626453.tif 000027
【図２２】
0006626453.tif 000028
【図２３】
0006626453.tif 000029
【図２４】
0006626453.tif 000030
【図２５】
0006626453.tif 000031
【図２６】
0006626453.tif 000032
【図２７】
0006626453.tif 000033
【図２８】
0006626453.tif 000034
【図２９】
0006626453.tif 000035
【図３０】
0006626453.tif 000036
【図３１】
0006626453.tif 000037
【図３２】
0006626453.tif 000038
【図３３Ａ】
0006626453.tif 000039
【図３３Ｂ】
0006626453.tif 000040
【図３４】
0006626453.tif 000041
【図３５】
0006626453.tif 000042
【図３６】
0006626453.tif 000043
【図３７】
0006626453.tif 000044
【図３７Ａ】
0006626453.tif 000045
【図３８】
0006626453.tif 000046
【図３８Ａ】
0006626453.tif 000047
【図３８Ｂ】
0006626453.tif 000048
【図３８Ｃ】
0006626453.tif 000049
【図３９】
0006626453.tif 000050
【図４０】
0006626453.tif 000051
【図４１】
0006626453.tif 000052
【図４２】
0006626453.tif 000053
【図４３】
0006626453.tif 000054
【図４４】
0006626453.tif 000055
【図４５】
0006626453.tif 000056
【図４６】
0006626453.tif 000057
【図４７】
0006626453.tif 000058
【図４８】
0006626453.tif 000059
【図４９】
0006626453.tif 000060
【図５０】
0006626453.tif 000061
【図５１】
0006626453.tif 000062
【図５２】
0006626453.tif 000063
【図５３】
0006626453.tif 000064
【図５４】
0006626453.tif 000065
【図５５】
0006626453.tif 000066
【図５６】
0006626453.tif 000067
【図５７】
0006626453.tif 000068
【図５８】
0006626453.tif 000069
【図５９】
0006626453.tif 000070
【図６０】
0006626453.tif 000071
【図６１】
0006626453.tif 000072
【図６２】
0006626453.tif 000073
【図６３】
0006626453.tif 000074
【図６４】
0006626453.tif 000075
【図６５】
0006626453.tif 000076
【図６６】
0006626453.tif 000077
【図６７】
0006626453.tif 000078
【図６８】
0006626453.tif 000079
【図６９】
0006626453.tif 000080
【図７０】
0006626453.tif 000081
【図７１】
0006626453.tif 000082
【図７２】
0006626453.tif 000083
【図７３】
0006626453.tif 000084
【図７４】
0006626453.tif 000085
【図７５】
0006626453.tif 000086
【図７６】
0006626453.tif 000087
【図７７】
0006626453.tif 000088
【図７８】
0006626453.tif 000089
【図７９】
0006626453.tif 000090
【図８０】
0006626453.tif 000091
【図８１】
0006626453.tif 000092
【図８２】
0006626453.tif 000093
【図８３】
0006626453.tif 000094
【図８４】
0006626453.tif 000095
【図８５】
0006626453.tif 000096
【図８６】
0006626453.tif 000097
【図８７】
0006626453.tif 000098
【図８８】
0006626453.tif 000099
【図８９】
0006626453.tif 000100
【図９０】
0006626453.tif 000101
【図９１】
0006626453.tif 000102
【図９２】
0006626453.tif 000103
【図９３】
0006626453.tif 000104
【図９４】
0006626453.tif 000105
【図９５】
0006626453.tif 000106
【図９６】
0006626453.tif 000107
【図９７】
0006626453.tif 000108
【図９８】
0006626453.tif 000109
【図９９】
0006626453.tif 000110
【図１００】
0006626453.tif 000111
【図１０１】
0006626453.tif 000112
【図１０２】
0006626453.tif 000113
【図１０３】
0006626453.tif 000114
【図１０４】
0006626453.tif 000115
【図１０５】
0006626453.tif 000116
【図１０６】
0006626453.tif 000117
【図１０７】
0006626453.tif 000118
【図１０８】
0006626453.tif 000119
【図１０９】
0006626453.tif 000120
【図１１０】
0006626453.tif 000121
【図１１１】
0006626453.tif 000122
【図１１２】
0006626453.tif 000123
【図１１３】
0006626453.tif 000124
【図１１４】
0006626453.tif 000125
【図１１５】
0006626453.tif 000126
【図１１６】
0006626453.tif 000127
【図１１７】
0006626453.tif 000128
【図１１８】
0006626453.tif 000129
【図１１９】
0006626453.tif 000130
【図１２０】
0006626453.tif 000131
【図１２１】
0006626453.tif 000132
【図１２２】
0006626453.tif 000133
【図１２３】
0006626453.tif 000134
【図１２４】
0006626453.tif 000135
【図１２５】
0006626453.tif 000136
【図１２６】
0006626453.tif 000137
【図１２７】
0006626453.tif 000138
【図１２８】
0006626453.tif 000139
【図１２９】
0006626453.tif 000140
【図１３０】
0006626453.tif 000141
【図１３１】
0006626453.tif 000142
【図１３２】
0006626453.tif 000143
【図１３３】
0006626453.tif 000144
【図１３４】
0006626453.tif 000145
【図１３５】
0006626453.tif 000146
【図１３６】
0006626453.tif 000147
【図１３７】
0006626453.tif 000148
【図１３８】
0006626453.tif 000149
【図１３９】
0006626453.tif 000150
【図１４０】
0006626453.tif 000151
【図１４１】
0006626453.tif 000152
【図１４２】
0006626453.tif 000153